(57)【要約】この出願の実施形態は、端末のハンドオーバ手順を単純化し、４Ｇネットワークから５Ｇネットワークへの端末のハンドオーバを実装するためのハンドオーバ方法、デバイス、システムを提供する。ハンドオーバ方法は、コンバージドネットワークデバイスが、第１のネットワーク内の第１のアクセスデバイスからハンドオーバ要件を受信することであって、ハンドオーバ要件は、第２のネットワーク内の第２のアクセスデバイスの識別子、又は第２のアクセスデバイスによってサービスされるトラッキングエリアの識別を搬送する、ことを行い、第２のアクセスデバイスの識別子、又は第２のアクセスデバイスによってサービスされるトラッキングエリアの識別に基づいて、第２のアクセスデバイスがコンバージドネットワークデバイスによって管理されることを決定し、ハンドオーバ要求を第２のアクセスデバイスに送信することであって、ハンドオーバ要求は、第２のアクセスデバイスに対し、端末のための関連リソースを準備するように要求するために利用される、ことを行い、ハンドオーバコマンドを第１のアクセスデバイスに送信することであって、ハンドオーバコマンドは、端末を第２のアクセスデバイスにハンドオーバするように命令するために利用される、ことを行い、ハンドオーバ通知を第２のアクセスデバイスから受信することであって、ハンドオーバ通知は、端末が第２のアクセスデバイスにハンドオーバされることを示すために利用される、ことを行う、ことを含む。
2021526775.tif 000002
【特許請求の範囲】
【請求項１】
ハンドオーバ方法であって、前記ハンドオーバ方法は、
コンバージドネットワークデバイスによって、第１のネットワーク内の第１のアクセスデバイスからハンドオーバ要件を受信するステップであって、前記ハンドオーバ要件は、第２のネットワーク内の第２のアクセスデバイスの識別子、又は前記第２のアクセスデバイスによってサービスされるトラッキングエリアの識別を搬送し、前記第１のネットワーク及び前記第２のネットワークは、異なるタイプのネットワークである、ステップと、
前記コンバージドネットワークデバイスによって、前記第２のアクセスデバイスの前記識別子、又は前記第２のアクセスデバイスによってサービスされる前記トラッキングエリアの前記識別に基づいて、前記第２のアクセスデバイスが前記コンバージドネットワークデバイスによって管理されることを決定するステップと、
前記コンバージドネットワークデバイスによって、前記第２のアクセスデバイスにハンドオーバ要求を送信するステップであって、前記ハンドオーバ要求は、端末のための関連リソースを準備することを前記第２のアクセスデバイスに要求するために利用される、ステップと、
前記コンバージドネットワークデバイスによって、前記第１のアクセスデバイスにハンドオーバコマンドを送信するステップであって、前記ハンドオーバコマンドは、前記端末を前記第２のアクセスデバイスにハンドオーバするように命令するために利用される、ステップと、
前記コンバージドネットワークデバイスによって、前記第２のアクセスデバイスからハンドオーバ通知を受信するステップであって、前記ハンドオーバ通知は、前記端末が前記第２のアクセスデバイスにハンドオーバされることを示すために利用される、ステップと、
を含む、ハンドオーバ方法。
【請求項２】
前記第１のネットワークが第５世代５Ｇネットワークであり、かつ前記第２のネットワークが第４世代４Ｇネットワークである、又は
前記第１のネットワークが４Ｇネットワークであり、かつ前記第２のネットワークが５Ｇネットワークである、
請求項１に記載のハンドオーバ方法。
【請求項３】
ハンドオーバ方法であって、前記ハンドオーバ方法は、
コンバージドネットワークデバイスによって、第１のネットワーク内の第１のアクセスデバイスからハンドオーバ要件を受信するステップであって、前記ハンドオーバ要件は、第２のネットワーク内の第２のアクセスデバイスの識別子、又は前記第２のアクセスデバイスによってサービスされるトラッキングエリアの識別を搬送し、前記第１のネットワークは第４世代４Ｇネットワークであり、前記第２のネットワークは第５世代５Ｇネットワークである、ステップと、
前記コンバージドネットワークデバイスによって、前記第２のアクセスデバイスの前記識別子、又は前記第２のアクセスデバイスによってサービスされる前記トラッキングエリアの前記識別に基づいて、前記第２のアクセスデバイスが前記コンバージドネットワークデバイスによって管理されないことを決定するステップと、
前記コンバージドネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得し、前記ターゲットモビリティ管理ネットワーク要素の前記アドレス情報に基づいて、前記ターゲットモビリティ管理ネットワーク要素に移転するステップと、
前記コンバージドネットワークデバイスによって、前記第１のアクセスデバイスにハンドオーバコマンドを送信するステップであって、前記ハンドオーバコマンドは、前記第１のアクセスデバイスに対し、前記端末を前記第２のアクセスデバイスにハンドオーバするように命令するために利用される、ステップと、
を含む、ハンドオーバ方法。
【請求項４】
前記コンバージドネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記コンバージドネットワークデバイスによって、前記第２のアクセスデバイスの前記識別子に基づいて、第１の完全修飾ドメイン名を構成するステップであって、前記第１の完全修飾ドメイン名は、前記第２のアクセスデバイスの前記識別子を含む、ステップと、
前記コンバージドネットワークデバイスによって、ドメイン名システムＤＮＳサーバに前記第１の完全修飾ドメイン名を送信するステップであって、前記第１の完全修飾ドメイン名は、前記５Ｇネットワーク内の１つ又は複数の候補モビリティ管理ネットワーク要素のアドレス情報を決定するために利用される、ステップと、
前記コンバージドネットワークデバイスによって、前記ＤＮＳサーバから、前記５Ｇネットワーク内の前記候補モビリティ管理ネットワーク要素の前記アドレス情報を受信するステップと、
前記コンバージドネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、
である、
請求項３に記載のハンドオーバ方法。
【請求項５】
前記第１の完全修飾ドメイン名のフォーマットが、前記５Ｇネットワーク内のアクセスデバイスの識別子に対応する完全修飾ドメイン名フォーマットである、又は
前記第１の完全修飾ドメイン名のフォーマットが、前記４Ｇネットワーク内のアクセスデバイスの識別子に対応する完全修飾ドメイン名フォーマットである、
請求項４に記載のハンドオーバ方法。
【請求項６】
前記コンバージドネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記コンバージドネットワークデバイスによって、前記第２のアクセスデバイスによってサービスされる前記トラッキングエリアの前記識別に基づいて、第２の完全修飾ドメイン名を構成するステップであって、前記第２の完全修飾ドメイン名は、前記第２のアクセスデバイスによってサービスされる前記トラッキングエリアの前記識別を含む、ステップと、
前記コンバージドネットワークデバイスによって、ＤＮＳサーバに前記第２の完全修飾ドメイン名を送信するステップであって、前記第２の完全修飾ドメイン名は、前記５Ｇネットワーク内の１つ又は複数の候補モビリティ管理ネットワーク要素のアドレス情報を決定するために利用される、ステップと、
前記コンバージドネットワークデバイスによって、前記ＤＮＳサーバから、前記５Ｇネットワーク内の前記候補モビリティ管理ネットワーク要素の前記アドレス情報を受信するステップと、
前記コンバージドネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、
である、
請求項３に記載のハンドオーバ方法。
【請求項７】
前記第２の完全修飾ドメイン名のフォーマットが、前記５Ｇネットワーク内のトラッキングエリアの識別に対応する完全修飾ドメイン名フォーマットである、又は
前記第２の完全修飾ドメイン名のフォーマットが、前記４Ｇネットワーク内のトラッキングエリアの識別に対応する完全修飾ドメイン名フォーマットである、
請求項６に記載のハンドオーバ方法。
【請求項８】
前記コンバージドネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記コンバージドネットワークデバイスによって、前記第２のアクセスデバイスによってサービスされる前記トラッキングエリアの前記識別に基づいて、第３の完全修飾ドメイン名を構成するステップであって、前記第３の完全修飾ドメイン名は、モバイルカントリーコードＭＣＣ、モバイルネットワークコードＭＮＣ、及び、前記第２のアクセスデバイスによってサービスされる前記トラッキングエリアの前記識別におけるトラッキングエリアコードＴＡＣの下位１６ビットを含み、前記第３の完全修飾ドメイン名のフォーマットは、前記４Ｇネットワーク内のトラッキングエリアの識別に対応する完全修飾ドメイン名フォーマットである、ステップと、
前記コンバージドネットワークデバイスによって、ＤＮＳサーバに前記第３の完全修飾ドメイン名を送信するステップであって、前記第３の完全修飾ドメイン名は、前記５Ｇネットワーク内の１つ又は複数の候補モビリティ管理ネットワーク要素のアドレス情報をクエリするために利用される、ステップと、
前記コンバージドネットワークデバイスによって、前記ＤＮＳサーバから、前記５Ｇネットワーク内の前記候補モビリティ管理ネットワーク要素の前記アドレス情報を受信するステップと、
前記コンバージドネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、
である、
請求項３に記載のハンドオーバ方法。
【請求項９】
前記第２のアクセスデバイスによってサービスされる前記トラッキングエリアの前記識別における前記ＴＡＣの前記下位１６ビットは、前記第１のアクセスデバイスによってサービスされるトラッキングエリアの識別におけるＴＡＣと同じである、
請求項８に記載のハンドオーバ方法。
【請求項１０】
前記コンバージドネットワークデバイスによって、前記ターゲットモビリティ管理ネットワーク要素の前記アドレス情報に基づいて、前記ターゲットモビリティ管理ネットワーク要素に移転する前記ステップは、特に、
前記コンバージドネットワークデバイスによって、フォワード移転要求メッセージを前記ターゲットモビリティ管理ネットワーク要素に送信するステップであって、前記フォワード移転要求メッセージは、前記端末の４Ｇコンテキストを搬送し、かつ前記ターゲットモビリティ管理ネットワーク要素に対し、前記端末のためのリソースを準備するように要求するために利用される、ステップである、
請求項４〜９のいずれか１項に記載のハンドオーバ方法。
【請求項１１】
前記コンバージドネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記コンバージドネットワークデバイスによって、前記第２のアクセスデバイスの前記識別子、又は前記第２のアクセスデバイスによってサービスされる前記トラッキングエリアの前記識別をネットワークリポジトリ機能ネットワーク要素に送信するステップであって、
前記第２のアクセスデバイスの前記識別子、又は前記第２のアクセスデバイスによってサービスされる前記トラッキングエリアの前記識別は、前記５Ｇネットワーク内の１つ又は複数の候補モビリティ管理ネットワーク要素のアドレス情報をクエリするために利用される、ステップと、
前記コンバージドネットワークデバイスによって、前記ネットワークリポジトリ機能ネットワーク要素から、前記５Ｇネットワーク内の前記候補モビリティ管理ネットワーク要素の前記アドレス情報を受信するステップと、
前記コンバージドネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、
である、
請求項３に記載のハンドオーバ方法。
【請求項１２】
前記コンバージドネットワークデバイスによって、前記ターゲットモビリティ管理ネットワーク要素の前記アドレス情報に基づいて、前記ターゲットモビリティ管理ネットワーク要素に移転する前記ステップは、特に、
前記コンバージドネットワークデバイスによって、コンテキスト作成要求メッセージを前記ターゲットモビリティ管理ネットワーク要素に送信するステップであって、前記コンテキスト作成要求メッセージは、前記端末の４Ｇコンテキストから変換された５Ｇコンテキストを搬送し、かつ前記端末のためのリソースを準備するように前記ターゲットモビリティ管理ネットワーク要素に要求するために利用される、ステップである、
請求項１１に記載のハンドオーバ方法。
【請求項１３】
前記ハンドオーバ方法は、
前記コンバージドネットワークデバイスによって、前記ターゲットモビリティ管理ネットワーク要素からＮ２通知メッセージを受信するステップであって、前記Ｎ２通知メッセージは、前記端末の関連リソースを解放するように前記コンバージドネットワークデバイスに指示するために利用される、ステップと、
前記コンバージドネットワークデバイスによって、前記Ｎ２通知メッセージに基づいて、前記端末のための前記関連リソースを解放するステップと、
をさらに含む、
請求項１１又は１２に記載のハンドオーバ方法。
【請求項１４】
コンバージドネットワークデバイスであって、前記コンバージドネットワークデバイスは、トランシーバモジュールと、処理モジュールとを含み、
前記トランシーバモジュールは、第１のネットワーク内の第１のアクセスデバイスから、ハンドオーバ要件を受信することであって、前記ハンドオーバ要件は、第２のネットワーク内の第２のアクセスデバイスの識別子、又は前記第２のアクセスデバイスによってサービスされるトラッキングエリアの識別を搬送し、前記第１のネットワーク及び前記第２のネットワークは、異なるタイプのネットワークである、ことを行うように構成され、
前記処理モジュールは、前記第２のアクセスデバイスの前記識別子、又は前記第２のアクセスデバイスによってサービスされる前記トラッキングアリアの前記識別に基づいて、前記第２のアクセスデバイスが前記コンバージドネットワークデバイスによって管理されることを決定するように構成され、
前記トランシーバモジュールは、ハンドオーバ要求を前記第２のアクセスデバイスに送信することであって、前記ハンドオーバ要求は、前記第２のアクセスデバイスに対し、端末のための関連リソースを準備するように要求するために利用される、ことを行うようにさらに構成され、
前記トランシーバモジュールは、ハンドオーバコマンドを前記第１のアクセスデバイスに送信することであって、前記ハンドオーバコマンドは、前記端末を前記第２のアクセスデバイスにハンドオーバするように命令するために利用される、ことを行うようにさらに構成され、
前記トランシーバモジュールは、ハンドオーバ通知を前記第２のアクセスデバイスから受信することであって、前記ハンドオーバ通知は、前記端末が前記第２のアクセスデバイスにハンドオーバされることを示すために利用される、ことを行うようにさらに構成される、
コンバージドネットワークデバイス。
【請求項１５】
コンバージドネットワークデバイスであって、前記コンバージドネットワークデバイスは、トランシーバモジュールと、処理モジュールとを含み、
前記トランシーバモジュールは、第１のネットワーク内の第１のアクセスデバイスから、ハンドオーバ要件を受信することであって、
前記ハンドオーバ要件は、第２のネットワーク内の第２のアクセスデバイスの識別子、又は前記第２のアクセスデバイスによってサービスされるトラッキングエリアの識別を搬送し、前記第１のネットワークは、第４世代４Ｇネットワークであり、前記第２のネットワークは第５世代５Ｇネットワークである、ことを行うように構成され、
前記処理モジュールは、前記第２のアクセスデバイスの前記識別子、又は前記第２のアクセスデバイスによってサービスされる前記トラッキングエリアの前記識別に基づいて、前記第２のアクセスデバイスが前記コンバージドネットワークデバイスによって管理されないことを決定するように構成され、
前記処理モジュールは、前記第２のアクセスデバイスの前記識別子、又は前記第２のアクセスデバイスによってサービスされる前記トラッキングエリアの前記識別に基づいて前記第２のネットワーク内のターゲットモビリティ管理ネットワーク要素のアドレス情報を取得し、前記ターゲットモビリティ管理ネットワーク要素の前記アドレス情報に基づいて前記ターゲットモビリティ管理ネットワーク要素に移転するようにさらに構成され、
前記トランシーバモジュールは、ハンドオーバコマンドを前記第１のアクセスデバイスに送信することであって、前記ハンドオーバコマンドは、前記第１のアクセスデバイスに対し、前記端末を前記第２のアクセスデバイスにハンドオーバするように命令するために利用される、ことを行うようにさらに構成される、
コンバージドネットワークデバイス。
【請求項１６】
前記処理モジュールが、前記第２のアクセスデバイスの前記識別子、又は前記第２のアクセスデバイスによってサービスされる前記トラッキングエリアの前記識別に基づいて前記第２のネットワーク内のターゲットモビリティ管理ネットワーク要素のアドレス情報を取得するように構成されることは、特に、
前記処理モジュールが、
前記第２のアクセスデバイスの前記識別子に基づいて第１の完全修飾ドメイン名を構成することであって、前記第１の完全修飾ドメイン名は、前記第２のアクセスデバイスの前記識別子を含む、ことを行い、
前記第１の完全修飾ドメイン名をドメイン名システムＤＮＳサーバに送信することであって、前記第１の完全修飾ドメイン名は、前記５Ｇネットワーク内の１つ又は複数の候補モビリティ管理ネットワーク要素のアドレス情報を決定するために利用される、ことを行い、
前記５Ｇネットワーク内の前記候補モビリティ管理ネットワーク要素の前記アドレス情報を前記ＤＮＳサーバから受信し、
前記候補モビリティ管理ネットワーク要素の前記アドレス情報から、前記５Ｇネットワーク内の前記ターゲットモビリティ管理ネットワーク要素の前記アドレス情報を選択する
ように構成されることである、
請求項１５に記載のコンバージドネットワークデバイス。
【請求項１７】
前記処理モジュールが、前記第２のアクセスデバイスの前記識別子、又は前記第２のアクセスデバイスによってサービスされる前記トラッキングエリアの前記識別に基づいて前記第２のネットワーク内のターゲットモビリティ管理ネットワーク要素のアドレス情報を取得するように構成されることは、特に、
前記処理モジュールが、
前記第２のアクセスデバイスによってサービスされる前記トラッキングエリアの前記識別に基づいて、第２の完全修飾ドメイン名を構成することであって、前記第２の完全修飾ドメイン名は、前記第２のアクセスデバイスによってサービスされる前記トラッキングエリアの前記識別を含む、ことを行い、
前記第２の完全修飾ドメイン名をＤＮＳサーバに送信することであって、前記第２の完全修飾ドメイン名は、前記５Ｇネットワーク内の１つ又は複数の候補モビリティ管理ネットワーク要素のアドレス情報を決定するために利用される、ことを行い、
前記５Ｇネットワーク内の前記候補モビリティ管理ネットワーク要素の前記アドレス情報を前記ＤＮＳサーバから受信し、
前記候補モビリティ管理ネットワーク要素の前記アドレス情報から、前記５Ｇネットワーク内の前記ターゲットモビリティ管理ネットワーク要素の前記アドレス情報を選択する
ように構成されることである、
請求項１５に記載のコンバージドネットワークデバイス。
【請求項１８】
前記処理モジュールが、前記第２のアクセスデバイスの前記識別子、又は前記第２のアクセスデバイスによってサービスされる前記トラッキングエリアの前記識別に基づいて前記第２のネットワーク内のターゲットモビリティ管理ネットワーク要素のアドレス情報を取得するように構成されることは、特に、
前記処理モジュールが、
前記第２のアクセスデバイスによってサービスされる前記トラッキングエリアの前記識別に基づいて、第３の完全修飾ドメイン名を構成することであって、前記第３の完全修飾ドメイン名は、モバイルカントリーコードＭＣＣ、モバイルネットワークコードＭＮＣ、及び前記第２のアクセスデバイスによってサービスされる前記トラッキングエリアの前記識別内のトラッキングエリアコードＴＡＣの下位１６ビットを含み、前記第３の完全修飾ドメイン名のフォーマットは、前記４Ｇネットワーク内のトラッキングエリアの識別に対応する完全修飾ドメイン名フォーマットである、ことを行い、
前記第３の完全修飾ドメイン名をＤＮＳサーバに送信することであって、前記第３の完全修飾ドメイン名は、前記５Ｇネットワーク内の１つ又は複数の候補モビリティ管理ネットワーク要素のアドレス情報をクエリするために利用される、ことを行い、
前記５Ｇネットワーク内の前記候補モビリティ管理ネットワーク要素の前記アドレス情報を前記ＤＮＳサーバから受信し、
前記候補モビリティ管理ネットワーク要素の前記アドレス情報から、前記５Ｇネットワーク内の前記ターゲットモビリティ管理ネットワーク要素の前記アドレス情報を選択する
ように構成されることである、
請求項１５に記載のコンバージドネットワークデバイス。
【請求項１９】
前記処理モジュールが、前記ターゲットモビリティ管理ネットワーク要素の前記アドレス情報に基づいて前記ターゲットモビリティ管理ネットワーク要素に移転するように構成されることは、特に、
前記処理モジュールが、フォワード移転要求メッセージを前記ターゲットモビリティ管理ネットワーク要素に送信することであって、前記フォワード移転要求メッセージは、前記端末の４Ｇコンテキストを搬送し、かつ前記ターゲットモビリティ管理ネットワーク要素に対し、前記端末のためのリソースを準備するように要求するために利用される、ことを行うように構成されることである、
請求項１６〜１８のいずれか１項に記載のコンバージドネットワークデバイス。
【請求項２０】
前記処理モジュールが、前記第２のアクセスデバイスの前記識別子、又は前記第２のアクセスデバイスによってサービスされる前記トラッキングエリアの前記識別に基づいて前記第２のネットワーク内のターゲットモビリティ管理ネットワーク要素のアドレス情報を取得するように構成されることは、特に、
前記処理モジュールが、
前記第２のアクセスデバイスの前記識別子、又は前記第２のアクセスデバイスによってサービスされる前記トラッキングエリアの前記識別をネットワークリポジトリ機能ネットワーク要素に送信することであって、前記第２のアクセスデバイスの前記識別子、又は前記第２のアクセスデバイスによってサービスされる前記トラッキングエリアの前記識別は、前記５Ｇネットワーク内の１つ又は複数の候補モビリティ管理ネットワーク要素のアドレス情報をクエリするために利用される、ことを行い、
前記５Ｇネットワーク内の前記候補モビリティ管理ネットワーク要素の前記アドレス情報を前記ネットワークリポジトリ機能ネットワーク要素から受信し、
前記候補モビリティ管理ネットワーク要素の前記アドレス情報から、前記５Ｇネットワーク内の前記ターゲットモビリティ管理ネットワーク要素の前記アドレス情報を選択する
ように構成されることである、
請求項１５に記載のコンバージドネットワークデバイス。
【請求項２１】
前記処理モジュールが、前記ターゲットモビリティ管理ネットワーク要素の前記アドレス情報に基づいて前記ターゲットモビリティ管理ネットワーク要素に移転するように構成されることは、特に、
前記処理モジュールが、コンテキスト作成要求メッセージを前記ターゲットモビリティ管理ネットワーク要素に送信することであって、前記コンテキスト作成要求メッセージは、前記端末の４Ｇコンテキストから変換された５Ｇコンテキストを搬送し、かつ前記ターゲットモビリティ管理ネットワーク要素に対し、前記端末のためのリソースを準備するように要求するために利用される、ことを行うように構成されることである、
請求項２０に記載のコンバージドネットワークデバイス。
【請求項２２】
前記トランシーバモジュールは、Ｎ２通知メッセージを前記ターゲットモビリティ管理ネットワーク要素から受信することであって、前記Ｎ２通知メッセージは、前記端末の関連リソースを解放するように前記コンバージドネットワークデバイスに指示するために利用される、ことを行うようにさらに構成され、
前記処理モジュールは、前記Ｎ２通知メッセージに基づいて、前記端末のための前記関連リソースを解放するようにさらに構成される、
請求項２０又は２１に記載のコンバージドネットワークデバイス。
【請求項２３】
ハンドオーバシステムであって、前記ハンドオーバシステムは、コンバージドネットワークデバイスと、第１のネットワーク内の第１のアクセスデバイスと、第２のネットワーク内の第２のアクセスデバイスとを含み、前記第１のネットワークと前記第２のネットワークとは異なるタイプのネットワークであり、
前記第１のアクセスデバイスは、ハンドオーバ要件を前記コンバージドネットワークデバイスに送信することであって、前記ハンドオーバ要件は、前記第２のアクセスデバイスの識別子、又は前記第２のアクセスデバイスによってサービスされるトラッキングエリアの識別を搬送する、ことを行うように構成され、
前記コンバージドネットワークデバイスは、
前記ハンドオーバ要件を前記第１のアクセスデバイスから受信し、
前記第２のアクセスデバイスの前記識別子、又は前記第２のアクセスデバイスによってサービスされる前記トラッキングエリアの前記識別に基づいて、前記第２のアクセスデバイスが前記コンバージドネットワークデバイスによって管理されることを決定し、
ハンドオーバ要求を前記第２のアクセスデバイスに送信することであって、前記ハンドオーバ要求は、前記第２のアクセスデバイスに対し、端末のための関連リソースを準備するように要求するために利用される、ことを行う、
ように構成され、
前記第２のアクセスデバイスは、前記ハンドオーバ要求を前記コンバージドネットワークデバイスから受信し、前記ハンドオーバ要求に基づいて、前記端末のための前記関連リソースを準備するように構成され、
前記コンバージドネットワークデバイスは、ハンドオーバコマンドを前記第１のアクセスデバイスに送信することであって、前記ハンドオーバコマンドは、前記端末を前記第２のアクセスデバイスにハンドオーバするように命令するために利用される、ことを行うようにさらに構成され、
前記第１のアクセスデバイスは、前記ハンドオーバコマンドを前記コンバージドネットワークデバイスから受信し、前記ハンドオーバコマンドを前記端末に送信するようにさらに構成され、
前記第２のアクセスデバイスは、ハンドオーバ通知を前記コンバージドネットワークデバイスに送信することであって、前記ハンドオーバ通知は、前記端末が前記第２のアクセスデバイスにハンドオーバされることを示すために利用される、ことを行うようにさらに構成され、
前記コンバージドネットワークデバイスは、前記ハンドオーバ通知を前記第２のアクセスデバイスから受信するようにさらに構成される、
ハンドオーバシステム。
【請求項２４】
ハンドオーバシステムであって、前記ハンドオーバシステムは、コンバージドネットワークデバイスと、第１のネットワーク内の第１のアクセスデバイスと、第２のネットワーク内の第２のアクセスデバイスと、前記第２のネットワーク内のターゲットモビリティ管理ネットワーク要素とを含み、前記第１のネットワークは、第４世代４Ｇネットワークであり、前記第２のネットワークは、第５世代５Ｇネットワークであり、
前記第１のアクセスデバイスは、ハンドオーバ要件を前記コンバージドネットワークデバイスに送信することであって、前記ハンドオーバ要件は、前記第２のアクセスデバイスの識別子、又は前記第２のアクセスデバイスによってサービスされるトラッキングエリアの識別を搬送する、ことを行うように構成され、
前記コンバージドネットワークデバイスは、
前記ハンドオーバ要件を前記第１のアクセスデバイスから受信し、
前記第２のアクセスデバイスの前記識別子、又は前記第２のアクセスデバイスによってサービスされる前記トラッキングエリアの前記識別に基づいて、前記第２のアクセスデバイスが前記コンバージドネットワークデバイスによって管理されないことを決定し、
前記第２のアクセスデバイスの前記識別子、又は前記第２のアクセスデバイスによってサービスされる前記トラッキングエリアの前記識別に基づいて、前記ターゲットモビリティ管理要素のアドレス情報を取得し、
前記ターゲットモビリティ管理要素の前記アドレス情報に基づいて前記ターゲットモビリティ管理要素に移転する、
ように構成され、
前記ターゲットモビリティ管理要素は、ハンドオーバ要求を前記第２のアクセスデバイスに送信することであって、前記ハンドオーバ要求は、前記第２のアクセスデバイスに対し、端末の関連リソースを準備するように要求するために利用される、ことを行うように構成され、
前記第２のアクセスデバイスは、前記ハンドオーバ要求を前記コンバージドネットワークデバイスから受信し、前記ハンドオーバ要求に基づいて前記端末のための前記関連リソースを準備するように構成され、
前記コンバージドネットワークデバイスは、ハンドオーバコマンドを前記第１のアクセスデバイスに送信することであって、前記ハンドオーバコマンドは、前記第１のアクセスデバイスに対し、前記端末を前記第２のアクセスデバイスにハンドオーバするように命令するために利用される、ことを行うようにさらに構成され、
前記第１のアクセスデバイスは、前記ハンドオーバコマンドを前記コンバージドネットワークデバイスから受信し、前記ハンドオーバコマンドを前記端末に送信するようにさらに構成され、
前記第２のアクセスデバイスは、ハンドオーバ通知を前記ターゲットモビリティ管理要素に送信することであって、前記ハンドオーバ通知は、前記端末が前記第２のアクセスデバイスにハンドオーバされることを示すために利用される、ことを行うようにさらに構成され、
前記ターゲットモビリティ管理要素は、前記ハンドオーバ通知を前記第２のアクセスデバイスから受信するようにさらに構成される、
ハンドオーバシステム。
【請求項２５】
プロセッサと、メモリとを備えるコンバージドネットワークデバイスであって、前記メモリは、コンピュータ実行命令を格納するように構成され、前記コンバージドネットワークデバイスが動作するとき、前記プロセッサは、前記メモリに格納された前記コンピュータ実行命令を実行して、前記コンバージドネットワークデバイスが請求項１又は２に記載の前記ハンドオーバ方法を実行できるようにする、
コンバージドネットワークデバイス。
【請求項２６】
プロセッサと、メモリとを備えるコンバージドネットワークデバイスであって、前記メモリは、コンピュータ実行命令を格納するように構成され、前記コンバージドネットワークデバイスが動作するとき、前記プロセッサは、前記メモリに格納された前記コンピュータ実行命令を実行して、前記コンバージドネットワークデバイスが請求項３〜１３のいずれか１項に記載の前記ハンドオーバ方法を実行できるようにする、
コンバージドネットワークデバイス。
【請求項２７】
コンピュータプログラムを格納するように構成されたメモリと、
前記コンピュータプログラムを前記メモリから呼び出し、前記コンピュータプログラムを実行して、請求項１又は２に記載の前記ハンドオーバ方法、或いは、請求項３〜１３のいずれか１項に記載の前記ハンドオーバ方法を実行するように構成されたプロセッサと
を備える、処理装置。
【請求項２８】
請求項１又は２に記載の前記ハンドオーバ方法、或いは、請求項３〜１３のいずれか１項に記載の前記ハンドオーバ方法を実行するように構成された、プロセッサ。
【請求項２９】
チップシステムであって、
コンピュータプログラムを格納するように構成されたメモリと、
前記コンピュータプログラムを前記メモリから呼び出し、前記コンピュータプログラムを実行し、それによって、前記チップシステムが搭載されたデバイスが請求項１又は２に記載の前記ハンドオーバ方法、或いは、請求項３〜１３のいずれか１項に記載の前記ハンドオーバ方法を実行する、ように構成されたプロセッサと
を備える、チップシステム。
【請求項３０】
コンピュータプログラムを含むコンピュータ可読記録媒体であって、前記コンピュータプログラムがコンピュータ上で実行されるとき、前記コンピュータが請求項１又は２に記載の前記ハンドオーバ方法、或いは、請求項３〜１３のいずれか１項に記載の前記ハンドオーバ方法を実行できるようにする、コンピュータ可読記録媒体。
【請求項３１】
コンピュータプログラム製品であって、前記コンピュータプログラム製品は、コンピュータプログラムを含み、前記コンピュータプログラムがコンピュータ上で実行されるとき、前記コンピュータが請求項１又は２に記載の前記ハンドオーバ方法、或いは、請求項３〜１３のいずれか１項に記載の前記ハンドオーバ方法を実行できるようにする、コンピュータプログラム製品。
【請求項３２】
請求項１又は２に記載の前記データ送信方法を実行するように構成された、装置。
【請求項３３】
請求項３〜１３のいずれか１項に記載の前記データ送信方法を実行するように構成された、装置。
【発明の詳細な説明】
【技術分野】
【０００１】
本出願は、その全体が参照により本明細書に組み込まれる、「ＨＡＮＤＯＶＥＲ  ＭＥＴＨＯＤ，ＤＥＶＩＣＥ，ＡＮＤ  ＳＹＳＴＥＭ」と題する、２０１８年７月１７日に中国国家知識産権局に出願された中国特許出願第２０１８１０７８３７００．０号の優先権を主張する。
【０００２】
本出願は、通信技術の分野に関し、特に、ハンドオーバの方法及びシステム、並びにデバイスに関する。
【背景技術】
【０００３】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）の技術仕様（Ｔｅｃｈｎｉｃａｌ  Ｓｐｅｃｉｆｉｃａｔｉｏｎ、ＴＳ）２３．５０１では、第４世代（４ｔｈ  Ｇｅｎｅｒａｔｉｏｎ、４Ｇ）ネットワークと第５世代（５ｔｈ  Ｇｅｎｅｒａｔｉｏｎ、５Ｇ）ネットワークとの中での端末の相互動作プロシージャが定義されている。例えば、相互動作プロシージャは、５Ｇネットワークから４Ｇネットワークに端末をハンドオーバする処理又は４Ｇネットワークから５Ｇネットワークに端末をハンドオーバする処理を含む。
【０００４】
４Ｇネットワークと５Ｇネットワークとの間の相互動作を実施するために、４Ｇネットワークと５Ｇネットワークとの間にあり、現在３ＧＰＰ規格グループで議論されている相互動作アーキテクチャにおいて、Ｎ２６インターフェースが、５Ｇネットワーク中のアクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワーク要素と４Ｇネットワーク中のモビリティ管理エンティティ（Ｍｏｂｉｌｉｔｙ  Ｍａｎａｇｅｍｅｎｔ  Ｅｎｔｉｔｙ、ＭＭＥ）との間に追加される。ＭＭＥネットワーク要素とＡＭＦネットワーク要素の間の通信は、Ｎ２６インターフェースを使用することによって実施され得る。
【０００５】
しかし、一態様において、上記の相互動作プロシージャが上記の相互動作アーキテクチャを使用することによって実行されるとき、より多くのシグナリング対話が追加される必要がある。例えば、５Ｇネットワークから４Ｇネットワークに端末をハンドオーバするプロセスでは、ソース（Ｓｏｕｒｃｅ）ＡＭＦネットワーク要素は、ターゲット（Ｔａｒｇｅｔ）ＭＭＥのアドレス情報を取得し、ターゲットＭＭＥのアドレス情報に基づいてターゲットＭＭＥに移転する必要があるか、又は４Ｇネットワークから５Ｇネットワークに端末をハンドオーバするプロセスでは、ソース（Ｓｏｕｒｃｅ）ＭＭＥは、ターゲット（Ｔａｒｇｅｔ）ＡＭＦネットワーク要素のアドレス情報を取得し、ターゲットＡＭＦネットワーク要素のアドレス情報に基づいてターゲットＭＭＥに移転する必要がある。別の態様において、４Ｇネットワークから５Ｇネットワークに端末をハンドオーバするプロセスでは、ソース（Ｓｏｕｒｃｅ）ＭＭＥがターゲット（Ｔａｒｇｅｔ）ＡＭＦネットワーク要素にどのようにクエリするのかは、３ＧＰＰプロトコルに現在定義されていない。言い換えれば、現在、４Ｇネットワークから５Ｇネットワークへの端末のハンドオーバは実際に実施され得ない。
【０００６】
従って、端末のハンドオーバ手順をどのように簡略化するのか、及び４Ｇネットワークから５Ｇネットワークへの端末のハンドオーバをどのように実施するのかは、現在解決されるべき緊急の問題である。
【発明の概要】
【０００７】
本出願の実施形態は、端末のハンドオーバ手順を簡略化し、４Ｇネットワークから５Ｇネットワークへの端末のハンドオーバを実施するためのハンドオーバの方法及びシステム、並びにデバイスを提供する。
【０００８】
上記の目的を達成するために、以下の技術的解決策が本出願の実施形態において使用される。
【０００９】
第１の態様によれば、ハンドオーバの方法が提供される。ハンドオーバの方法は、以下を含む。コンバージドネットワークデバイスは、第１のネットワーク中の第１のアクセスデバイスからハンドオーバ要件を受信する。ハンドオーバ要件は、第２のネットワーク中の第２のアクセスデバイスの識別子又は第２のアクセスデバイスによってサービスされるトラッキングエリアの識別を搬送する。第１のネットワークと第２のネットワークとは、異なるタイプのネットワークである。コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定する。コンバージドネットワークデバイスは、第２のアクセスデバイスにハンドオーバ要求を送信する。ハンドオーバ要求は、第２のアクセスデバイスに端末のための関連リソースを準備するように要求するために使用される。コンバージドネットワークデバイスは、第１のアクセスデバイスにハンドオーバコマンドを送信する。ハンドオーバコマンドは、第２のアクセスデバイスに端末をハンドオーバするように命令するために使用される。コンバージドネットワークデバイスは、第２のアクセスデバイスからハンドオーバ通知を受信する。ハンドオーバ通知は、端末が第２のアクセスデバイスにハンドオーバされることを示すために使用される。この解決策に基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、次いで、第２のアクセスデバイスに、端末のための関連リソースを準備するように第２のアクセスデバイスに要求するためのハンドオーバ要求を直接送信し、第１のアクセスデバイスに、第２のアクセスデバイスに端末をハンドオーバするように第１のアクセスデバイスに命令するためのハンドオーバコマンドを送信してもよく、従って、第１のネットワークから第２のネットワークへの端末のハンドオーバが実施され得る。これは、第１のネットワークと第２のネットワークとが異なるタイプのネットワークであるとき、ソースモビリティ管理ネットワーク要素は、ターゲットモビリティ管理ネットワーク要素のアドレス情報を最初にクエリし、次いで、第１のネットワークから第２のネットワークへの端末のハンドオーバを実施するためにターゲットモビリティ管理ネットワーク要素に移転する必要がある従来技術とは異なる。このようにして、ネットワーク要素間でのメッセージ対話が低減され、端末のハンドオーバ手順が簡略化される。さらに、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバの方法におけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、従って、ハードウェアリソースが共有されて、リソースの利用効率と投資利益率とを改善する。
【００１０】
任意選択で、本出願のこの実施形態では、第１のネットワークは、第５世代５Ｇネットワークであり、第２のネットワークは、第４世代４Ｇネットワークである。代替として、第１のネットワークは４Ｇネットワークであり、第２のネットワークは５Ｇネットワークである。
【００１１】
第２の態様によれば、ハンドオーバの方法が提供される。ハンドオーバの方法は、以下を含む。コンバージドネットワークデバイスは、第１のネットワーク中の第１のアクセスデバイスからハンドオーバ要件を受信する。ハンドオーバ要件は、第２のネットワーク中の第２のアクセスデバイスの識別子又は第２のアクセスデバイスによってサービスされるトラッキングエリアの識別を搬送する。第１のネットワークは第４世代４Ｇネットワークであり、第２のネットワークは第５世代５Ｇネットワークである。コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されないと決定する。コンバージドネットワークデバイスは、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転する。コンバージドネットワークデバイスは、第１のアクセスデバイスにハンドオーバコマンドを送信する。ハンドオーバコマンドは、第２のアクセスデバイスに端末をハンドオーバするように第１のアクセスデバイスに命令するために使用される。この解決策に基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、次いで、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転し得る。従って、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバの方法におけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、従って、ハードウェアリソースが共有されて、リソースの利用率と投資利益率とを改善する。
【００１２】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスの識別子に基づいて第１の完全修飾ドメイン名を構築することである。第１の完全修飾ドメイン名は、第２のアクセスデバイスの識別子を含む。コンバージドネットワークデバイスは、ドメイン名システムＤＮＳサーバに第１の完全修飾ドメイン名を送信する。第１の完全修飾ドメイン名は、５Ｇネットワーク中の１つ又は複数の候補モビリティ管理ネットワーク要素のアドレス情報を決定するために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１３】
任意選択で、本出願のこの実施形態では、第１の完全修飾ドメイン名のフォーマットは、５Ｇネットワーク中のアクセスデバイスの識別子に対応する完全修飾ドメイン名フォーマットであるか、又は第１の完全修飾ドメイン名のフォーマットは、４Ｇネットワーク中のアクセスデバイスの識別子に対応する完全修飾ドメイン名フォーマットである。
【００１４】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスによってサービスされるトラッキングエリアの識別に基づいて第２の完全修飾ドメイン名を構築することである。第２の完全修飾ドメイン名は、第２のアクセスデバイスによってサービスされるトラッキングエリアの識別を含む。コンバージドネットワークデバイスは、ＤＮＳサーバに第２の完全修飾ドメイン名を送信する。第２の完全修飾ドメイン名は、５Ｇネットワーク中の１つ又は複数の候補モビリティ管理ネットワーク要素のアドレス情報を決定するために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１５】
任意選択で、本出願のこの実施形態では、第２の完全修飾ドメイン名のフォーマットは、５Ｇネットワーク中のトラッキングエリアの識別に対応する完全修飾ドメイン名フォーマットであるか、又は第２の完全修飾ドメイン名のフォーマットは、４Ｇネットワーク中のトラッキングエリアの識別に対応する完全修飾ドメイン名フォーマットである。
【００１６】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスによってサービスされるトラッキングエリアの識別に基づいて第３の完全修飾ドメイン名を構築することである。第３の完全修飾ドメイン名は、第２のアクセスデバイスによってサービスされるトラッキングエリアの識別中にモバイルカントリーコードＭＣＣと、モバイルネットワークコードＭＮＣと、トラッキングエリアコードＴＡＣの下位１６ビットとを含む。第３の完全修飾ドメイン名のフォーマットは、４Ｇネットワーク中のトラッキングエリアの識別に対応する完全修飾ドメイン名フォーマットである。コンバージドネットワークデバイスは、ＤＮＳサーバに第３の完全修飾ドメイン名を送信する。第３の完全修飾ドメイン名は、５Ｇネットワーク中の１つ又は複数の候補モビリティ管理ネットワーク要素のアドレス情報をクエリするために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１７】
可能な設計では、第２のアクセスデバイスによってサービスされるトラッキングエリアの識別中のＴＡＣの下位１６ビットは、第１のアクセスデバイスによってサービスされるトラッキングエリアの識別中のＴＡＣと同じである。このようにして、第２のネットワーク中の候補モビリティ管理ネットワーク要素のアドレス情報が決定されるとき、第２のネットワーク中の候補モビリティ管理ネットワーク要素のアドレス情報は、第２のアクセスデバイスによってサービスされるトラッキングエリアの識別中のＴＡＣの下位１６ビットに基づいて一意に決定され得る。候補モビリティ管理ネットワーク要素のアドレス情報は、実際に、候補コンバージドネットワークデバイスのアドレス情報である。これは、本出願のこの実施形態では特に限定されない。
【００１８】
可能な設計では、コンバージドネットワークデバイスが、ターゲットモビリティ管理ネットワーク要素のアドレス情報に基づいてターゲットモビリティ管理ネットワーク要素に移転することは、特に、コンバージドネットワークデバイスが、ターゲットモビリティ管理ネットワーク要素にフォワード移転要求メッセージを送信することである。フォワード移転要求メッセージは、端末の４Ｇコンテキストを搬送し、端末のためのリソースを準備するようにターゲットモビリティ管理ネットワーク要素に要求するために使用される。言い換えれば、コンバージドネットワークデバイスは、５Ｇネットワーク中のターゲットモビリティ管理ネットワーク要素に移転するために４Ｇネットワーク中のモビリティ管理ネットワーク要素として働き得る。
【００１９】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、ネットワークリポジトリ機能ネットワーク要素に第２のアクセスデバイスの識別子又は第２のアクセスデバイスによってサービスされるトラッキングエリアの識別を送信することである。第２のアクセスデバイスの識別子又は第２のアクセスデバイスによってサービスされるトラッキングエリアの識別は、５Ｇネットワーク中の１つ又は複数の候補モビリティ管理ネットワーク要素のアドレス情報をクエリするために使用される。コンバージドネットワークデバイスは、ネットワークリポジトリ機能ネットワーク要素から５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００２０】
可能な設計では、コンバージドネットワークデバイスが、ターゲットモビリティ管理ネットワーク要素のアドレス情報に基づいてターゲットモビリティ管理ネットワーク要素に移転することは、特に、コンバージドネットワークデバイスが、ターゲットモビリティ管理ネットワーク要素にコンテキスト作成要求メッセージを送信することである。コンテキスト作成要求メッセージは、端末の４Ｇコンテキストから変換された５Ｇコンテキストを搬送し、端末のためのリソースを準備するようにターゲットモビリティ管理ネットワーク要素に要求するために使用される。言い換えれば、コンバージドネットワークデバイスは、５Ｇネットワーク中のターゲットモビリティ管理ネットワーク要素に移転するために５Ｇネットワーク中のモビリティ管理ネットワーク要素として働き得る。
【００２１】
可能な設計では、本出願のこの実施形態において提供されるハンドオーバの方法は、以下をさらに含む。コンバージドネットワークデバイスは、ターゲットモビリティ管理ネットワーク要素からＮ２通知メッセージを受信する。Ｎ２通知メッセージは、端末の関連リソースを解放するようにコンバージドネットワークデバイスに指示するために使用される。コンバージドネットワークデバイスは、Ｎ２通知メッセージに基づいて端末の関連リソースを解放する。この解決策に基づいて、コンバージドネットワークデバイスは、端末の関連リソースを解放し、従って、コンバージドネットワークデバイスのストレージスペースが節約される。
【００２２】
第３の態様によれば、コンバージドネットワークデバイスが提供される。コンバージドネットワークデバイスは、第１の態様又は第２の態様における方法を実施するための機能を有する。機能は、ハードウェアによって実施され得るか、又は対応するソフトウェアを実行するハードウェアによって実施され得る。ハードウェア又はソフトウェアは、上記の機能に対応する１つ又は複数のモジュールを含む。
【００２３】
第４の態様によれば、プロセッサとメモリとを含むコンバージドネットワークデバイスが提供される。メモリは、コンピュータ実行命令を記憶するように構成される。コンバージドネットワークデバイスが動作するとき、プロセッサは、第１の態様又は第２の態様におけるハンドオーバの方法をコンバージドネットワークデバイスが実行することを可能にするためにメモリ中に記憶されたコンピュータ実行命令を実行する。
【００２４】
第５の態様によれば、コンバージドネットワークデバイスが提供される。コンバージドネットワークデバイスは、プロセッサを含む。プロセッサは、メモリに結合し、メモリ中の命令を読み取った後に命令に基づいて第１の態様又は第２の態様におけるハンドオーバの方法を実行するように構成される。
【００２５】
第６の態様によれば、コンピュータ可読記憶媒体が提供される。コンピュータ可読記憶媒体は、命令を記憶する。命令がコンピュータ上で実行されるとき、コンピュータは、第１の態様又は第２の態様におけるハンドオーバの方法を実行することを可能にされる。
【００２６】
第７の態様によれば、命令を含むコンピュータプログラム製品が提供される。コンピュータプログラム製品がコンピュータ上で実行されるとき、コンピュータは、第１の態様又は第２の態様におけるハンドオーバの方法を実行することを可能にされる。
【００２７】
第８の態様によれば、装置（例えば、装置はチップシステムであり得る）が提供される。装置は、コンバージドネットワークデバイスが、第１の態様又は第２の態様における関係機能、例えば、第２のアクセスデバイスの識別子又は第２のアクセスデバイスによってサービスされるトラッキングエリアの識別に基づいて、第２のアクセスデバイスがコンバージドネットワークデバイスによって管理されると決定すること、をサポートするように構成されたプロセッサを含む。可能な設計では、装置はメモリをさらに含む。メモリは、コンバージドネットワークデバイスのために必要であるプログラム命令とデータとを記憶するように構成される。装置がチップシステムであるとき、装置は、チップを含み得るか、又はチップと別の個別デバイスとを含み得る。
【００２８】
第３の態様から第８の態様における任意の設計方式によってもたらされる技術的効果については、第１の態様又は第２の態様における異なる設計方式によってもたらされる技術的効果を参照されたい。本明細書では、詳細を再び説明しない。
【００２９】
第９の態様によれば、ハンドオーバのシステムが提供される。ハンドオーバのシステムは、コンバージドネットワークデバイスと、第１のネットワーク中の第１のアクセスデバイスと、第２のネットワーク中の第２のアクセスデバイスとを含む。第１のネットワークと第２のネットワークとは、異なるタイプのネットワークである。第１のアクセスデバイスは、コンバージドネットワークデバイスにハンドオーバ要件を送信するように構成される。ハンドオーバ要件は、第２のアクセスデバイスの識別子又は第２のアクセスデバイスによってサービスされるトラッキングエリアの識別を搬送する。コンバージドネットワークデバイスは、第１のアクセスデバイスからハンドオーバ要件を受信することと、第２のアクセスデバイスの識別子又は第２のアクセスデバイスによってサービスされるトラッキングエリアの識別に基づいて、第２のアクセスデバイスがコンバージドネットワークデバイスによって管理されると決定することと、第２のアクセスデバイスにハンドオーバ要求を送信することとを行うように構成される。ハンドオーバ要求は、第２のアクセスデバイスに端末のための関連リソースを準備するように要求するために使用される。第２のアクセスデバイスは、コンバージドネットワークデバイスからハンドオーバ要求を受信することと、ハンドオーバ要求に基づいて端末のための関連リソースを準備することとを行うように構成される。コンバージドネットワークデバイスは、第１のアクセスデバイスにハンドオーバコマンドを送信するようにさらに構成される。ハンドオーバコマンドは、第２のアクセスデバイスに端末をハンドオーバするように命令するために使用される。第１のアクセスデバイスは、コンバージドネットワークデバイスからハンドオーバコマンドを受信することと、端末にハンドオーバコマンドを送信することとを行うようにさらに構成される。第２のアクセスデバイスは、コンバージドネットワークデバイスにハンドオーバ通知を送信するようにさらに構成される。ハンドオーバ通知は、端末が第２のアクセスデバイスにハンドオーバされることを示すために使用される。コンバージドネットワークデバイスは、第２のアクセスデバイスからハンドオーバ通知を受信するようにさらに構成される。
【００３０】
第９の態様の技術的効果については、第１の態様の技術的効果を参照されたい。本明細書では、詳細を再び説明しない。
【００３１】
第１０の態様によれば、ハンドオーバのシステムが提供される。ハンドオーバのシステムは、コンバージドネットワークデバイスと、第１のネットワーク中の第１のアクセスデバイスと、第２のネットワーク中の第２のアクセスデバイスと、第２のネットワーク中のターゲットモビリティ管理ネットワーク要素とを含む。第１のネットワークは第４世代４Ｇネットワークであり、第２のネットワークは第５世代５Ｇネットワークである。第１のアクセスデバイスは、コンバージドネットワークデバイスにハンドオーバ要件を送信するように構成される。ハンドオーバ要件は、第２のアクセスデバイスの識別子又は第２のアクセスデバイスによってサービスされるトラッキングエリアの識別を搬送する。コンバージドネットワークデバイスは、第１のアクセスデバイスからハンドオーバ要件を受信することと、第２のアクセスデバイスの識別子又は第２のアクセスデバイスによってサービスされるトラッキングエリアの識別に基づいて、第２のアクセスデバイスがコンバージドネットワークデバイスによって管理されないと決定することと、第２のアクセスデバイスの識別子又は第２のアクセスデバイスによってサービスされるトラッキングエリアの識別に基づいてターゲットモビリティ管理ネットワーク要素のアドレス情報を取得することと、ターゲットモビリティ管理ネットワーク要素のアドレス情報に基づいてターゲットモビリティ管理ネットワーク要素に移転することとを行うように構成される。ターゲットモビリティ管理ネットワーク要素は、第２のアクセスデバイスにハンドオーバ要求を送信するように構成される。ハンドオーバ要求は、第２のアクセスデバイスに端末のための関連リソースを準備するように要求するために使用される。第２のアクセスデバイスは、コンバージドネットワークデバイスからハンドオーバ要求を受信することと、端末のための関連リソースを準備することとを行うように構成される。コンバージドネットワークデバイスは、第１のアクセスデバイスにハンドオーバコマンドを送信するようにさらに構成される。ハンドオーバコマンドは、第２のアクセスデバイスに端末をハンドオーバするように第１のアクセスデバイスに命令するために使用される。第１のアクセスデバイスは、コンバージドネットワークデバイスからハンドオーバコマンドを受信することと、端末にハンドオーバコマンドを送信することとを行うようにさらに構成される。第２のアクセスデバイスは、ターゲットモビリティ管理ネットワーク要素にハンドオーバ通知を送信するようにさらに構成される。ハンドオーバ通知は、端末が第２のアクセスデバイスにハンドオーバされることを示すために使用される。ターゲットモビリティ管理ネットワーク要素は、第２のアクセスデバイスからハンドオーバ通知を受信するようにさらに構成される。
【００３２】
第１０の態様の技術的効果については、第２の態様の技術的効果を参照されたい。本明細書では、詳細を再び説明しない。
【００３３】
本出願のこれらの態様又は他の態様は、以下の実施形態の説明でより明瞭で、より理解可能になる。
【図面の簡単な説明】
【００３４】
【図１】本出願の一実施形態による、ハンドオーバのシステムの概略構造図である。
【図２】本出願の一実施形態による、４Ｇネットワーク及び５Ｇネットワーク中にハンドオーバのシステムを適用することの概略図である。
【図３】本出願の一実施形態による、通信デバイスのハードウェアの概略構造図である。
【図４】既存の４Ｇネットワーク中でのＭＭＥとＥ−ＵＴＲＡＮデバイスとのネットワーク展開の概略図である。
【図５】既存の４Ｇネットワーク中でのＥ−ＵＴＲＡＮデバイスの識別子のフォーマットと４Ｇ−ＴＡＩのフォーマットとの概略図である。
【図６】既存の５Ｇネットワーク中でのＡＭＦネットワーク要素とＮＧ−ＡＮデバイスとのネットワーク展開の概略図である。
【図７】既存の５Ｇネットワーク中でのＮＧ−ＡＮデバイスの識別子のフォーマットと５Ｇ−ＴＡＩのフォーマットとの概略図である。
【図８Ａ】本出願の一実施形態による、ハンドオーバの方法の概略フローチャート１である。
【図８Ｂ】本出願の一実施形態による、ハンドオーバの方法の概略フローチャート１である。
【図９】本出願の一実施形態による、４Ｇ−ＴＡＩと５Ｇ−ＴＡＩとの間のマッピング関係の概略図である。
【図１０Ａ】本出願の一実施形態による、ハンドオーバの方法の概略フローチャート２である。
【図１０Ｂ】本出願の一実施形態による、ハンドオーバの方法の概略フローチャート２である。
【図１１Ａ】本出願の一実施形態による、ハンドオーバの方法の概略フローチャート３である。
【図１１Ｂ】本出願の一実施形態による、ハンドオーバの方法の概略フローチャート３である。
【図１２】本出願の一実施形態による、コンバージドネットワークデバイスの概略構造図である。
【発明を実施するための形態】
【００３５】
以下に、本出願の実施形態における添付の図面を参照しながら本出願の実施形態における技術的解決策について説明する。本出願の説明では、別段に規定されていない限り、「／」は、関連する対象物間での「又は」関係を表す。例えば、Ａ／Ｂは、Ａ又はＢを表し得る。本出願では、「及び／又は」は、関連する対象物について説明するための関連付け関係を表すにすぎず、３つの関係が存在し得ることを表す。例えば、Ａ及び／又はＢは、以下の３つの場合を表し得る。Ａのみが存在し、ＡとＢとの両方が存在し、Ｂのみが存在し、ここで、Ａ又はＢは単数又は複数であり得る。さらに、本出願の説明では、別段に規定されていない限り、「複数の」は、２つ又は３つ以上を意味する。「以下のうちの少なくとも１つ」又はそれの同様の表現は、単一のアイテム又は複数のアイテムの任意の組合せを含むこれらのアイテムの任意の組合せを意味する。例えば、ａ、ｂ、又はｃのうちの少なくとも１つは、ａ、ｂ、ｃ、ａ−ｂ、ａ−ｃ、ｂ−ｃ、又はａ−ｂ−ｃを表してもよく、ここで、ａ、ｂ、及びｃは、単数又は複数であり得る。さらに、本出願の実施形態における技術的解決策を明確に記述するために、「第１の」及び「第２」などの用語は、本出願の実施形態では、同じアイテム又は基本的に同じ機能又は目的を有する同様のアイテムの間で区別するために使用される。当業者は、「第１の」及び「第２」などの用語が、量又は実行シーケンスを限定せず、「第１の」及び「第２」などの用語が、明確に異なるものであることをも意味しないことを理解し得る。
【００３６】
さらに、本出願の実施形態において説明されるネットワークアーキテクチャ及びサービスシナリオは、本出願の実施形態における技術的解決策をより明確に説明するよう意図されたものであり、本出願の実施形態で提供される技術的解決策に限定を構成しない。当業者は、以下について学習し得る。ネットワークアーキテクチャの発展及び新しいサービスシナリオの出現とともに、本出願の実施形態で提供される技術的解決策はまた、同様の技術的問題に適用可能である。
【００３７】
図１は、本出願の一実施形態による、ハンドオーバのシステム１０を示す。ハンドオーバのシステム１０は、コンバージドネットワークデバイス１０１と、第１のネットワーク中の第１のアクセスデバイス１０２と、第２のネットワーク中の第２のアクセスデバイス１０３とを含む。コンバージドネットワークデバイス１０１は、第１のネットワーク中の第１のモビリティ管理デバイス１０１１の機能と第２のネットワーク中の第２のモビリティ管理デバイス１０１２の機能とを統合する。コンバージドネットワークデバイス１０１は、第１のネットワーク中の第１のモビリティ管理デバイス１０１１として動作し得るか、又は第２のネットワーク中の第２のモビリティ管理デバイス１０１２として動作し得る。第１のネットワークと第２のネットワークとは、異なるタイプのネットワークである。これは、統一された方式で本明細書では説明されており、以下で再び説明されない。
【００３８】
可能な実装において
【００３９】
第１のアクセスデバイス１０２は、コンバージドネットワークデバイス１０１にハンドオーバ要件を送信するように構成される。ハンドオーバ要件は、第２のアクセスデバイス１０３の識別子又は第２のアクセスデバイス１０３によってサービスされるトラッキングエリアの識別を搬送する。
【００４０】
コンバージドネットワークデバイス１０１は、第１のアクセスデバイス１０２からハンドオーバ要件を受信することと、第２のアクセスデバイス１０３の識別子又は第２のアクセスデバイス１０３によってサービスされるトラッキングエリアの識別に基づいて、第２のアクセスデバイス１０３がコンバージドネットワークデバイス１０１によって管理されると決定することと、第２のアクセスデバイス１０３にハンドオーバ要求をさらに送信することとを行うように構成される。ハンドオーバ要求は、第２のアクセスデバイス１０３に端末のための関連リソースを準備するように要求するために使用される。
【００４１】
第２のアクセスデバイス１０３は、コンバージドネットワークデバイス１０１からハンドオーバ要求を受信することと、ハンドオーバ要求に基づいて端末のための関連リソースを準備することとを行うように構成される。
【００４２】
コンバージドネットワークデバイス１０１は、第１のアクセスデバイス１０２にハンドオーバコマンドを送信するようにさらに構成される。ハンドオーバコマンドは、第２のアクセスデバイス１０３に端末をハンドオーバするように命令するために使用される。
【００４３】
第１のアクセスデバイス１０２は、コンバージドネットワークデバイス１０１からハンドオーバコマンドを受信することと、端末にハンドオーバコマンドを送信することとを行うようにさらに構成される。
【００４４】
第２のアクセスデバイス１０３は、コンバージドネットワークデバイス１０１にハンドオーバ通知を送信するようにさらに構成される。ハンドオーバ通知は、端末が第２のアクセスデバイス１０３にハンドオーバされることを示すために使用される。
【００４５】
コンバージドネットワークデバイス１０１は、第２のアクセスデバイス１０３からハンドオーバ通知を受信するようにさらに構成される。
【００４６】
任意選択で、本出願のこの実施形態では、第１のネットワークは、４Ｇネットワークであり得るし、第２のネットワークは、５Ｇネットワークであり得る。代替として、本出願のこの実施形態では、第１のネットワークは、５Ｇネットワークであり得るし、第２のネットワークは、４Ｇネットワークであり得る。代替として、本出願のこの実施形態では、第１のネットワークと第２のネットワークとは、他のネットワークであり得る。これは、本出願のこの実施形態では特に限定されない。
【００４７】
本出願のこの実施形態において提供されるハンドオーバのシステムに基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、第２のアクセスデバイスに、端末のための関連リソースを準備するように第２のアクセスデバイスに要求するためのハンドオーバ要求を直接送信し、第１のアクセスデバイスに、第２のアクセスデバイスに端末をハンドオーバするように第１のアクセスデバイスに命令するためのハンドオーバコマンドを送信してもよく、従って、第１のネットワークから第２のネットワークへの端末のハンドオーバが実施され得る。これは、第１のネットワークと第２のネットワークとが異なるタイプのネットワークであるとき、ソースモビリティ管理ネットワーク要素は、ターゲットモビリティ管理ネットワーク要素のアドレス情報を最初に問い合わせ、次いで、第１のネットワークから第２のネットワークへの端末のハンドオーバを実施するためにターゲットモビリティ管理ネットワーク要素に移転する必要がある従来技術とは異なる。このようにして、ネットワーク要素間でのメッセージ対話が低減され、端末のハンドオーバ手順が簡略化される。さらに、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバのシステムにおけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、それによって、ハードウェアリソースを共有して、リソースの利用効率と投資利益率とを改善する。
【００４８】
別の可能な実装では、第１のネットワークが４Ｇネットワークであり、第２のネットワークが５Ｇネットワークであるとき、図１に示されたハンドオーバのシステム１０は、第２のネットワーク中にターゲットモビリティ管理ネットワーク要素１０４をさらに含み得る。
【００４９】
第１のアクセスデバイス１０２は、コンバージドネットワークデバイス１０１にハンドオーバ要件を送信するように構成される。ハンドオーバ要件は、第２のアクセスデバイス１０３の識別子又は第２のアクセスデバイス１０３によってサービスされるトラッキングエリアの識別を搬送する。
【００５０】
コンバージドネットワークデバイス１０１は、第１のアクセスデバイス１０２からハンドオーバ要件を受信することと、第２のアクセスデバイス１０３の識別子又は第２のアクセスデバイス１０３によってサービスされるトラッキングエリアの識別に基づいて、第２のアクセスデバイス１０３がコンバージドネットワークデバイス１０１によって管理されないと決定することと、第２のアクセスデバイス１０２の識別子又は第２のアクセスデバイス１０２によってサービスされるトラッキングエリアの識別に基づいて第２のネットワーク中のターゲットモビリティ管理ネットワーク要素１０４のアドレス情報を取得することと、ターゲットモビリティ管理ネットワーク要素１０４のアドレス情報に基づいてターゲットモビリティ管理ネットワーク要素１０４に移転することとを行うように構成される。
【００５１】
ターゲットモビリティ管理ネットワーク要素１０４は、第２のアクセスデバイス１０３にハンドオーバ要求を送信するように構成される。ハンドオーバ要求は、第２のアクセスデバイス１０３に端末のための関連リソースを準備するように要求するために使用される。
【００５２】
第２のアクセスデバイス１０３は、コンバージドネットワークデバイス１０１からハンドオーバ要求を受信することと、ハンドオーバ要求に基づいて端末のための関連リソースを準備することとを行うように構成される。
【００５３】
コンバージドネットワークデバイス１０１は、第１のアクセスデバイス１０２にハンドオーバコマンドを送信するようにさらに構成される。ハンドオーバコマンドは、第２のアクセスデバイス１０３に端末をハンドオーバするように命令するために使用される。
【００５４】
第１のアクセスデバイス１０２は、コンバージドネットワークデバイス１０１からハンドオーバコマンドを受信することと、端末にハンドオーバコマンドを送信することとを行うようにさらに構成される。
【００５５】
第２のアクセスデバイス１０３は、ターゲットモビリティ管理ネットワーク要素１０４にハンドオーバ通知を送信するようにさらに構成される。ハンドオーバ通知は、端末が第２のアクセスデバイス１０３にハンドオーバされることを示すために使用される。
【００５６】
ターゲットモビリティ管理ネットワーク要素１０４は、第２のアクセスデバイス１０３からハンドオーバ通知を受信するようにさらに構成される。
【００５７】
本出願のこの実施形態において提供されるハンドオーバのシステムに基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されないと決定し、次いで、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転し得る。従って、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバのシステムにおけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、それによって、ハードウェアリソースを共有して、リソースの利用効率と投資利益率とを改善する。
【００５８】
任意選択で、本出願のこの実施形態では、コンバージドネットワークデバイス１０１は、第１のアクセスデバイス１０２又は第２のネットワークデバイス１０３と直接通信し得るか、又は別のデバイスによって実行される転送(forwarding)を通して第１のアクセスデバイス１０２又は第２のアクセスデバイス１０３と通信し得る。これは、本出願のこの実施形態では特に限定されない。
【００５９】
任意選択で、本出願のこの実施形態では、ターゲットモビリティ管理ネットワーク要素１０４は、第２のアクセスデバイス１０３又はコンバージドネットワークデバイス１０１と直接通信し得るか、又は別のデバイスによって実行される転送を通して第２のアクセスデバイス１０３又はコンバージドネットワークデバイス１０１と通信し得る。これは、本出願のこの実施形態では特に限定されない。
【００６０】
例えば、第１のネットワークは、４Ｇネットワークであり、第２のネットワークは、５Ｇネットワークであるか、又は第２のネットワークは、４Ｇネットワークであり、第１のネットワークは、５Ｇネットワークである。図２に示されるように、コンバージドネットワークデバイスは、４Ｇ中のＭＭＥの機能と５Ｇネットワーク中のＡＭＦネットワーク要素の機能とを統合する。コンバージドネットワークデバイスがＭＭＥとして働くとき、対応するアクセスデバイスは、４Ｇネットワーク中の発展型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）デバイスである。コンバージドネットワークデバイスがＡＭＦネットワーク要素をサービスするとき、対応するアクセスデバイスは、５Ｇネットワーク中で次世代無線アクセスネットワーク（Ｎｅｘｔ  Ｇｅｎｅｒａｔｉｏｎ−Ａｃｃｅｓｓ  Ｎｅｔｗｏｒｋ、ＮＧ−ＡＮ）デバイスである。さらに、図２に示されるように、ハンドオーバのシステムは、ＭＭＥ及びＡＭＦネットワーク要素のうちの１つ又は複数をさらに含み得る。これは、本出願のこの実施形態では特に限定されない。
【００６１】
コンバージドネットワークデバイスは、「統一ピアネットワーク要素インターフェースのローカルアドレス」で構成される。コンバージドネットワークデバイスが、ＡＭＦネットワーク要素として働き、ＡＭＦネットワーク要素と通信するとき、ローカルアドレスは、Ｎ１４インターフェースアドレスとして働く。コンバージドネットワークデバイスが、ＡＭＦネットワーク要素として働き、ＭＭＥネットワーク要素と通信するとき、ローカルアドレスは、Ｎ２６インターフェースアドレスとして働く。コンバージドネットワークデバイスが、ＭＭＥとして働き、ＡＭＦネットワーク要素と通信するとき、ローカルアドレスは、Ｎ２６インターフェースアドレスとして使用される。コンバージドネットワークデバイスが、ＭＭＥとして働き、ＭＭＥと通信するとき、ローカルアドレスは、Ｓ１０インターフェースアドレスとして使用される。
【００６２】
コンバージドネットワークデバイスは、「統一ワイヤレスデバイスのローカルアドレス」で構成される。コンバージドネットワークデバイスが、ＡＭＦネットワーク要素として働き、ＮＧ−ＡＮデバイスと通信するとき、ローカルアドレスは、Ｎ２インターフェースアドレスとして使用される。コンバージドネットワークデバイスが、ＭＭＥとして働き、Ｅ−ＵＴＲＡＮデバイスと通信するとき、ローカルアドレスは、Ｓ１−ＭＭＥインターフェースアドレスとして働く。
【００６３】
さらに、Ｅ−ＵＴＲＡＮデバイスは、Ｓ１−ＭＭＥインターフェースを使用することによってＭＭＥとさらに通信し得るし、ＮＧ−ＡＮデバイスは、Ｎ２インターフェースを使用することによってＡＭＦネットワーク要素とさらに通信し得る。詳細については、既存の４Ｇネットワークと既存の５Ｇネットワークとの説明を参照されたい。本明細書では、詳細を説明しない。
【００６４】
ハンドオーバのシステムが１つのコンバージドネットワークデバイスを含む一例を単に使用することによって図２が説明されていることに留意されたい。もちろん、ハンドオーバのシステムは、１つ又は複数のコンバージドネットワークデバイスを含み得る。これは、本出願のこの実施形態では特に限定されない。
【００６５】
コンバージドネットワークデバイスがＭＭＥとして働き、Ｅ−ＵＴＲＡＮデバイスに接続される一例を単に使用することによって図２が説明されていることに留意されたい。もちろん、コンバージドネットワークデバイスは、ＭＭＥとして働き、１つ又は複数のＥ−ＵＴＲＡＮデバイスに接続され得る。これは、本出願のこの実施形態では特に限定されない。
【００６６】
コンバージドネットワークデバイスがＭＭＥとして働き、ＡＭＦネットワーク要素又はＭＭＥに接続される一例を単に使用することによって図２が説明されていることに留意されたい。もちろん、コンバージドネットワークデバイスは、ＭＭＥとして働き、１つ又は複数のＭＭＥに接続され得るか、又はコンバージドネットワークデバイスは、ＭＭＥとして働き、１つ又は複数のＡＭＦネットワーク要素に接続され得る。これは、本出願のこの実施形態では特に限定されない。
【００６７】
コンバージドネットワークデバイスがＡＭＦネットワーク要素として働き、ＮＧ−ＡＮデバイスに接続される一例を単に使用することによって図２が説明されていることに留意されたい。もちろん、コンバージドネットワークデバイスは、ＡＭＦネットワーク要素として働き、１つ又は複数のＮＧ−ＡＮデバイスに接続され得る。これは、本出願のこの実施形態では特に限定されない。
【００６８】
コンバージドネットワークデバイスがＡＭＦネットワーク要素として働き、ＡＭＦネットワーク要素又はＭＭＥに接続される一例を単に使用することによって図２が説明されていることに留意されたい。もちろん、コンバージドネットワークデバイスは、ＡＭＦネットワーク要素として働き、１つ又は複数のＭＭＥに接続され得るか、又はコンバージドネットワークデバイスは、ＡＭＦネットワーク要素として働き、１つ又は複数のＡＭＦネットワーク要素に接続され得る。これは、本出願のこの実施形態では特に限定されない。
【００６９】
Ｅ−ＵＴＲＡＮデバイスがコンバージドネットワークデバイスに接続される一例を単に使用することによって図２が説明されていることに留意されたい。もちろん、Ｅ−ＵＴＲＡＮデバイスは、代替として、別のコンバージドネットワークデバイス又はＭＭＥに接続され得る。これは、本出願のこの実施形態では特に限定されない。
【００７０】
ＮＧ−ＡＮデバイスがコンバージドネットワークデバイスに接続される一例を単に使用することによって図２が説明されていることに留意されたい。もちろん、ＮＧ−ＡＮデバイスは、代替として、別のコンバージドネットワークデバイス又はＡＭＦネットワーク要素に接続され得る。これは、本出願のこの実施形態では特に限定されない。
【００７１】
任意選択で、本出願のこの実施形態における端末（Ｔｅｒｍｉｎａｌ）は、ワイヤレス通信機能を有する様々なハンドヘルドデバイス、車載デバイス、ウェアラブルデバイス又はコンピューティングデバイス又はワイヤレスモデムに接続された別の処理デバイスを含み得る。端末は、加入者ユニット（Ｓｕｂｓｃｒｉｂｅｒ  Ｕｎｉｔ）、セルラー電話（Ｃｅｌｌｕｌａｒ  Ｐｈｏｎｅ）、スマートフォン（Ｓｍａｒｔｐｈｏｎｅ）、ワイヤレスデータカード、携帯情報端末（Ｐｅｒｓｏｎａｌ  Ｄｉｇｉｔａｌ  Ａｓｓｉｓｔａｎｔ、ＰＤＡ）コンピュータ、タブレットコンピュータ、ワイヤレスモデム（Ｍｏｄｅｍ）、ハンドヘルド（Ｈａｎｄｈｅｌｄ）デバイス、ラップトップコンピュータ（Ｌａｐｔｏｐ  Ｃｏｍｐｕｔｅｒ）、コードレス電話（Ｃｏｒｄｌｅｓｓ  Ｐｈｏｎｅ）、ワイヤレスローカルループ（Ｗｉｒｅｌｅｓｓ  Ｌｏｃａｌ  Ｌｏｏｐ、ＷＬＬ）局、マシン型通信（Ｍａｃｈｉｎｅ  Ｔｙｐｅ  Ｃｏｍｍｕｎｉｃａｔｉｏｎ、ＭＴＣ）端末、ユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末デバイス（Ｔｅｒｍｉｎａｌ  Ｄｅｖｉｃｅ）、リレーユーザ機器などをさらに含み得る。リレーユーザ機器は、例えば、５Ｇ住宅用ゲートウェイ（Ｒｅｓｉｄｅｎｔｉａｌ  Ｇａｔｅｗａｙ、ＲＧ）であり得る。説明を容易にするために、上記のデバイスは、本出願では端末と総称される。
【００７２】
任意選択で、本出願のこの実施形態におけるアクセスデバイス（例えば、第１のアクセスデバイス又は第２のアクセスデバイス）は、コアネットワークにアクセスするデバイスである。例えば、アクセスデバイスは、基地局、ブロードバンドネットワークゲートウェイ（Ｂｒｏａｄｂａｎｄ  Ｎｅｔｗｏｒｋ  Ｇａｔｅｗａｙ、ＢＮＧ）、アグリゲーションスイッチ又は非第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）アクセスデバイスであり得る。基地局は、マクロ基地局、（スモールセルとも呼ばれる）マイクロ基地局、中継局、アクセスポイントなどの様々な形態の基地局を含み得る。
【００７３】
任意選択で、本出願のこの実施形態における図１中のコンバージドネットワークデバイスは、１つのデバイスを使用することによって実施され得るか、又は複数のデバイスを一緒に使用することによって実施され得るか、又は１つのデバイス中の機能モジュールであり得る。これは、本出願のこの実施形態では特に限定されない。上記の機能は、ハードウェアデバイス中のネットワーク要素、専用のハードウェア上で動作するソフトウェア機能、又はプラットフォーム（例えば、クラウドプラットフォーム）上でインスタンス化される仮想化された機能であり得ることが理解され得る。
【００７４】
例えば、本出願のこの実施形態における図１中のコンバージドネットワークデバイスは、図３中の通信デバイスを使用することによって実施され得る。図３は、本出願の一実施形態による、通信デバイスのハードウェアの概略構造図である。通信デバイス３００は、プロセッサ３０１と、通信ライン３０２と、メモリ３０３と、１つ又は複数の通信インターフェースとを含む（図３は、一例として１つの通信インターフェース３０４を使用することによって記載されている）。
【００７５】
プロセッサ３０１は、汎用中央処理ユニット（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、又は本出願における解決策のプログラム実行を制御するように構成された１つ又は複数の統合回路であり得る。
【００７６】
通信ライン３０２は、上記の構成要素間で情報を送信するために使用される経路を含み得る。
【００７７】
通信インターフェース３０４は、トランシーバなどの任意の装置であり得るし、別のデバイス又はイーサネット、無線アクセスネットワーク（Ｒａｄｉｏ  Ａｃｃｅｓｓ  Ｎｅｔｗｏｒｋ、ＲＡＮ）、又はワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信するように構成される。
【００７８】
メモリ３０３は、読取り専用メモリ（Ｒｅａｄ−Ｏｎｌｙ  Ｍｅｍｏｒｙ、ＲＯＭ）、又は静的情報と命令とを記憶することができる別のタイプの静的ストレージデバイス、又はランダムアクセスメモリ（Ｒａｎｄｏｍ  Ａｃｃｅｓｓ  Ｍｅｍｏｒｙ、ＲＡＭ）、又は情報と命令とを記憶することができる別のタイプの動的ストレージデバイス、又は電気消去可能プログラマブル読取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、（コンパクトディスク、レーザディスク、光ディスク、デジタル多用途ディスク、ブルーレイ光ディスクなどを含む）別のコンパクトディスクストレージ又は光ディスクストレージ、磁気ディスクストレージ媒体又は別の磁気ストレージデバイス、又は命令又はデータ構造の形態で予想されるプログラムコードを搬送又は記憶することができ、コンピュータによってアクセスされ得る任意の他の媒体であり得る。ただし、これは、それに限定されない。メモリは、独立して存在し得るし、通信ライン３０２を使用することによってプロセッサに接続され得る。代替として、メモリは、プロセッサと統合され得る。
【００７９】
メモリ３０３は、本出願の解決策を実行するためのコンピュータ実行命令を記憶するように構成される。プロセッサ３０１は、実行を制御する。プロセッサ３０１は、本出願の以下の実施形態において与えられるハンドオーバの方法を実施するためにメモリ３０３中に記憶されたコンピュータ実行命令を実行するように構成される。
【００８０】
任意選択で、本出願のこの実施形態におけるコンピュータ実行命令は、アプリケーションプログラムコードと呼ばれることもある。これは、本出願のこの実施形態では特に限定されない。
【００８１】
特定の実施では、一実施形態では、プロセッサ３０１は、１つ又は複数のＣＰＵ、例えば、図３中のＣＰＵ０とＣＰＵ１とを含み得る。
【００８２】
特定の実施では、一実施形態では、通信デバイス３００は、複数のプロセッサ、例えば、図３中のプロセッサ３０１とプロセッサ３０８とを含み得る。プロセッサの各々は、シングルコアプロセッサ（シングルＣＰＵ）であり得るか、又はマルチコアプロセッサ（マルチＣＰＵ）であり得る。本明細書におけるプロセッサは、（コンピュータプログラム命令などの）データを処理するための１つ又は複数のデバイス、回路、及び／又は処理コアであり得る。
【００８３】
特定の実施では、一実施形態では、通信デバイス３００は、出力デバイス３０５と入力デバイス３０６とをさらに含み得る。出力デバイス３０５は、プロセッサ３０１と通信し、複数の方式で情報を表示し得る。例えば、出力デバイス３０５は、液晶ディスプレイ（Ｌｉｑｕｉｄ  Ｃｒｙｓｔａｌ  Ｄｉｓｐｌａｙ、ＬＣＤ）、発光ダイオード（Ｌｉｇｈｔ  Ｅｍｉｔｔｉｎｇ  Ｄｉｏｄｅ、ＬＥＤ）表示デバイス、陰極線管（Ｃａｔｈｏｄｅ  Ｒａｙ  Ｔｕｂｅ、ＣＲＴ）表示デバイス、又はプロジェクタ（Ｐｒｏｊｅｃｔｏｒ）であり得る。入力デバイス３０６は、プロセッサ３０１と通信し、複数の方式でユーザから入力を受信し得る。例えば、入力デバイス３０６は、マウス、キーボード、タッチスクリーンデバイス、又は検知デバイスであり得る。
【００８４】
上記の通信デバイス３００は、汎用デバイス又は専用デバイスであり得る。特定の実施では、通信デバイス３００は、デスクトップコンピュータ、ポータブルコンピュータ、ネットワークサーバ、パームトップコンピュータ（Ｐｅｒｓｏｎａｌ  Ｄｉｇｉｔａｌ  Ａｓｓｉｓｔａｎｔ、ＰＤＡ）、モバイルフォン、タブレットコンピュータ、ワイヤレス端末デバイス、埋込みデバイス、又は図３中のデバイスと同様の構造をもつデバイスであり得る。通信デバイス３００のタイプは、本出願のこの実施形態では限定されない。
【００８５】
以下は、図１から図３を参照しながら本出願の実施形態で提供されるハンドオーバの方法について詳細に説明する。
【００８６】
本出願の以下の実施形態におけるネットワーク要素間のメッセージの名前、メッセージ中の各パラメータの名前などは、一例にすぎず、代替として、特定の実施では別の名前であり得ることに留意されたい。これは、本出願のこの実施形態では特に限定されない。
【００８７】
以下の実施形態における解決策について理解しやすいように、関連説明が、最初に以下で与えられる。
【００８８】
最初に、４Ｇネットワーク中のＥ−ＵＴＲＡＮデバイスの識別子及び４Ｇネットワーク中のＥ−ＵＴＲＡＮデバイスによってサービスされるトラッキングエリアの識別（Ｔｒａｃｋｉｎｇ  Ａｒｅａ  Ｉｄｅｎｔｉｔｙ、ＴＡＩ）（以下、４Ｇ−ＴＡＩと呼ぶ）について説明する。
【００８９】
４Ｇネットワーク中で、各ＭＭＥは、複数のＥ−ＵＴＲＡＮデバイスに接続される。これらのＥ−ＵＴＲＡＮデバイスは、４Ｇワイヤレスネットワークのトラッキングエリア（Ｔｒａｃｋｉｎｇ  Ａｒｅａ、ＴＡ）のグループ、即ち、カバレージエリアをカバーする。例えば、図４に示されるように、ＭＭＥ１１は、Ｅ−ＵＴＲＡＮ１１デバイス及びＥ−ＵＴＲＡＮ１２デバイスに別々に接続され得るし、ＭＭＥ１２は、Ｅ−ＵＴＲＡＮ１１デバイス及びＥ−ＵＴＲＡＮ１２デバイスに別々に接続され得る。Ｅ−ＵＴＲＡＮ１１デバイス、Ｅ−ＵＴＲＡＮ１２デバイスなどは、ロケーションエリア１をカバーし得る。ロケーションエリア１は、ＴＡ１１、ＴＡ１２、．．．、及びＴＡ１ｎを含む。ＭＭＥ２１は、Ｅ−ＵＴＲＡＮ２１デバイス及びＥ−ＵＴＲＡＮ２２デバイスに別々に接続され得るし、ＭＭＥ２２は、Ｅ−ＵＴＲＡＮ２１デバイス及びＥ−ＵＴＲＡＮ２２デバイスに別々に接続され得る。Ｅ−ＵＴＲＡＮ２１デバイス、Ｅ−ＵＴＲＡＮ２２デバイスなどは、ロケーションエリア２をカバーし得る。ロケーションエリア２は、ＴＡ２１、ＴＡ２２、．．．、及びＴＡ２ｍを含む。
【００９０】
４Ｇ−ＴＡのグローバルユニーク識別は、４Ｇ−ＴＡＩと呼ばれる。４Ｇ−ＴＡＩの組成構造は、図５に示されており、モバイルカントリーコード（Ｍｏｂｉｌｅ  Ｃｏｕｎｔｒｙ  Ｃｏｄｅ、ＭＣＣ）と、モバイルネットワークコード（Ｍｏｂｉｌｅ  Ｎｅｔｗｏｒｋ  Ｃｏｄｅ、ＭＮＣ）と、１６ビットのトラッキングエリアコード（Ｔｒａｃｋｉｎｇ  Ａｒｅａ  Ｃｏｄｅ、ＴＡＣ）とを含む。ＭＣＣは、オペレータが属する国を識別する。ＭＮＣは、オペレータのネットワーク識別子である。ＴＡＣは、ＭＣＣ＋ＭＮＣの場合にロケーションエリアを一意に識別する。
【００９１】
Ｅ−ＵＴＲＡＮデバイスの識別子は、グローバル（Ｇｌｏｂａｌ）発展型ノードＢ（ＥｎｏｄｅＢ、ｅＮＢ）識別子（Ｉｄｅｎｔｉｆｉｅｒ、ＩＤ）として示され得る。グローバル発展型ノードＢ識別子の組成構造は、図５に示されており、ＭＣＣと、ＭＮＣと、１８ビット、２０ビット、２１ビット、又は２８ビットのｅＮＢ  ＩＤとを含む。ＭＣＣは、オペレータが属する国を識別する。ＭＮＣは、オペレータのネットワーク識別子である。ｅＮＢ  ＩＤは、ＭＣＣ＋ＭＮＣの場合にＥ−ＵＴＲＡＮデバイスを一意に識別する。
【００９２】
第２に、５Ｇネットワーク中のＮＧ−ＡＮデバイスの識別子及び５Ｇネットワーク中のＮＧ−ＡＮデバイスによってサービスされるＴＡＩ（以下、５Ｇ−ＴＡＩと呼ぶ）について説明する。
【００９３】
５Ｇネットワーク中で、各ＡＭＦネットワーク要素は、複数のＮＧ−ＡＮデバイスに接続される。これらのＮＧ−ＡＮデバイスは、５ＧワイヤレスネットワークのＴＡのグループ、即ち、カバレージエリアをカバーする。例えば、図６に示されるように、ＡＭＦ１１ネットワーク要素は、ＮＧ−ＡＮ１１デバイス及びＮＧ−ＡＮ１２デバイスに別々に接続され得るし、ＡＮＦ１２ネットワーク要素は、ＮＧ−ＡＮ１１デバイス及びＮＧ−ＡＮ１２デバイスに別々に接続され得る。ＮＧ−ＡＮ１１デバイス、ＮＧ−ＡＮデバイスなどは、ロケーションエリア１をカバーし得る。ロケーションエリア１は、ＴＡ１１、ＴＡ１２、．．．、及びＴＡ１ｎを含む。ＡＭＦ２１ネットワーク要素は、ＮＧ−ＡＮ２１デバイス及びＮＧ−ＡＮ２２デバイスに別々に接続され得るし、ＡＮＦ２２ネットワーク要素は、ＮＧ−ＡＮ２１デバイス及びＮＧ−ＡＮ２２デバイスに別々に接続され得る。ＮＧ−ＡＮ２１デバイス、ＮＧ−ＡＮ２２デバイスなどは、ロケーションエリア２をカバーし得る。ロケーションエリア２は、ＴＡ２１、ＴＡ２２、．．．、及びＴＡ２ｍを含む。
【００９４】
５Ｇ−ＴＡのグローバルユニーク識別は、５Ｇ−ＴＡＩと呼ばれる。５Ｇ−ＴＡＩの組成構造は、図７に示されており、ＭＣＣと、ＭＮＣと、２４ビットのＴＡＣとを含む。ＭＣＣは、オペレータが属する国を識別する。ＭＮＣは、オペレータのネットワーク識別子である。ＴＡＣは、ＭＣＣ＋ＭＮＣの場合にロケーションエリアを一意に識別する。
【００９５】
ＮＧ−ＡＮデバイスの識別子は、グローバル（Ｇｌｏｂａｌ）ＡＮデバイスＩＤとして示され得る。グローバルＡＮデバイスＩＤの組成構造は、図７に示されており、ＭＣＣと、ＭＮＣと、１８ビットから３２ビットのＡＮデバイスＩＤとを含む。ＭＣＣは、オペレータが属する国を識別する。ＭＮＣは、オペレータのネットワーク識別子である。ＡＮデバイスＩＤは、ＮＧ−ＡＮデバイスを一意に識別する。
【００９６】
４Ｇネットワークが５Ｇネットワークと比較されるとき、４Ｇ−ＴＡＣは、５Ｇ−ＴＡＣよりも少ない８ビット、即ち、１バイトであり、４Ｇネットワーク中のグローバルｅＮＢ  ＩＤの長さ範囲は、５Ｇネットワーク中のグローバルＡＮデバイスＩＤの長さ範囲とは異なることが上記の説明から学習され得る。
【００９７】
以下は、上記の説明を参照しながら本出願の実施形態で提供されるハンドオーバの方法について詳細に説明する。
【００９８】
任意選択で、例えば、図１に示されたハンドオーバのシステムにおいて、第１のネットワークは、４Ｇネットワークであり、第２のネットワークは、５Ｇネットワークであり、即ち、ＮＧ−ＡＮデバイスは、ターゲットデバイスであり、Ｅ−ＵＴＲＡＮデバイスは、ソースデバイスである。図８Ａ及び図８Ｂは、本出願の一実施形態による、ハンドオーバの方法を示す。ハンドオーバの方法は、以下のステップを含む。
【００９９】
Ｓ８０１．任意選択で、Ｅ−ＵＴＲＡＮデバイスは、コンバージドネットワークデバイスにＳ１セットアップ要求（Ｓ１  Ｓｅｔｕｐ  Ｒｅｑｕｅｓｔ）メッセージを送信し、従って、コンバージドネットワークデバイスは、Ｅ−ＵＴＲＡＮデバイスからＳ１セットアップ要求メッセージを受信する。
【０１００】
Ｓ１セットアップ要求メッセージは、Ｅ−ＵＴＲＡＮデバイスの識別子とＥ−ＵＴＲＡＮデバイスによってサービスされるトラッキングエリアの識別とを搬送し、コンバージドネットワークデバイスに登録することを要求するために使用される。Ｅ−ＵＴＲＡＮデバイスの識別子とＥ−ＵＴＲＡＮデバイスによってサービスされるトラッキングエリアの識別との関連説明については、図５に示された実施形態を参照されたい。本明細書では、詳細を再び説明しない。
【０１０１】
Ｓ８０２．コンバージドネットワークデバイスは、Ｅ−ＵＴＲＡＮデバイスにＳ１セットアップ応答（Ｓ１  Ｓｅｔｕｐ  Ｒｅｓｐｏｎｓｅ）メッセージを送信し、従って、Ｅ−ＵＴＲＡＮデバイスは、コンバージドネットワークデバイスからＳ１セットアップ応答メッセージを受信する。
【０１０２】
Ｓ８０３．任意選択で、ＮＧ−ＡＮデバイスは、コンバージドネットワークデバイスにＮＧセットアップ要求（ＮＧ  Ｓｅｔｕｐ  Ｒｅｑｕｅｓｔ）メッセージを送信し、従って、コンバージドネットワークデバイスは、ＮＧ−ＡＮデバイスからＮＧセットアップ要求メッセージを受信する。
【０１０３】
ＮＧセットアップ要求メッセージは、ＮＧ−ＡＮデバイスの識別子とＮＧ−ＡＮデバイスによってサービスされるトラッキングエリアの識別とを搬送し、コンバージドネットワークデバイスに登録することを要求するために使用される。ＮＧ−ＡＮデバイスの識別子とＮＧ−ＡＮデバイスによってサービスされるトラッキングエリアの識別との関連説明については、図７に示された実施形態を参照されたい。本明細書では、詳細を再び説明しない。
【０１０４】
Ｓ８０４．コンバージドネットワークデバイスは、ＮＧ−ＡＮデバイスにＮＧセットアップ要求（ＮＧ  Ｓｅｔｕｐ  Ｒｅｓｐｏｎｓｅ）メッセージを送信し、従って、ＮＧ−ＡＮデバイスは、コンバージドネットワークデバイスからＮＧセットアップ応答メッセージを受信する。
【０１０５】
本出願のこの実施形態におけるステップＳ８０１及びステップＳ８０３が必要なシーケンスで実行されないことに留意されたい。ステップＳ８０１は、ステップＳ８０３の前に実行され得る、又はステップＳ８０３は、ステップＳ８０１の前に実行されてもよく、又はステップＳ８０１とステップＳ８０３とは、同時に実行されてもよい。これは、本出願のこの実施形態では特に限定されない。
【０１０６】
Ｓ８０５．Ｅ−ＵＴＲＡＮデバイスは、コンバージドネットワークデバイスにハンドオーバ要件（Ｈａｎｄｏｖｅｒ  Ｒｅｑｕｉｒｅｄ）を送信し、従って、コンバージドネットワークデバイスは、Ｅ−ＵＴＲＡＮデバイスからハンドオーバ要件を受信する。
【０１０７】
ハンドオーバ要件は、図８Ａ及び図８Ｂ中のＮＧ−ＡＮデバイスの識別子又はＮＧ−ＡＮデバイスによってサービスされるトラッキングエリアの識別を搬送する。
【０１０８】
Ｓ８０６．コンバージドネットワークデバイスは、ＮＧ−ＡＮデバイスの識別子又はＮＧ−ＡＮデバイスによってサービスされるトラッキングエリアの識別に基づいて、ＮＧ−ＡＮデバイスがコンバージドネットワークデバイスによって管理されるのかどうかを決定する。
【０１０９】
本出願のこの実施形態では、ＮＧ−ＡＮデバイスがコンバージドネットワークデバイスによって管理されるのかどうかは、接続がＮＧ−ＡＮデバイスとコンバージドネットワークデバイスとの間にセットアップされるのかどうかとして理解され得る。これは、統一された方式で本明細書では説明されており、以下で再び説明されない。
【０１１０】
任意選択で、コンバージドネットワークデバイスは、ＮＧ−ＡＮデバイスのものであり、ハンドオーバ要件中で搬送される識別子をコンバージドネットワークデバイスに接続された各ＮＧ−ＡＮデバイスのものであり、ＮＧ−ＡＮデバイスによってＮＧ−ＡＮデバイス登録プロシージャ中に報告される識別子にマッチングさせ得る。マッチングが成功する場合、例えば、コンバージドネットワークデバイスに接続された各ＮＧ−ＡＮデバイスのものであり、ＮＧ−ＡＮデバイスによってＮＧ−ＡＮデバイス登録プロシージャ中で報告される識別子が、ＮＧ−ＡＮデバイスのものであり、ハンドオーバ要件中で搬送される識別子を含む場合、図８Ａ及び図８Ｂ中のＮＧ−ＡＮデバイスがコンバージドネットワークデバイスによって管理されると決定され得る。
【０１１１】
代替として、任意選択で、コンバージドネットワークデバイスは、ＮＧ−ＡＮデバイスによってサービスされるトラッキングエリアのものであり、ハンドオーバ要件中で搬送される識別をコンバージドネットワークデバイスに接続された各ＮＧ−ＡＮデバイスによってサービスされるトラッキングエリアのものであり、ＮＧ−ＡＮデバイスによってＮＧ−ＡＮデバイス登録プロシージャ中に報告される識別にマッチングさせ得る。マッチングが成功する場合、例えば、コンバージドネットワークデバイスに接続された各ＮＧ−ＡＮデバイスによってサービスされるトラッキングエリアのものであり、ＮＧ−ＡＮデバイスによってＮＧ−ＡＮデバイス登録プロシージャ中で報告される識別が、ＮＧ−ＡＮデバイスによってサービスされるトラッキングエリアのものであり、ハンドオーバ要件中で搬送される識別を含む場合、図８Ａ及び図８Ｂ中のＮＧ−ＡＮデバイスがコンバージドネットワークデバイスによって管理されると決定され得る。
【０１１２】
そうでない場合、コンバージドネットワークデバイスは、図８Ａ及び図８Ｂ中のＮＧ−ＡＮデバイスがコンバージドネットワークデバイスによって管理されないと決定し得る。
【０１１３】
ＮＧ−ＡＮデバイスがコンバージドネットワークデバイスによって管理されるとコンバージドネットワークデバイスが決定するとき、本出願のこの実施形態において提供されるハンドオーバの方法は、以下のステップＳ８０７ａからＳ８１３ａをさらに含む。
【０１１４】
Ｓ８０７ａ．コンバージドネットワークデバイスは、ＮＧ−ＡＮデバイスにハンドオーバ要求（Ｈａｎｄｏｖｅｒ  Ｒｅｑｕｅｓｔ）を送信し、従って、ＮＧ−ＡＮデバイスは、コンバージドネットワークデバイスからハンドオーバ要求を受信する。ハンドオーバ要求は、ＮＧ−ＡＮデバイスに端末のための関連リソースを準備するように要求するために使用される。
【０１１５】
Ｓ８０８ａ．ＮＧ−ＡＮデバイスは、コンバージドネットワークデバイスにハンドオーバ要求肯定応答（Ｈａｎｄｏｖｅｒ  Ｒｅｑｕｅｓｔ  Ａｃｋｎｏｗｌｅｄｇｅ）を送信し、従って、コンバージドネットワークデバイスは、ＮＧ−ＡＮデバイスからハンドオーバ要求肯定応答を受信する。
【０１１６】
Ｓ８０９ａ．コンバージドネットワークデバイスは、Ｅ−ＵＴＲＡＮデバイスにハンドオーバコマンド（Ｈａｎｄｏｖｅｒ  Ｃｏｍｍａｎｄ）を送信し、従って、Ｅ−ＵＴＲＡＮデバイスは、コンバージドネットワークデバイスからハンドオーバコマンドを受信する。ハンドオーバコマンドは、ＮＧ−ＡＮデバイスに端末をハンドオーバするように命令するために使用される。
【０１１７】
Ｓ８１０ａ．Ｅ−ＵＴＲＡＮデバイスは、端末にハンドオーバコマンドを送信し、従って、端末は、Ｅ−ＵＴＲＡＮデバイスからハンドオーバコマンドを受信する。
【０１１８】
Ｓ８１１ａ．端末がＮＧ−ＡＮデバイスにハンドオーバされた後、端末は、ＮＧ−ＡＮデバイスにハンドオーバ肯定応答（Ｈａｎｄｏｖｅｒ  Ｃｏｎｆｉｒｍ）メッセージを送信し、従って、ＮＧ−ＡＮデバイスは、端末からハンドオーバ肯定応答メッセージを受信する。
【０１１９】
ハンドオーバ肯定応答メッセージは、端末がＮＧ−ＡＮデバイスにハンドオーバされることを示すために使用される。
【０１２０】
Ｓ８１２ａ．ＮＧ−ＡＮデバイスは、コンバージドネットワークデバイスにハンドオーバ通知（Ｈａｎｄｏｖｅｒ  Ｎｏｔｉｆｙ）を送信し、従って、コンバージドネットワークデバイスは、ＮＧ−ＡＮデバイスからハンドオーバ通知を受信する。ハンドオーバ通知は、端末がＮＧ−ＡＮデバイスにハンドオーバされることを示すために使用される。
【０１２１】
Ｓ８１３ａ．任意選択で、コンバージドネットワークデバイスは、Ｅ−ＵＴＲＡＮデバイスに解放コマンド（Ｒｅｌｅａｓｅ  Ｃｏｍｍａｎｄ）を送信し、従って、Ｅ−ＵＴＲＡＮデバイスは、コンバージドネットワークデバイスから解放コマンドを受信する。解放コマンドは、端末の関連リソースを解放するように命令するために使用される。
【０１２２】
さらに、Ｅ−ＵＴＲＡＮデバイスは、解放コマンドに基づいて端末の関連リソースを解放し得る。これは、本出願のこの実施形態では特に限定されない。
【０１２３】
代替として、ＮＧ−ＡＮデバイスがコンバージドネットワークデバイスによって管理されないとコンバージドネットワークデバイスが決定するとき、本出願のこの実施形態において提供されるハンドオーバの方法は、以下のステップＳ８０７ｂからＳ８２１ｂをさらに含む。
【０１２４】
Ｓ８０７ｂ．コンバージドネットワークデバイスは、完全修飾ドメイン名（Ｆｕｌｌｙ  Ｑｕａｌｉｆｉｅｄ  Ｄｏｍａｉｎ  Ｎａｍｅ、ＦＱＤＮ）を構築する。ＦＱＤＮは、５Ｇネットワーク中の候補ＡＭＦネットワーク要素のアドレス情報にクエリするために使用される。
【０１２５】
例えば、コンバージドネットワークデバイスは、以下の方式でＦＱＤＮを構築し得る。
【０１２６】
方式１：コンバージドネットワークデバイスは、ＮＧ−ＡＮデバイスの識別子に基づいてＦＱＤＮ１を構築し得る。ＦＱＤＮ１は、ＮＧ−ＡＮデバイスの識別子を含む。ＦＱＤＮ１のフォーマットは、５Ｇネットワーク中のＮＧ−ＡＮデバイスの識別子に対応するＦＱＤＮフォーマットであってもよく、これは、以下のように示される。
ｒａｎｎｏｄｅ＜ＡＮ  ｄｅｖｉｃｅ  ＩＤ＞．ｒａｎｎｏｄｅ．５ｇ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ａｍｆ：ｘ−ｎ２６」。
【０１２７】
方式２：コンバージドネットワークデバイスは、ＮＧ−ＡＮデバイスによってサービスされるトラッキングエリアの識別に基づいてＦＱＤＮ２を構築し得る。ＦＱＤＮ２は、ＮＧ−ＡＮデバイスによってサービスされるトラッキングエリアの識別を含む。ＦＱＤＮ２のフォーマットは、５Ｇネットワーク中のＮＧ−ＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｍｂ＜ＴＡＣ−ｍｉｄｄｌｅ−ｂｙｔｅ＞．ｔａｃ−ｈｂ＜ＴＡＣ−ｈｉｇｈ−ｂｙｔｅ＞．ｔａｃ．５ｇ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ａｍｆ：ｘ−ｎ２６」。
【０１２８】
方式３：コンバージドネットワークデバイスは、ＮＧ−ＡＮデバイスの識別子に基づいてＦＱＤＮ３を構築し得る。ＦＱＤＮ３は、ＮＧ−ＡＮデバイスの識別子を含む。ＦＱＤＮ３のフォーマットは、４Ｇネットワーク中のＥ−ＵＴＲＡＮデバイスの識別子に対応するＦＱＤＮフォーマットであってもよく、これは、以下のように示される。
ｅｎｂ＜ｅＮｏｄｅＢ−ＩＤ＞．ｅｎｂ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１２９】
ここで、「ｅＮｏｄｅＢ−ＩＤ」は、グローバルＡＮデバイスＩＤ中のＡＮデバイスＩＤで充填される。
【０１３０】
方式４：コンバージドネットワークデバイスは、ＮＧ−ＡＮデバイスによってサービスされるトラッキングエリアの識別に基づいてＦＱＤＮ４を構築し得る。ＦＱＤＮ４は、ＮＧ−ＡＮデバイスによってサービスされるトラッキングエリアの識別を含む。ＦＱＤＮ４のフォーマットは、４Ｇネットワーク中のＥ−ＵＴＲＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１３１】
ここで、「ＴＡＣ−ｌｏｗ−ｂｙｔｅ」は、５Ｇ−ＴＡＩ中のＴＡＣフィールドの下位の１バイトで充填され、「ＴＡＣ−ｈｉｇｈ−ｂｙｔｅ」は、５Ｇ−ＴＡＩ中のＴＡＣフィールドの上位の２バイトで充填される。
【０１３２】
方式５：コンバージドネットワークデバイスは、ＮＧ−ＡＮデバイスによってサービスされるトラッキングエリアの識別に基づいてＦＱＤＮ５を構築し得る。ＦＱＤＮ５は、ＮＧ−ＡＮデバイスによってサービスされるトラッキングエリアの識別中にＭＣＣと、ＭＮＣと、ＴＡＣの下位１６ビット（即ち、下位の２バイト）とを含む。ＦＱＤＮ５のフォーマットは、４Ｇネットワーク中のＥ−ＵＴＲＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１３３】
ここで、「ＴＡＣ−ｌｏｗ−ｂｙｔｅ」は、５Ｇ−ＴＡＩ中のＴＡＣフィールドの最下位バイトで充填され、「ＴＡＣ−ｈｉｇｈ−ｂｙｔｅ」は、５Ｇ−ＴＡＩ中のＴＡＣフィールドの中位バイトで充填される。５Ｇ−ＴＡＩ中のＴＡＣフィールドの最上位バイトは、直接破棄される。
【０１３４】
可能な実装では、本出願のこの実施形態では、４Ｇ−ＴＡＩと５Ｇ−ＴＡＩとは、統一方式で構成され得る。このようにして、ＭＮＣ＋ＭＣＣのグループの場合では、任意の４Ｇ−ＴＡＩ中のＴＡＣフィールドの下位１６ビットは、任意の５Ｇ−ＴＡＩ中のＴＡＣフィールドの下位１６ビットと同じでないことがあり、異なる５Ｇ−ＴＡＩの各々中のＴＡＣフィールドの上位の８ビットは、無効ビット又はすべて同じ値に設定され得る。このようにして、５Ｇネットワーク中の候補ＡＭＦネットワーク要素のアドレス情報が決定されるとき、候補ＡＭＦネットワーク要素のグループのアドレス情報は、５Ｇ−ＴＡＩ中のＭＮＣ＋ＭＣＣ＋ＴＡＣフィールドの下位１６ビットに基づいて一意に問い合わされ得る。これは、本出願のこの実施形態では特に限定されない。
【０１３５】
代替として、可能な実装では、本出願のこの実施形態では、４Ｇネットワークと５Ｇネットワークとの間の重複ワイヤレスカバレージエリアがネットワーク展開中にコンバージドネットワークデバイスによってサービスされる場合、４Ｇ−ＴＡＩと５Ｇ−ＴＡＩとは統一方式で構成され得る。このようにして、図９に示されるように、ＭＮＣ＋ＭＣＣのグループの場合では、コンバージドネットワークデバイスに対応する４Ｇ−ＴＡＩ中のＴＡＣフィールドの下位１６ビットは、同じコンバージドネットワークデバイスに対応する５Ｇ−ＴＡＩ中のＴＡＣフィールドの下位１６ビットと同じであり、異なる５Ｇ−ＴＡＩの各々中のＴＡＣフィールドの上位の８ビットは、無効ビット又はすべて同じ値に設定され得る。このようにして、５Ｇネットワーク中の候補ＡＭＦネットワーク要素のアドレス情報が決定されるとき、５Ｇネットワーク中の候補ＡＭＦネットワーク要素のアドレス情報は、５Ｇ−ＴＡＩ中のＭＮＣ＋ＭＣＣ＋ＴＡＣフィールドの下位１６ビットに基づいて一意に決定され得る。候補ＡＭＦネットワーク要素のアドレス情報も、実際に、候補コンバージドネットワークデバイスのアドレス情報である。これは、本出願のこの実施形態では特に限定されない。
【０１３６】
Ｓ８０８ｂ．コンバージドネットワークデバイスは、ドメイン名システム（Ｄｏｍａｉｎ  Ｎａｍｅ  Ｓｙｓｔｅｍ、ＤＮＳ）サーバにＤＮＳクエリ要求（ＤＮＳ  Ｑｕｅｒｙ  Ｒｅｑｕｅｓｔ）メッセージを送信し、従って、ＤＮＳサーバは、コンバージドネットワークデバイスからＤＮＳクエリ要求メッセージを受信する。ＤＮＳクエリ要求メッセージは、上記のＦＱＤＮを搬送し、候補ＡＭＦネットワーク要素のアドレス情報をクエリすることを要求するために使用される。
【０１３７】
任意選択で、ステップＳ８０７ｂの方式１又は方式３では、ＤＮＳサーバは、異なるＮＧ−ＡＮデバイスの各々の識別子と対応する候補ＡＭＦネットワーク要素のアドレス情報との間の第１の対応を記憶し得る。さらに、ＤＮＳサーバがＮＧ−ＡＮデバイスの識別子を取得した後、ＤＮＳサーバは、ＮＧ−ＡＮデバイスの識別子と記憶された第１の対応とに基づいて対応する候補ＡＭＦネットワーク要素のアドレス情報を決定し得る。
【０１３８】
代替として、任意選択で、ステップＳ８０７ｂの方式２又は方式４では、ＤＮＳサーバは、異なるＮＧ−ＡＮデバイスの各々によってサービスされるトラッキングエリアの識別と対応する候補ＡＭＦネットワーク要素のアドレス情報との間の第２の対応を記憶し得る。さらに、ＤＮＳサーバがＮＧ−ＡＮデバイスによってサービスされるトラッキングエリアの識別を取得した後、ＤＮＳサーバは、ＮＧ−ＡＮデバイスによってサービスされるトラッキングエリアの識別と記憶された第２の対応とに基づいて対応する候補ＡＭＦネットワーク要素のアドレス情報を決定し得る。
【０１３９】
代替として、任意選択で、ステップＳ８０７ｂの方式５では、ＤＮＳサーバは、異なるＮＧ−ＡＮデバイスの各々によってサービスされるトラッキングエリアの識別中のフィールドの部分（例えば、ＭＮＣ＋ＭＣＣ＋ＴＡＣの下位１６ビット）と対応する候補ＡＭＦネットワーク要素のアドレス情報との間の第３の対応を記憶し得る。さらに、ＤＮＳサーバがＮＧ−ＡＮデバイスによってサービスされるトラッキングエリアの識別中のフィールドの部分（例えば、ＭＮＣ＋ＭＣＣ＋ＴＡＣの下位１６ビット）を取得した後、ＤＮＳサーバは、ＮＧ−ＡＮデバイスによってサービスされるトラッキングエリアの識別中のフィールドの部分（例えば、ＭＮＣ＋ＭＣＣ＋ＴＡＣの下位１６ビット）と記憶された第３の対応とに基づいて対応する候補ＡＭＦネットワーク要素のアドレス情報を決定し得る。
【０１４０】
任意選択で、本出願のこの実施形態では、ＤＮＳサーバは、上記の方式で候補ＡＭＦネットワーク要素のアドレス情報を決定するだけでなく、同様に、候補ＡＭＦネットワーク要素の識別子、例えば、グローバルユニークＡＭＦ識別子（Ｇｌｏｂａｌｌｙ  Ｕｎｉｑｕｅ  ＡＭＦ  Ｉｄｅｎｔｉｆｉｅｒ、ＧＵＡＭＩ）のグループをも決定し得る。これは、本出願のこの実施形態では特に限定されない。
【０１４１】
Ｓ８０９ｂ．ＤＮＳサーバは、コンバージドネットワークデバイスにＤＮＳクエリ応答（ＤＮＳ  Ｑｕｅｒｙ  Ｒｅｓｐｏｎｓｅ）メッセージを送信し、従って、コンバージドネットワークデバイスは、ＤＮＳサーバからＤＮＳクエリ応答メッセージを受信する。ＤＮＳクエリ応答メッセージは、候補ＡＭＦネットワーク要素のグループのアドレス情報を搬送する。
【０１４２】
任意選択で、ＤＮＳクエリ応答メッセージは、候補ＡＭＦネットワーク要素のグループの識別子を搬送する。これは、本出願のこの実施形態では特に限定されない。
【０１４３】
Ｓ８１０ｂ．コンバージドネットワークデバイスは、候補ＡＭＦネットワーク要素のアドレス情報から５Ｇネットワーク中のターゲットＡＭＦネットワーク要素のアドレス情報を選択する。ターゲットＡＭＦネットワーク要素が図８Ａ及び図８Ｂに示され得ると仮定する。
【０１４４】
Ｓ８１１ｂ．コンバージドネットワークデバイスは、ターゲットＡＭＦネットワーク要素にフォワード移転要求（Ｆｏｒｗａｒｄ  Ｒｅｌｏｃａｔｉｏｎ  Ｒｅｑｕｅｓｔ）メッセージを送信し、従って、ターゲットＡＭＦネットワーク要素は、コンバージドネットワークデバイスからフォワード移転要求メッセージを受信する。フォワード移転要求メッセージは、端末の４Ｇコンテキストを搬送し、端末のための関連リソースを準備するようにターゲットＡＭＦネットワーク要素に要求するために使用される。
【０１４５】
ステップＳ８１２ｂ及びＳ８１３ｂは、ステップＳ８０７ａ及びＳ８０８ａと同様である。例えば、差は、ステップＳ８０７ａ及びＳ８０８ａ中のコンバージドネットワークデバイスは、ステップＳ８１２ｂ及びＳ８１３ｂ中のターゲットＡＭＦネットワーク要素に置き換えられるということである。他の関連説明については、ステップＳ８０７ａ及びＳ８０８ａを参照されたい。本明細書では、詳細を再び説明しない。
【０１４６】
Ｓ８１４ｂ．ターゲットＡＭＦネットワーク要素は、コンバージドネットワークデバイスにフォワード移転応答（Ｆｏｒｗａｒｄ  Ｒｅｌｏｃａｔｉｏｎ  Ｒｅｓｐｏｎｓｅ）メッセージを送信し、従って、コンバージドネットワークデバイスは、ターゲットＡＭＦネットワーク要素からフォワード移転応答メッセージを受信する。
【０１４７】
ステップＳ８１５ｂからＳ８１７ｂは、ステップＳ８０９ａからＳ８１１ａと同じである。関連説明については、ステップＳ８０９ａからＳ８１１ａを参照されたい。本明細書では、詳細を再び説明しない。
【０１４８】
ステップＳ８１８ｂは、ステップＳ８１２ａと同様である。例えば、差は、ステップＳ８１２ａ中のコンバージドネットワークデバイスがステップＳ８１８ｂ中のターゲットＡＭＦネットワーク要素と置き換えられるということである。他の関連説明については、ステップＳ８１２ａを参照されたい。本明細書では、詳細を再び説明しない。
【０１４９】
Ｓ８１９ｂ．ターゲットＡＭＦネットワーク要素は、コンバージドネットワークデバイスにフォワード移転完了通知（Ｆｏｒｗａｒｄ  Ｒｅｌｏｃａｔｉｏｎ  Ｃｏｍｐｌｅｔｅ  Ｎｏｔｉｆｉｃａｔｉｏｎ）を送信し、従って、コンバージドネットワークデバイスは、ターゲットＡＭＦネットワーク要素からフォワード移転完了通知を受信する。フォワード移転完了通知は、コンバージドネットワークデバイスが端末の関連リソースを解放することができることを示すために使用される。
【０１５０】
Ｓ８２０ｂ．コンバージドネットワークデバイスは、ターゲットＡＭＦネットワーク要素にフォワード移転完了肯定応答（Ｆｏｒｗａｒｄ  Ｒｅｌｏｃａｔｉｏｎ  Ｃｏｍｐｌｅｔｅ  Ａｃｋｎｏｗｌｅｄｇｅ）を送信し、従って、ターゲットＡＭＦネットワーク要素は、コンバージドネットワークデバイスからフォワード移転完了肯定応答を受信する。
【０１５１】
ステップＳ８２１ｂは、ステップＳ８１３ａと同じである。他の関連説明については、ステップＳ８１３ａを参照されたい。本明細書では、詳細を再び説明しない。
【０１５２】
本出願のこの実施形態において提供されるハンドオーバの方法に基づいて、端末のハンドオーバ手順が簡略化され得るだけでなく、４Ｇネットワークから５Ｇネットワークへの端末のハンドオーバも実施され得る。関連する技術的効果に関する分析については、ハンドオーバのシステムの部分の関連説明を参照されたい。本明細書では、詳細を再び説明しない。
【０１５３】
ステップＳ８０１からＳ８１３ａ又はＳ８２１ｂのコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０１５４】
任意選択で、例えば、図１に示されたハンドオーバのシステムにおいて、第１のネットワークは、４Ｇネットワークであり、第２のネットワークは、５Ｇネットワークであり、即ち、ＮＧ−ＡＮデバイスは、ターゲットデバイスであり、Ｅ−ＵＴＲＡＮデバイスは、ソースデバイスである。図１０Ａ及び図１０Ｂは、本出願の一実施形態による、ハンドオーバの方法を示す。ハンドオーバの方法は、以下のステップを含む。
【０１５５】
ステップＳ１００１からＳ１００６は、ステップＳ８０１からＳ８０６と同じである。関連説明については、図８Ａ及び図８Ｂに示された実施形態を参照されたい。本明細書では、詳細を再び説明しない。
【０１５６】
ＮＧ−ＡＮデバイスがコンバージドネットワークデバイスによって管理されるとコンバージドネットワークデバイスが決定するとき、本出願のこの実施形態において提供されるハンドオーバの方法は、以下のステップＳ１００７ａからＳ１０１３ａをさらに含む。
【０１５７】
ステップＳ１００７ａからＳ１０１３ａは、ステップＳ８０７ａからＳ８１３ａと同じである。関連説明については、図８Ａ及び図８Ｂに示された実施形態を参照されたい。本明細書では、詳細を再び説明しない。
【０１５８】
代替として、ＮＧ−ＡＮデバイスがコンバージドネットワークデバイスによって管理されないとコンバージドネットワークデバイスが決定するとき、本出願のこの実施形態において提供されるハンドオーバの方法は、以下のステップＳ１００７ｂからＳ１０２０ｂをさらに含む。
【０１５９】
Ｓ１００７ｂ．コンバージドネットワークデバイスは、ネットワークリポジトリ機能（Ｎｅｔｗｏｒｋ  Ｒｅｐｏｓｉｔｏｒｙ  Ｆｕｎｃｔｉｏｎ、ＮＲＦ）ネットワーク要素に発見要求（Ｄｉｓｃｏｖｅｒｙ  Ｒｅｑｕｅｓｔ）メッセージを送信し、従って、ＮＲＦネットワーク要素は、コンバージドネットワークデバイスから発見要求メッセージを受信する。発見要求メッセージは、ＮＧ−ＡＮデバイスの識別子又はＮＧ−ＡＮデバイスによってサービスされるトラッキングエリアの識別を搬送し、候補ＡＭＦネットワーク要素のアドレス情報をクエリすることを要求するために使用される。
【０１６０】
ＮＲＦネットワーク要素は、異なるＮＧ−ＡＮデバイスの各々の識別子と対応する候補ＡＭＦネットワーク要素のアドレス情報との間の第１の対応を記憶し得る。さらに、ＮＲＦネットワーク要素がＮＧ−ＡＮデバイスの識別子を取得した後、ＮＲＦネットワーク要素は、ＮＧ−ＡＮデバイスの識別子と記憶された第１の対応とに基づいて対応する候補ＡＭＦネットワーク要素のアドレス情報を決定し得る。
【０１６１】
代替として、ＮＲＦネットワーク要素は、異なるＮＧ−ＡＮデバイスの各々によってサービスされるトラッキングエリアの識別と対応する候補ＡＭＦネットワーク要素のアドレス情報との間の第２の対応を記憶し得る。さらに、ＮＲＦネットワーク要素がＮＧ−ＡＮデバイスによってサービスされるトラッキングエリアの識別を取得した後、ＮＲＦネットワーク要素は、ＮＧ−ＡＮデバイスによってサービスされるトラッキングエリアの識別と記憶された第２の対応とに基づいて対応する候補ＡＭＦネットワーク要素のアドレス情報を決定し得る。
【０１６２】
任意選択で、本出願のこの実施形態では、ＮＲＦネットワーク要素は、上記の方式で候補ＡＭＦネットワーク要素のアドレス情報を決定するだけでなく、同様に、候補ＡＭＦネットワーク要素の識別子、例えば、ＧＵＡＭＩのグループをも決定し得る。これは、本出願のこの実施形態では特に限定されない。
【０１６３】
Ｓ１００８ｂ．ＮＲＦネットワーク要素は、コンバージドネットワークデバイスに発見応答（Ｄｉｓｃｏｖｅｒｙ  Ｒｅｓｐｏｎｓｅ）メッセージを送信し、従って、コンバージドネットワークデバイスは、ＮＲＦネットワーク要素から発見応答メッセージを受信する。発見応答メッセージは、候補ＡＭＦネットワーク要素のグループのアドレス情報を搬送する。
【０１６４】
任意選択で、発見応答メッセージは、候補ＡＭＦネットワーク要素のグループの識別子を搬送する。これは、本出願のこの実施形態では特に限定されない。
【０１６５】
ステップＳ１００９ｂは、ステップＳ８１０ｂと同じである。関連説明については、図８Ａ及び図８Ｂに示された実施形態を参照されたい。本明細書では、詳細を再び説明しない。
【０１６６】
Ｓ１０１０ｂ．コンバージドネットワークデバイスは、ターゲットＡＭＦネットワーク要素にコンテキスト作成要求（Ｃｒｅａｔｅ  Ｃｏｎｔｅｘｔ  Ｒｅｑｕｅｓｔ）メッセージを送信し、従って、ターゲットＡＭＦネットワーク要素は、コンバージドネットワークデバイスからコンテキスト作成要求メッセージを受信する。コンテキスト作成要求メッセージは、端末の４Ｇコンテキストから変換された５Ｇコンテキストを搬送し、端末のための関連リソースを準備するようにターゲットＡＭＦネットワーク要素に要求するために使用される。
【０１６７】
ステップＳ１０１１ｂ及びＳ１０１２ｂは、ステップＳ８１２ｂ及びＳ８１３ｂと同じである。関連説明については、図８Ａ及び図８Ｂに示された実施形態を参照されたい。本明細書では、詳細を再び説明しない。
【０１６８】
Ｓ１０１３ｂ．ターゲットＡＭＦネットワーク要素は、コンバージドネットワークデバイスにコンテキスト作成応答（Ｃｒｅａｔｅ  Ｃｏｎｔｅｘｔ  Ｒｅｓｐｏｎｓｅ）メッセージを送信し、従って、コンバージドネットワークデバイスは、ターゲットＡＭＦネットワーク要素からコンテキスト作成応答メッセージを受信する。
【０１６９】
ステップＳ１０１４ｂからＳ１０１７ｂは、ステップＳ８１５ｂからＳ８１８ｂと同じである。関連説明については、図８Ａ及び図８Ｂに示された実施形態を参照されたい。本明細書では、詳細を再び説明しない。
【０１７０】
Ｓ１０１８ｂ．ターゲットＡＭＦネットワーク要素は、コンバージドネットワークデバイスにＮ２通知（Ｎ２  Ｎｏｔｉｆｉｃａｔｉｏｎ）メッセージを送信し、従って、コンバージドネットワークデバイスは、ターゲットＡＭＦネットワーク要素からＮ２通知メッセージを受信する。Ｎ２通知メッセージは、コンバージドネットワークデバイスが端末の関連リソースを解放することができることを示すために使用される。
【０１７１】
Ｓ１０１９ｂ．コンバージドネットワークデバイスは、ターゲットＡＭＦネットワーク要素にＮ２通知肯定応答（Ｎ２  Ｎｏｔｉｆｉｃａｔｉｏｎ  Ａｃｋｎｏｗｌｅｄｇｅ）メッセージを送信し、従って、ターゲットＡＭＦネットワーク要素は、コンバージドネットワークデバイスからＮ２通知肯定応答メッセージを受信する。
【０１７２】
ステップＳ１０２０ｂは、ステップＳ８２１ｂと同じである。関連説明については、図８Ａ及び図８Ｂに示された実施形態を参照されたい。本明細書では、詳細を再び説明しない。
【０１７３】
本出願のこの実施形態において提供されるハンドオーバの方法に基づいて、端末のハンドオーバ手順が簡略化され得るだけでなく、４Ｇネットワークから５Ｇネットワークへの端末のハンドオーバも実施され得る。関連する技術的効果に関する分析については、ハンドオーバのシステムの部分の関連説明を参照されたい。本明細書では、詳細を再び説明しない。
【０１７４】
ステップＳ１００１からＳ１０１３ａ又はＳ１０２０ｂのコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０１７５】
任意選択で、図８Ａ及び図８Ｂ又は図１０Ａ及び図１０Ｂに示された実施形態は、コンバージドネットワークデバイスにＥ−ＵＴＲＡＮデバイスによって送られるハンドオーバ要件が図８Ａ及び図８Ｂ中のＮＧ−ＡＮデバイスの識別子又はＮＧ−ＡＮデバイスによってサービスされるトラッキングエリアの識別を搬送する一例を使用することによって説明される。もちろん、コンバージドネットワークデバイスにＥ−ＵＴＲＡＮデバイスによって送られるハンドオーバ要件は、代替として、Ｅ−ＵＴＲＡＮデバイスの識別子又はＥ−ＵＴＲＡＮデバイスによってサービスされるトラッキングエリアの識別を搬送し得る。対応するハンドオーバの方法については、既存の４Ｇハンドオーバ手順を参照されたい。この場合、４Ｇネットワーク中のソース（Ｓｏｕｒｃｅ）ＭＭＥは、本出願のこの実施形態におけるコンバージドネットワークデバイスと置き換えられる必要がある。本明細書では、詳細を説明しない。
【０１７６】
任意選択で、例えば、図１に示されたハンドオーバのシステムにおいて、第１のネットワークは、５Ｇネットワークであり、第２のネットワークは、４Ｇネットワークであり、即ち、ＮＧ−ＡＮデバイスは、ソースデバイスであり、Ｅ−ＵＴＲＡＮデバイスは、ターゲットデバイスである。図１１Ａ及び図１１Ｂは、本出願の一実施形態による、ハンドオーバの方法を示す。ハンドオーバの方法は、以下のステップを含む。
【０１７７】
ステップＳ１１０１からＳ１１０４は、ステップＳ８０１からＳ８０４と同じである。関連説明については、図８Ａ及び図８Ｂに示された実施形態を参照されたい。本明細書では、詳細を再び説明しない。
【０１７８】
Ｓ１１０５．ＮＧ−ＡＮデバイスは、コンバージドネットワークデバイスにハンドオーバ要件を送信し、従って、コンバージドネットワークデバイスは、ＮＧ−ＡＮデバイスからハンドオーバ要件を受信する。
【０１７９】
ハンドオーバ要件は、図１１Ａ及び図１１Ｂ中のＥ−ＵＴＲＡＮデバイスの識別子又はＥ−ＵＴＲＡＮデバイスによってサービスされるトラッキングエリアの識別を搬送する。
【０１８０】
Ｓ１１０６．コンバージドネットワークデバイスは、Ｅ−ＵＴＲＡＮデバイスの識別子又はＥ−ＵＴＲＡＮデバイスによってサービスされるトラッキングエリアの識別に基づいて、Ｅ−ＵＴＲＡＮデバイスがコンバージドネットワークデバイスによって管理されるのかどうかを決定する。
【０１８１】
本出願のこの実施形態では、Ｅ−ＵＴＲＡＮデバイスがコンバージドネットワークデバイスによって管理されるのかどうかは、接続がＥ−ＵＴＲＡＮデバイスとコンバージドネットワークデバイスとの間にセットアップされるのかどうかとして理解され得る。これは、統一された方式で本明細書では説明されており、以下で再び説明されない。
【０１８２】
任意選択で、コンバージドネットワークデバイスは、Ｅ−ＵＴＲＡＮデバイスのものであり、ハンドオーバ要件中で搬送される識別子をコンバージドネットワークデバイスに接続された各Ｅ−ＵＴＲＡＮデバイスのものであり、Ｅ−ＵＴＲＡＮデバイスによってＥ−ＵＴＲＡＮデバイス登録プロシージャ中に報告される識別子にマッチングさせ得る。マッチングが成功する場合、例えば、コンバージドネットワークデバイスに接続された各Ｅ−ＵＴＲＡＮデバイスのものであり、Ｅ−ＵＴＲＡＮデバイスによってＥ−ＵＴＲＡＮデバイス登録プロシージャ中で報告される識別子が、Ｅ−ＵＴＲＡＮデバイスのものであり、ハンドオーバ要件中で搬送される識別子を含む場合、図１１Ａ及び図１１Ｂ中のＥ−ＵＴＲＡＮデバイスがコンバージドネットワークデバイスによって管理されると決定され得る。
【０１８３】
代替として、任意選択で、コンバージドネットワークデバイスは、Ｅ−ＵＴＲＡＮデバイスによってサービスされるトラッキングエリアのものであり、ハンドオーバ要件中で搬送される識別をコンバージドネットワークデバイスに接続された各Ｅ−ＵＴＲＡＮデバイスによってサービスされるトラッキングエリアのものであり、Ｅ−ＵＴＲＡＮデバイスによってＥ−ＵＴＲＡＮデバイス登録プロシージャ中に報告される識別にマッチングさせ得る。マッチングが成功する場合、例えば、コンバージドネットワークデバイスに接続された各Ｅ−ＵＴＲＡＮデバイスによってサービスされるトラッキングエリアのものであり、ＮＧ−ＡＮデバイスによってＥ−ＵＴＲＡＮデバイス登録プロシージャ中で報告される識別が、Ｅ−ＵＴＲＡＮデバイスによってサービスされるトラッキングエリアのものであり、ハンドオーバ要件中で搬送される識別を含む場合、図１１Ａ及び図１１Ｂ中のＥ−ＵＴＲＡＮデバイスがコンバージドネットワークデバイスによって管理されると決定され得る。
【０１８４】
そうでない場合、コンバージドネットワークデバイスは、図１１Ａ及び図１１Ｂ中のＥ−ＵＴＲＡＮデバイスがコンバージドネットワークデバイスによって管理されないと決定し得る。
【０１８５】
Ｅ−ＵＴＲＡＮデバイスがコンバージドネットワークデバイスによって管理されるとコンバージドネットワークデバイスが決定するとき、本出願のこの実施形態において提供されるハンドオーバの方法は、以下のステップＳ１１０７ａからＳ１１１３ａをさらに含む。
【０１８６】
ステップＳ１１０７ａ及びＳ１１０８ａは、ステップＳ８０７ａ及びＳ８０８ａと同様である。例えば、差は、ステップＳ８０７ａ及びＳ８０８ａ中のＮＧ−ＡＮデバイスは、ステップＳ１１０７ａ及びＳ１１０８ａ中のＥ−ＵＴＲＡＮデバイスに置き換えられるということである。他の関連説明については、図８Ａ及び図８Ｂに示された実施形態を参照されたい。本明細書では、詳細を再び説明しない。
【０１８７】
ステップＳ１１０９ａ及びＳ１１１０ａは、ステップＳ８０９ａ及びＳ８１０ａと同様である。例えば、差は、ステップＳ８０９ａ及びＳ８１０ａ中のＥ−ＵＴＲＡＮデバイスは、ステップＳ１１０９ａ及びＳ１１１０ａ中のＮＧ−ＡＮデバイスに置き換えられるということである。他の関連説明については、図８Ａ及び図８Ｂに示された実施形態を参照されたい。本明細書では、詳細を再び説明しない。
【０１８８】
ステップＳ１１１１ａ及びＳ１１１２ａは、ステップＳ８１１ａ及びＳ８１２ａと同様である。例えば、差は、ステップＳ８１１ａ及びＳ８１２ａ中のＮＧ−ＡＮデバイスは、ステップＳ１１１１ａ及びＳ１１１２ａ中のＥ−ＵＴＲＡＮデバイスに置き換えられるということである。他の関連説明については、図８Ａ及び図８Ｂに示された実施形態を参照されたい。本明細書では、詳細を再び説明しない。
【０１８９】
Ｓ１１１３ａ．任意選択で、コンバージドネットワークデバイスは、ＮＧ−ＡＮデバイスに解放コマンドを送信し、従って、ＮＧ−ＡＮデバイスは、コンバージドネットワークデバイスから解放コマンドを受信する。解放コマンドは、端末の関連リソースを解放するように命令するために使用される。
【０１９０】
さらに、ＮＧ−ＡＮデバイスは、解放コマンドに基づいて端末の関連リソースを解放し得る。これは、本出願のこの実施形態では特に限定されない。
【０１９１】
代替として、Ｅ−ＵＴＲＡＮデバイスがコンバージドネットワークデバイスによって管理されないとコンバージドネットワークデバイスが決定するとき、本出願のこの実施形態において提供されるハンドオーバの方法は、以下のステップＳ１１０７ｂからＳ１１２１ｂをさらに含む。
【０１９２】
Ｓ１１０７ｂ．コンバージドネットワークデバイスは、完全修飾ドメイン名を構築する。ＦＱＤＮは、４Ｇネットワーク中の候補ＭＭＥネットワーク要素のアドレス情報にクエリするために使用される。
【０１９３】
例えば、コンバージドネットワークデバイスは、以下の方式でＦＱＤＮを構築し得る。
【０１９４】
方式１：コンバージドネットワークデバイスは、Ｅ−ＵＴＲＡＮデバイスの識別子に基づいてＦＱＤＮ６を構築し得る。ＦＱＤＮ６は、Ｅ−ＵＴＲＡＮデバイスの識別子を含む。ＦＱＤＮ６のフォーマットは、以下のように示される。
ｅｎｂ＜ｅＮｏｄｅＢ−ＩＤ＞．ｅｎｂ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１９５】
方式２：コンバージドネットワークデバイスは、Ｅ−ＵＴＲＡＮデバイスによってサービスされるトラッキングエリアの識別に基づいてＦＱＤＮ７を構築し得る。ＦＱＤＮ７は、Ｅ−ＵＴＲＡＮデバイスによってサービスされるトラッキングエリアの識別を含む。ＦＱＤＮ７のフォーマットは、以下の通りである。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１９６】
Ｓ１１０８ｂ．コンバージドネットワークデバイスは、ＤＮＳサーバにＤＮＳクエリ要求メッセージを送信し、従って、ＤＮＳサーバは、コンバージドネットワークデバイスからＤＮＳクエリ要求メッセージを受信する。ＤＮＳクエリ要求メッセージは、上記のＦＱＤＮを搬送し、候補ＭＭＥのアドレス情報をクエリすることを要求するために使用される。
【０１９７】
任意選択で、ステップＳ１００７ｂの方式１では、ＤＮＳサーバは、異なるＥ−ＵＴＲＡＮデバイスの各々の識別子と対応する候補ＭＭＥのアドレス情報との間の第４の対応を記憶し得る。さらに、ＤＮＳサーバがＥ−ＵＴＲＡＮデバイスの識別子を取得した後、ＤＮＳサーバは、Ｅ−ＵＴＲＡＮデバイスの識別子と記憶された第４の対応とに基づいて対応する候補ＭＭＥのアドレス情報を決定し得る。
【０１９８】
代替として、任意選択で、ステップＳ１００７ｂの方式２では、ＤＮＳサーバは、異なるＥ−ＵＴＲＡＮデバイスの各々によってサービスされるトラッキングエリアの識別と対応する候補ＭＭＥのアドレス情報との間の第５の対応を記憶し得る。さらに、ＤＮＳサーバがＥ−ＵＴＲＡＮデバイスによってサービスされるトラッキングエリアの識別を取得した後、ＤＮＳサーバは、Ｅ−ＵＴＲＡＮデバイスによってサービスされるトラッキングエリアの識別と記憶された第５の対応とに基づいて対応する候補ＭＭＥのアドレス情報を決定し得る。
【０１９９】
任意選択で、本出願のこの実施形態では、ＤＮＳサーバは、上記の方式で候補ＭＭＥのアドレス情報を決定するだけでなく、同様に、候補ＭＭＥの識別子、例えば、グローバルユニークＭＭＥ識別子（Ｇｌｏｂａｌｌｙ  Ｕｎｉｑｕｅ  ＭＭＥ  Ｉｄｅｎｔｉｆｉｅｒ、ＧＵＭＭＥＩ）のグループをも決定し得る。これは、本出願のこの実施形態では特に限定されない。
【０２００】
Ｓ１１０９ｂ．ＤＮＳサーバは、コンバージドネットワークデバイスにＤＮＳクエリ応答メッセージを送信し、従って、コンバージドネットワークデバイスは、ＤＮＳサーバからＤＮＳクエリ応答メッセージを受信する。ＤＮＳクエリ応答メッセージは、候補ＭＭＥのグループのアドレス情報を搬送する。
【０２０１】
任意選択で、ＤＮＳクエリ応答メッセージは、候補ＭＭＥのグループの識別子を搬送する。これは、本出願のこの実施形態では特に限定されない。
【０２０２】
Ｓ１１１０ｂ．コンバージドネットワークデバイスは、候補ＭＭＥのアドレス情報から４Ｇネットワーク中のターゲットＭＭＥのアドレス情報を選択する。ターゲットＭＭＥが図１１Ａ及び図１１Ｂに示され得ると仮定する。
【０２０３】
ステップＳ１１１１ｂからＳ１１１４ｂは、ステップＳ８１１ｂからＳ８１４ｂと同様である。例えば、差は、ステップＳ８１１ｂからＳ８１４ｂ中のターゲットＡＭＦネットワーク要素はステップＳ１１１１ｂからＳ１１１４ｂ中のターゲットＭＭＥと置き換えられ、ステップＳ８１１ｂからＳ８１４ｂ中のＮＧ−ＡＮデバイスは、ステップＳ１１１１ｂからＳ１１１４ｂ中のＥ−ＵＴＲＡＮデバイスと置き換えられるということである。他の関連説明については、図８Ａ及び図８Ｂに示された実施形態を参照されたい。本明細書では、詳細を再び説明しない。
【０２０４】
ステップＳ１１１５ｂ及びＳ１１１６ｂは、ステップＳ８１５ａ及びＳ８１６ａと同様である。例えば、差は、ステップＳ８１５ａ及びＳ８１６ａ中のＥ−ＵＴＲＡＮデバイスは、ステップＳ１１１５ａ及びＳ１１１６ａ中のＮＧ−ＡＮデバイスに置き換えられるということである。他の関連説明については、図８Ａ及び図８Ｂに示された実施形態を参照されたい。本明細書では、詳細を再び説明しない。
【０２０５】
ステップＳ１１１７ｂ及びＳ１１１８ｂは、ステップＳ８１７ｂ及びＳ８１８ｂと同様である。例えば、差は、ステップＳ８１７ｂ及びＳ８１８ｂ中のターゲットＡＭＦネットワーク要素はステップＳ１１１７ｂ及びＳ１１１８ｂ中のターゲットＭＭＥと置き換えられ、ステップＳ８１７ｂ及びＳ８１８ｂ中のＮＧ−ＡＮデバイスは、ステップＳ１１１７ｂ及びＳ１１１８ｂ中のＥ−ＵＴＲＡＮデバイスと置き換えられる。他の関連説明については、図８Ａ及び図８Ｂに示された実施形態を参照されたい。本明細書では、詳細を再び説明しない。
【０２０６】
ステップＳ１１１９ｂ及びＳ１１２０ｂは、ステップＳ８１９ｂ及びＳ８２０ｂと同様である。例えば、差は、ステップＳ８１９ｂ及びＳ８２０ｂ中のターゲットＡＭＦネットワーク要素は、ステップＳ１１１９ｂ及びＳ１１２０ｂ中のターゲットＭＭＥに置き換えられるということである。他の関連説明については、図８Ａ及び図８Ｂに示された実施形態を参照されたい。本明細書では、詳細を再び説明しない。
【０２０７】
ステップＳ１１２１ｂは、ステップＳ１１１３ａと同じである。他の関連説明については、ステップＳ１１１３ａを参照されたい。本明細書では、詳細を再び説明しない。
【０２０８】
本出願のこの実施形態において提供されるハンドオーバの方法に基づいて、端末のハンドオーバ手順が簡略化され得るだけでなく、５Ｇネットワークから４Ｇネットワークへの端末のハンドオーバも実施され得る。関連する技術的効果に関する分析については、ハンドオーバのシステムの部分の関連説明を参照されたい。本明細書では、詳細を再び説明しない。
【０２０９】
ステップＳ１１０１からＳ１１１３ａ中又はＳ１１０１からＳ１１２１ｂ中のコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０２１０】
任意選択で、図１１Ａ及び図１１Ｂに示された実施形態は、コンバージドネットワークデバイスにＮＧ−ＡＮデバイスによって送られるハンドオーバ要件が図１１Ａ及び図１１Ｂ中のＥ−ＵＴＲＡＮデバイスの識別子又はＥ−ＵＴＲＡＮデバイスによってサービスされるトラッキングエリアの識別を搬送する一例を使用することによって説明される。もちろん、コンバージドネットワークデバイスにＮＧ−ＡＮデバイスによって送られるハンドオーバ要件は、代替として、ＮＧ−ＡＮデバイスの識別子又はＮＧ−ＡＮデバイスによってサービスされるトラッキングエリアの識別を搬送し得る。対応するハンドオーバの方法については、既存の５Ｇハンドオーバ手順を参照されたい。この場合、５Ｇネットワーク中のソース（Ｓｏｕｒｃｅ）ＡＭＦネットワーク要素は、この実施形態における本出願のコンバージドネットワークデバイスと置き換えられる必要がある。本明細書では、詳細を説明しない。
【０２１１】
上記は、主に、ネットワーク要素間の対話の観点から本出願の実施形態で提供される解決策について説明した。上記の機能を実施するために、コンバージドネットワークデバイスは、機能を実行するための対応するハードウェア構造及び／又はソフトウェアモジュールを含むことが理解され得る。当業者は、本明細書に開示した実施形態において説明された例のユニット及びアルゴリズムステップと組み合わせて、本出願がハードウェア又はハードウェアとコンピュータソフトウェアとの組合せによって実施され得ることを容易に認識すべきである。機能がハードウェアによって実行されるのか又はコンピュータソフトウェアによって駆動されるハードウェアによって実行されるのかは、特定の適用例と技術的解決策の設計制約とに依存する。当業者は、特定の適用例ごとに説明した機能を実施するために異なる方法を使用し得るが、実施が本出願の範囲を越えると見なすべきではない。
【０２１２】
本出願の実施形態では、コンバージドネットワークデバイスは、上記の方法例に基づいて機能モジュールに分割され得る。例えば、各機能モジュールは、それぞれの対応する機能に基づき区分を通して取得され得るか、又は２つ以上の機能は、１つの処理モジュールに統合され得る。統合モジュールは、ハードウェアの形態で実施され得るか、又はソフトウェア機能モジュールの形態で実施され得る。本出願の実施形態では、モジュールへの区分は、一例であり、論理機能区分にすぎず、実際の実施では他の区分があり得ることに留意されたい。
【０２１３】
例えば、各機能モジュールが統合方式での区分を通して取得されるとき、図１２は、コンバージドネットワークデバイス１２０の概略構造図である。コンバージドネットワークデバイス１２０は、トランシーバモジュール１２０１と処理モジュール１２０２とを含む。
【０２１４】
可能な実装では、トランシーバモジュール１２０１は、第１のネットワーク中の第１のアクセスデバイスからハンドオーバ要件を受信するように構成される。ハンドオーバ要件は、第２のネットワーク中の第２のアクセスデバイスの識別子又は第２のアクセスデバイスによってサービスされるトラッキングエリアの識別を搬送する。第１のネットワークと第２のネットワークとは、異なるタイプのネットワークである。処理モジュール１２０２は、第２のアクセスデバイスの識別子又は第２のアクセスデバイスによってサービスされるトラッキングエリアの識別に基づいて、第２のアクセスデバイスがコンバージドネットワークデバイス１２０によって管理されると決定するように構成される。トランシーバモジュール１２０１は、第２のアクセスデバイスにハンドオーバ要求を送信するようにさらに構成される。ハンドオーバ要求は、第２のアクセスデバイスに端末のための関連リソースを準備するように要求するために使用される。トランシーバモジュール１２０１は、第１のアクセスデバイスにハンドオーバコマンドを送信するようにさらに構成される。ハンドオーバコマンドは、第２のアクセスデバイスに端末をハンドオーバするように命令するために使用される。トランシーバモジュール１２０１は、第２のアクセスデバイスからハンドオーバ通知を受信するようにさらに構成される。ハンドオーバ通知は、端末が第２のアクセスデバイスにハンドオーバされることを示すために使用される。
【０２１５】
別の可能な実装では、トランシーバモジュール１２０１は、第１のネットワーク中の第１のアクセスデバイスからハンドオーバ要件を受信するように構成される。ハンドオーバ要件は、第２のネットワーク中の第２のアクセスデバイスの識別子又は第２のアクセスデバイスによってサービスされるトラッキングエリアの識別を搬送する。第１のネットワークは４Ｇネットワークであり、第２のネットワークは５Ｇネットワークである。処理モジュール１２０２は、第２のアクセスデバイスの識別子又は第２のアクセスデバイスによってサービスされるトラッキングエリアの識別に基づいて、第２のアクセスデバイスがコンバージドネットワークデバイス１２０によって管理されないと決定するように構成される。処理モジュール１２０２は、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することと、ターゲットモビリティ管理ネットワーク要素のアドレス情報に基づいてターゲットモビリティ管理ネットワーク要素に移転することとを行うようにさらに構成される。トランシーバモジュール１２０１は、第１のアクセスデバイスにハンドオーバコマンドを送信するようにさらに構成される。ハンドオーバコマンドは、第２のアクセスデバイスに端末をハンドオーバするように第１のアクセスデバイスに命令するために使用される。
【０２１６】
任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスの識別子に基づいて第１の完全修飾ドメイン名を構築することであって、第１の完全修飾ドメイン名は、第２のアクセスデバイスの識別子を含む、ことと、ＤＮＳサーバに第１の完全修飾ドメイン名を送信することであって、第１の完全修飾ドメイン名は、５Ｇネットワーク中の１つ又は複数の候補モビリティ管理ネットワーク要素のアドレス情報を決定するために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１７】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスによってサービスされるトラッキングエリアの識別に基づいて第２の完全修飾ドメイン名を構築することであって、第２の完全修飾ドメイン名は、第２のアクセスデバイスによってサービスされるトラッキングエリアの識別を含む、ことと、ＤＮＳサーバに第２の完全修飾ドメイン名を送信することであって、第２の完全修飾ドメイン名は、５Ｇネットワーク中の１つ又は複数の候補モビリティ管理ネットワーク要素のアドレス情報を決定するために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１８】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスによってサービスされるトラッキングエリアの識別に基づいて第３の完全修飾ドメイン名を構築することであって、第３の完全修飾ドメイン名は、第２のアクセスデバイスによってサービスされるトラッキングエリアの識別中にＭＣＣと、ＭＮＣと、ＴＡＣの下位１６ビットとを含み、第３の完全修飾ドメイン名のフォーマットは、４Ｇネットワーク中のトラッキングエリアの識別に対応する完全修飾ドメイン名フォーマットである、ことと、ＤＮＳサーバに第３の完全修飾ドメイン名を送信することであって、第３の完全修飾ドメイン名は、５Ｇネットワーク中の１つ又は複数の候補モビリティ管理ネットワーク要素のアドレス情報をクエリするために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１９】
上記の場合では、処理モジュール１２０２が、ターゲットモビリティ管理ネットワーク要素のアドレス情報に基づいてターゲットモビリティ管理ネットワーク要素に移転するように構成されることは、詳細には、以下の通りである。処理モジュール１２０２は、ターゲットモビリティ管理ネットワーク要素にフォワード移転要求メッセージを送信するように構成される。フォワード移転要求メッセージは、端末の４Ｇコンテキストを搬送し、端末のためのリソースを準備するようにターゲットモビリティ管理ネットワーク要素に要求するために使用される。
【０２２０】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、ネットワークリポジトリ機能ネットワーク要素に第２のアクセスデバイスの識別子又は第２のアクセスデバイスによってサービスされるトラッキングエリアの識別を送信することであって、第２のアクセスデバイスの識別子又は第２のアクセスデバイスによってサービスされるトラッキングエリアの識別は、５Ｇネットワーク中の１つ又は複数の候補モビリティ管理ネットワーク要素のアドレス情報をクエリするために使用される、ことと、ネットワークリポジトリ機能ネットワーク要素から５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２２１】
上記の場合では、処理モジュール１２０２が、ターゲットモビリティ管理ネットワーク要素のアドレス情報に基づいてターゲットモビリティ管理ネットワーク要素に移転するように構成されることは、詳細には、以下の通りである。処理モジュール１２０２は、ターゲットモビリティ管理ネットワーク要素にコンテキスト作成要求メッセージを送信するように構成される。コンテキスト作成要求メッセージは、端末の４Ｇコンテキストから変換された５Ｇコンテキストを搬送し、端末のためのリソースを準備するようにターゲットモビリティ管理ネットワーク要素に要求するために使用される。
【０２２２】
上記の場合では、トランシーバモジュール１２０１は、ターゲットモビリティ管理ネットワーク要素からＮ２通知メッセージを受信することであって、Ｎ２通知メッセージは、端末の関連リソースを解放するようにコンバージドネットワークデバイス１２０に指示するために使用される、ことを行うようにさらに構成され、処理モジュール１２０２は、Ｎ２通知メッセージに基づいて端末の関連リソースを解放するようにさらに構成される。
【０２２３】
上記の方法実施形態におけるステップに関連するすべてのコンテンツは、対応する機能モジュールの機能説明で言及され得る。本明細書では、詳細を説明しない。
【０２２４】
この実施形態では、コンバージドネットワークデバイス１２０は、統合方式で区分を通して取得された機能モジュールの形態で提示される。本明細書では、「モジュール」は、１つ又は複数のソフトウェア又はファームウェアプログラム、集積論理回路、及び／又は上記の機能を与えることができる別の構成要素を実行するための特定のＡＳＩＣ、回路、プロセッサ及びメモリであり得る。単純な実施形態では、当業者は、コンバージドネットワークデバイス１２０が図３に示された形態を使用し得ると理解し得る。
【０２２５】
例えば、図３中のプロセッサ３０１は、メモリ３０３中に記憶されたコンピュータ実行命令を呼び出してもよく、従って、コンバージドネットワークデバイス１２０は、上記の方法実施形態でハンドオーバの方法を実行する。
【０２２６】
詳細には、図１２中のトランシーバモジュール１２０１と処理モジュール１２０２との機能／実施処理は、メモリ３０３中に記憶されたコンピュータ実行命令を呼び出すことによって図３中のプロセッサ３０１によって実施され得る。代替として、図１２中の処理モジュール１２０２の機能／実施処理は、メモリ３０３中に記憶されたコンピュータ実行命令を呼び出すことによって図３中のプロセッサ３０１によって実施され得るし、図１２中のトランシーバモジュール１２０１の機能／実施処理は、図３中の通信インターフェース３０４を使用することによって実施され得る。
【０２２７】
この実施形態において提供されるコンバージドネットワークデバイスが上記のハンドオーバの方法を実行し得るので、コンバージドネットワークデバイスによって取得され得る技術的効果については、上記の方法実施形態を参照されたい。本明細書では、詳細を再び説明しない。
【０２２８】
任意選択で、本出願の一実施形態は、装置をさらに与える（例えば、装置はチップシステムであり得る）。装置は、コンバージドネットワークデバイスが、上記のハンドオーバの方法を実施すること、例えば、第２のアクセスデバイスの識別子又は第２のアクセスデバイスによってサービスされるトラッキングエリアの識別に基づいて、第２のアクセスデバイスがコンバージドネットワークデバイスによって管理されると決定する際にサポートするように構成されたプロセッサを含む。可能な設計では、装置はメモリをさらに含む。メモリは、コンバージドネットワークデバイスによって要求されるプログラム命令とデータとを記憶するように構成される。もちろん、メモリは、装置中にないことがある。装置がチップシステムであるとき、装置は、チップを含み得るか、又はチップと別の個別デバイスとを含み得る。これは、本出願のこの実施形態では特に限定されない。
【０２２９】
上記の実施形態の全部又は一部は、ソフトウェア、ハードウェア、ファームウェア、又はそれらの任意の組合せを使用することによって実施され得る。ソフトウェアプログラムが実施形態を実施するために使用されるとき、実施形態の全部又は一部はコンピュータプログラム製品の形態で実施され得る。コンピュータプログラム製品は、１つ又は複数のコンピュータ命令を含む。コンピュータプログラム命令がコンピュータ上にロードされ、実行されるとき、本出願の実施形態によるプロシージャ又は機能がすべて又は部分的に生成される。コンピュータは、汎用コンピュータ、専用コンピュータ、コンピュータネットワーク、又は別のプログラマブル装置であり得る。コンピュータ命令は、コンピュータ可読記憶媒体中に記憶され得るか、又はコンピュータ可読記憶媒体から別のコンピュータ可読記憶媒体に送信され得る。例えば、コンピュータ命令は、ワイヤード（例えば、同軸ケーブル、光ファイバ、又はデジタル加入者回線（Ｄｉｇｉｔａｌ  Ｓｕｂｓｃｒｉｂｅｒ  Ｌｉｎｅ、ＤＳＬ））又はワイヤレス（例えば、赤外線、無線、又はマイクロ波）の方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体又は１つ又は複数の使用可能な媒体を統合するサーバ又はデータセンターなどのデータストレージデバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Ｓｏｌｉｄ  Ｓｔａｔｅ  Ｄｉｓｋ、ＳＳＤ））などであり得る。
【０２３０】
本出願について実施形態を参照しながら説明するが、保護を主張する本出願を実施する処理において、当業者は、添付の図面、開示する内容、及び添付の特許請求の範囲を閲覧することによって開示する実施形態の別の変形形態を理解し、実施し得る。特許請求の範囲において、単語「を備える（ｃｏｍｐｒｉｓｉｎｇ）」は、別の構成要素又は別のステップを除外せず、「１つの（ａ）」又は「１つの（ｏｎｅ）」は複数の場合を除外しない。単一のプロセッサ又は別のユニットは、特許請求の範囲において列挙されるいくつかの機能を実施し得る。いくつかの手段が互いに異なる従属請求項に記録されるが、これは、これらの手段が組み合わされてより良い効果を生成することができないことを意味しない。
【０２３１】
本出願について、特定の特徴及びそれの実施形態を参照しながら説明するが、明らかに、様々な変更及び組合せが本出願の趣旨及び範囲から逸脱することなくそれらに行われ得る。相応して、本明細書及び添付の図面は、添付の特許請求の範囲によって定義される本出願の例示的な説明にすぎず、本出願の範囲内の変更形態、変形形態、組合せ又は等価物のいずれか又はすべてを包含するものである。明らかに、当業者は、本出願の趣旨及び範囲から逸脱することなく本出願に様々な修正及び変更を行うことができる。本出願のこれらの修正及び変更が、本出願の特許請求の範囲及びそれらの等価な技術の範囲内に入るという条件で、本出願は、本出願のこれらの修正及び変更を包含するものである。
【図１】
2021526775.tif 000003
【図２】
2021526775.tif 000004
【図３】
2021526775.tif 000005
【図４】
2021526775.tif 000006
【図５】
2021526775.tif 000007
【図６】
2021526775.tif 000008
【図７】
2021526775.tif 000009
【図８Ａ】
2021526775.tif 000010
【図８Ｂ】
2021526775.tif 000011
【図９】
2021526775.tif 000012
【図１０Ａ】
2021526775.tif 000013
【図１０Ｂ】
2021526775.tif 000014
【図１１Ａ】
2021526775.tif 000015
【図１１Ｂ】
2021526775.tif 000016
【図１２】
2021526775.tif 000017
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
ハンドオーバ方法であって、前記ハンドオーバ方法は、
ネットワークデバイスによって、第１のネットワーク内の第１のアクセスデバイスからハンドオーバ要件を受信するステップであって、前記ハンドオーバ要件は、第２のネットワーク内の第２のアクセスデバイスの識別子、又は前記第２のアクセスデバイスによってサービスされるトラッキングエリアの識別を搬送し、前記第１のネットワーク及び前記第２のネットワークは、異なるタイプのネットワークである、ステップと、
前記ネットワークデバイスによって、前記第２のアクセスデバイスの前記識別子、又は前記第２のアクセスデバイスによってサービスされる前記トラッキングエリアの前記識別に基づいて、前記第２のアクセスデバイスが前記ネットワークデバイスによって管理されることを決定するステップと、
前記ネットワークデバイスによって、前記第２のアクセスデバイスにハンドオーバ要求を送信するステップであって、前記ハンドオーバ要求は、端末のための関連リソースを準備することを前記第２のアクセスデバイスに要求するために利用される、ステップと、
前記ネットワークデバイスによって、前記第１のアクセスデバイスにハンドオーバコマンドを送信するステップであって、前記ハンドオーバコマンドは、前記端末を前記第２のアクセスデバイスにハンドオーバするように命令するために利用される、ステップと、
前記ネットワークデバイスによって、前記第２のアクセスデバイスからハンドオーバ通知を受信するステップであって、前記ハンドオーバ通知は、前記端末が前記第２のアクセスデバイスにハンドオーバされることを示すために利用される、ステップと、
を含む、ハンドオーバ方法。
【請求項２】
前記第１のネットワークが第５世代（５Ｇ）ネットワークであり、かつ前記第２のネットワークが第４世代（４Ｇ）ネットワークである、又は
前記第１のネットワークが４Ｇネットワークであり、かつ前記第２のネットワークが５Ｇネットワークである、
請求項１に記載のハンドオーバ方法。
【請求項３】
ハンドオーバ方法であって、前記ハンドオーバ方法は、
ネットワークデバイスによって、第１のネットワーク内の第１のアクセスデバイスからハンドオーバ要件を受信するステップであって、前記ハンドオーバ要件は、第２のネットワーク内の第２のアクセスデバイスの識別子、又は前記第２のアクセスデバイスによってサービスされるトラッキングエリアの識別を搬送し、前記第１のネットワークは第４世代（４Ｇ）ネットワークであり、前記第２のネットワークは第５世代（５Ｇ）ネットワークである、ステップと、
前記ネットワークデバイスによって、前記第２のアクセスデバイスの前記識別子、又は前記第２のアクセスデバイスによってサービスされる前記トラッキングエリアの前記識別に基づいて、前記第２のアクセスデバイスが前記ネットワークデバイスによって管理されないことを決定するステップと、
前記ネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得し、前記ターゲットモビリティ管理ネットワーク要素の前記アドレス情報に基づいて、前記ターゲットモビリティ管理ネットワーク要素に移転するステップと、
前記ネットワークデバイスによって、前記第１のアクセスデバイスにハンドオーバコマンドを送信するステップであって、前記ハンドオーバコマンドは、前記第１のアクセスデバイスに対し、端末を前記第２のアクセスデバイスにハンドオーバするように命令するために利用される、ステップと、
を含む、ハンドオーバ方法。
【請求項４】
前記ネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記ネットワークデバイスによって、前記第２のアクセスデバイスの前記識別子に基づいて、第１の完全修飾ドメイン名を構成するステップであって、前記第１の完全修飾ドメイン名は、前記第２のアクセスデバイスの前記識別子を含む、ステップと、
前記ネットワークデバイスによって、ドメイン名システム（ＤＮＳ）サーバに前記第１の完全修飾ドメイン名を送信するステップであって、前記第１の完全修飾ドメイン名は、前記５Ｇネットワーク内の１つ又は複数の候補モビリティ管理ネットワーク要素のアドレス情報を決定するために利用される、ステップと、
前記ネットワークデバイスによって、前記ＤＮＳサーバから、前記５Ｇネットワーク内の前記候補モビリティ管理ネットワーク要素の前記アドレス情報を受信するステップと、
前記ネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、を含む、
請求項３に記載のハンドオーバ方法。
【請求項５】
前記第１の完全修飾ドメイン名のフォーマットが、前記５Ｇネットワーク内のアクセスデバイスの識別子に対応する完全修飾ドメイン名フォーマットである、又は
前記第１の完全修飾ドメイン名のフォーマットが、前記４Ｇネットワーク内のアクセスデバイスの識別子に対応する完全修飾ドメイン名フォーマットである、
請求項４に記載のハンドオーバ方法。
【請求項６】
前記ネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記ネットワークデバイスによって、前記第２のアクセスデバイスによってサービスされる前記トラッキングエリアの前記識別に基づいて、第２の完全修飾ドメイン名を構成するステップであって、前記第２の完全修飾ドメイン名は、前記第２のアクセスデバイスによってサービスされる前記トラッキングエリアの前記識別を含む、ステップと、
前記ネットワークデバイスによって、ＤＮＳサーバに前記第２の完全修飾ドメイン名を送信するステップであって、前記第２の完全修飾ドメイン名は、前記５Ｇネットワーク内の１つ又は複数の候補モビリティ管理ネットワーク要素のアドレス情報を決定するために利用される、ステップと、
前記ネットワークデバイスによって、前記ＤＮＳサーバから、前記５Ｇネットワーク内の前記候補モビリティ管理ネットワーク要素の前記アドレス情報を受信するステップと、
前記ネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、を含む、
請求項３に記載のハンドオーバ方法。
【請求項７】
前記第２の完全修飾ドメイン名のフォーマットが、前記５Ｇネットワーク内のトラッキングエリアの識別に対応する完全修飾ドメイン名フォーマットである、又は
前記第２の完全修飾ドメイン名のフォーマットが、前記４Ｇネットワーク内のトラッキングエリアの識別に対応する完全修飾ドメイン名フォーマットである、
請求項６に記載のハンドオーバ方法。
【請求項８】
前記ネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記ネットワークデバイスによって、前記第２のアクセスデバイスによってサービスされる前記トラッキングエリアの前記識別に基づいて、第３の完全修飾ドメイン名を構成するステップであって、前記第３の完全修飾ドメイン名は、モバイルカントリーコード（ＭＣＣ）、モバイルネットワークコード（ＭＮＣ）、及び、前記第２のアクセスデバイスによってサービスされる前記トラッキングエリアの前記識別におけるトラッキングエリアコード（ＴＡＣ）の下位１６ビットを含み、前記第３の完全修飾ドメイン名のフォーマットは、前記４Ｇネットワーク内のトラッキングエリアの識別に対応する完全修飾ドメイン名フォーマットである、ステップと、
前記ネットワークデバイスによって、ＤＮＳサーバに前記第３の完全修飾ドメイン名を送信するステップであって、前記第３の完全修飾ドメイン名は、前記５Ｇネットワーク内の１つ又は複数の候補モビリティ管理ネットワーク要素のアドレス情報をクエリするために利用される、ステップと、
前記ネットワークデバイスによって、前記ＤＮＳサーバから、前記５Ｇネットワーク内の前記候補モビリティ管理ネットワーク要素の前記アドレス情報を受信するステップと、
前記ネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、を含む、
請求項３に記載のハンドオーバ方法。
【請求項９】
前記第２のアクセスデバイスによってサービスされる前記トラッキングエリアの前記識別における前記ＴＡＣの前記下位１６ビットは、前記第１のアクセスデバイスによってサービスされるトラッキングエリアの識別におけるＴＡＣと同じである、
請求項８に記載のハンドオーバ方法。
【請求項１０】
前記ネットワークデバイスによって、前記ターゲットモビリティ管理ネットワーク要素の前記アドレス情報に基づいて、前記ターゲットモビリティ管理ネットワーク要素に移転する前記ステップは、特に、
前記ネットワークデバイスによって、フォワード移転要求メッセージを前記ターゲットモビリティ管理ネットワーク要素に送信するステップであって、前記フォワード移転要求メッセージは、前記端末の４Ｇコンテキストを搬送し、かつ前記ターゲットモビリティ管理ネットワーク要素に対し、前記端末のためのリソースを準備するように要求するために利用される、ステップである、
請求項４〜９のいずれか１項に記載のハンドオーバ方法。
【請求項１１】
前記ネットワークデバイスによって、前記第２のアクセスデバイスの前記識別子、又は前記第２のアクセスデバイスによってサービスされる前記トラッキングエリアの前記識別に基づいて、前記第２のネットワーク内のターゲットモビリティ管理ネットワーク要素のアドレス情報を取得する前記ステップは、特に、
前記ネットワークデバイスによって、前記第２のアクセスデバイスの前記識別子、又は前記第２のアクセスデバイスによってサービスされる前記トラッキングエリアの前記識別をネットワークリポジトリ機能ネットワーク要素に送信するステップであって、
前記第２のアクセスデバイスの前記識別子、又は前記第２のアクセスデバイスによってサービスされる前記トラッキングエリアの前記識別は、前記５Ｇネットワーク内の１つ又は複数の候補モビリティ管理ネットワーク要素のアドレス情報をクエリするために利用される、ステップと、
前記ネットワークデバイスによって、前記ネットワークリポジトリ機能ネットワーク要素から、前記５Ｇネットワーク内の前記候補モビリティ管理ネットワーク要素の前記アドレス情報を受信するステップと、
前記ネットワークデバイスによって、前記候補モビリティ管理ネットワーク要素の前記アドレス情報から、前記５Ｇネットワーク内の前記ターゲットモビリティ管理ネットワーク要素の前記アドレス情報を選択するステップと、を含む、
請求項３に記載のハンドオーバ方法。
【請求項１２】
前記ネットワークデバイスによって、前記ターゲットモビリティ管理ネットワーク要素の前記アドレス情報に基づいて、前記ターゲットモビリティ管理ネットワーク要素に移転する前記ステップは、特に、
前記ネットワークデバイスによって、コンテキスト作成要求メッセージを前記ターゲットモビリティ管理ネットワーク要素に送信するステップであって、前記コンテキスト作成要求メッセージは、前記端末の４Ｇコンテキストから変換された５Ｇコンテキストを搬送し、かつ前記端末のためのリソースを準備するように前記ターゲットモビリティ管理ネットワーク要素に要求するために利用される、ステップである、
請求項１１に記載のハンドオーバ方法。
【請求項１３】
前記ハンドオーバ方法は、
前記ネットワークデバイスによって、前記ターゲットモビリティ管理ネットワーク要素からＮ２通知メッセージを受信するステップであって、前記Ｎ２通知メッセージは、前記端末の関連リソースを解放するように前記ネットワークデバイスに指示するために利用される、ステップと、
前記ネットワークデバイスによって、前記Ｎ２通知メッセージに基づいて、前記端末のための前記関連リソースを解放するステップと、
をさらに含む、
請求項１１又は１２に記載のハンドオーバ方法。
【請求項１４】
プロセッサと、メモリとを備えるネットワークデバイスであって、前記メモリは、コンピュータ実行命令を格納するように構成され、前記ネットワークデバイスが動作するとき、前記プロセッサは、前記メモリに格納された前記コンピュータ実行命令を実行して、前記ネットワークデバイスが請求項１〜１３のいずれか１項に記載の前記ハンドオーバ方法を実行できるようにする、
ネットワークデバイス。
【請求項１５】
請求項１４に記載の前記ネットワークデバイスと、第１のネットワーク内の第１のアクセスデバイスと、第２のネットワーク内の第２のアクセスデバイスとを含む、
ハンドオーバシステム。
【手続補正２】
【補正対象書類名】明細書
【補正対象項目名】全文
【補正方法】変更
【補正の内容】
【発明の詳細な説明】
【技術分野】
【０００１】
本出願は、その全体が参照により本明細書に組み込まれる、「ＨＡＮＤＯＶＥＲ  ＭＥＴＨＯＤ，ＤＥＶＩＣＥ，ＡＮＤ  ＳＹＳＴＥＭ」と題する、２０１８年７月１７日に中国国家知識産権局に出願された中国特許出願第２０１８１０７８３７００．０号の優先権を主張する。
【０００２】
本出願は、通信技術の分野に関し、特に、ハンドオーバの方法及びシステム、並びにデバイスに関する。
【背景技術】
【０００３】
現在、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）の技術仕様（Ｔｅｃｈｎｉｃａｌ  Ｓｐｅｃｉｆｉｃａｔｉｏｎ、ＴＳ）２３．５０１では、第４世代（４ｔｈ  Ｇｅｎｅｒａｔｉｏｎ、４Ｇ）ネットワークと第５世代（５ｔｈ  Ｇｅｎｅｒａｔｉｏｎ、５Ｇ）ネットワークとの中での端末の相互動作プロシージャが定義されている。例えば、相互動作プロシージャは、５Ｇネットワークから４Ｇネットワークに端末をハンドオーバする処理又は４Ｇネットワークから５Ｇネットワークに端末をハンドオーバする処理を含む。
【０００４】
４Ｇネットワークと５Ｇネットワークとの間の相互動作を実施するために、４Ｇネットワークと５Ｇネットワークとの間にあり、現在３ＧＰＰ規格グループで議論されている相互動作アーキテクチャにおいて、Ｎ２６インターフェースが、５Ｇネットワーク中のアクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワーク要素と４Ｇネットワーク中のモビリティ管理エンティティ（Ｍｏｂｉｌｉｔｙ  Ｍａｎａｇｅｍｅｎｔ  Ｅｎｔｉｔｙ、ＭＭＥ）との間に追加される。ＭＭＥネットワーク要素とＡＭＦネットワーク要素の間の通信は、Ｎ２６インターフェースを使用することによって実施され得る。
【０００５】
しかし、一態様において、上記の相互動作プロシージャが上記の相互動作アーキテクチャを使用することによって実行されるとき、より多くのシグナリング対話が追加される必要がある。例えば、５Ｇネットワークから４Ｇネットワークに端末をハンドオーバするプロセスでは、ソース（Ｓｏｕｒｃｅ）ＡＭＦネットワーク要素は、ターゲット（Ｔａｒｇｅｔ）ＭＭＥのアドレス情報を取得し、ターゲットＭＭＥのアドレス情報に基づいてターゲットＭＭＥに移転する必要があるか、又は４Ｇネットワークから５Ｇネットワークに端末をハンドオーバするプロセスでは、ソース（Ｓｏｕｒｃｅ）ＭＭＥは、ターゲット（Ｔａｒｇｅｔ）ＡＭＦネットワーク要素のアドレス情報を取得し、ターゲットＡＭＦネットワーク要素のアドレス情報に基づいてターゲットＭＭＥに移転する必要がある。別の態様において、４Ｇネットワークから５Ｇネットワークに端末をハンドオーバするプロセスでは、ソース（Ｓｏｕｒｃｅ）ＭＭＥがターゲット（Ｔａｒｇｅｔ）ＡＭＦネットワーク要素にどのようにクエリするのかは、３ＧＰＰプロトコルに現在定義されていない。言い換えれば、現在、４Ｇネットワークから５Ｇネットワークへの端末のハンドオーバは実際に実施され得ない。
【０００６】
従って、端末のハンドオーバ手順をどのように簡略化するのか、及び４Ｇネットワークから５Ｇネットワークへの端末のハンドオーバをどのように実施するのかは、現在解決されるべき緊急の問題である。
【発明の概要】
【０００７】
本出願の実施形態は、端末のハンドオーバ手順を簡略化し、４Ｇネットワークから５Ｇネットワークへの端末のハンドオーバを実施するためのハンドオーバの方法及びシステム、並びにデバイスを提供する。
【０００８】
上記の目的を達成するために、以下の技術的解決策が本出願の実施形態において使用される。
【０００９】
第１の態様によれば、ハンドオーバの方法が提供される。ハンドオーバの方法は、以下を含む。コンバージドネットワークデバイスは、第１のネットワーク中の第１のアクセスデバイスからハンドオーバ要件を受信する。ハンドオーバ要件は、第２のネットワーク中の第２のアクセスデバイスの識別子又は第２のアクセスデバイスによってサービスされるトラッキングエリアの識別を搬送する。第１のネットワークと第２のネットワークとは、異なるタイプのネットワークである。コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定する。コンバージドネットワークデバイスは、第２のアクセスデバイスにハンドオーバ要求を送信する。ハンドオーバ要求は、第２のアクセスデバイスに端末のための関連リソースを準備するように要求するために使用される。コンバージドネットワークデバイスは、第１のアクセスデバイスにハンドオーバコマンドを送信する。ハンドオーバコマンドは、第２のアクセスデバイスに端末をハンドオーバするように命令するために使用される。コンバージドネットワークデバイスは、第２のアクセスデバイスからハンドオーバ通知を受信する。ハンドオーバ通知は、端末が第２のアクセスデバイスにハンドオーバされることを示すために使用される。この解決策に基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、次いで、第２のアクセスデバイスに、端末のための関連リソースを準備するように第２のアクセスデバイスに要求するためのハンドオーバ要求を直接送信し、第１のアクセスデバイスに、第２のアクセスデバイスに端末をハンドオーバするように第１のアクセスデバイスに命令するためのハンドオーバコマンドを送信してもよく、従って、第１のネットワークから第２のネットワークへの端末のハンドオーバが実施され得る。これは、第１のネットワークと第２のネットワークとが異なるタイプのネットワークであるとき、ソースモビリティ管理ネットワーク要素は、ターゲットモビリティ管理ネットワーク要素のアドレス情報を最初にクエリし、次いで、第１のネットワークから第２のネットワークへの端末のハンドオーバを実施するためにターゲットモビリティ管理ネットワーク要素に移転する必要がある従来技術とは異なる。このようにして、ネットワーク要素間でのメッセージ対話が低減され、端末のハンドオーバ手順が簡略化される。さらに、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバの方法におけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、従って、ハードウェアリソースが共有されて、リソースの利用効率と投資利益率とを改善する。
【００１０】
任意選択で、本出願のこの実施形態では、第１のネットワークは、第５世代（５Ｇ）ネットワークであり、第２のネットワークは、第４世代（４Ｇ）ネットワークである。代替として、第１のネットワークは４Ｇネットワークであり、第２のネットワークは５Ｇネットワークである。
【００１１】
第２の態様によれば、ハンドオーバの方法が提供される。ハンドオーバの方法は、以下を含む。コンバージドネットワークデバイスは、第１のネットワーク中の第１のアクセスデバイスからハンドオーバ要件を受信する。ハンドオーバ要件は、第２のネットワーク中の第２のアクセスデバイスの識別子又は第２のアクセスデバイスによってサービスされるトラッキングエリアの識別を搬送する。第１のネットワークは第４世代（４Ｇ）ネットワークであり、第２のネットワークは第５世代（５Ｇ）ネットワークである。コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されないと決定する。コンバージドネットワークデバイスは、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転する。コンバージドネットワークデバイスは、第１のアクセスデバイスにハンドオーバコマンドを送信する。ハンドオーバコマンドは、第２のアクセスデバイスに端末をハンドオーバするように第１のアクセスデバイスに命令するために使用される。この解決策に基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、次いで、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転し得る。従って、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバの方法におけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、従って、ハードウェアリソースが共有されて、リソースの利用率と投資利益率とを改善する。
【００１２】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスの識別子に基づいて第１の完全修飾ドメイン名を構築することである。第１の完全修飾ドメイン名は、第２のアクセスデバイスの識別子を含む。コンバージドネットワークデバイスは、ドメイン名システム（ＤＮＳ）サーバに第１の完全修飾ドメイン名を送信する。第１の完全修飾ドメイン名は、５Ｇネットワーク中の１つ又は複数の候補モビリティ管理ネットワーク要素のアドレス情報を決定するために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１３】
任意選択で、本出願のこの実施形態では、第１の完全修飾ドメイン名のフォーマットは、５Ｇネットワーク中のアクセスデバイスの識別子に対応する完全修飾ドメイン名フォーマットであるか、又は第１の完全修飾ドメイン名のフォーマットは、４Ｇネットワーク中のアクセスデバイスの識別子に対応する完全修飾ドメイン名フォーマットである。
【００１４】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスによってサービスされるトラッキングエリアの識別に基づいて第２の完全修飾ドメイン名を構築することである。第２の完全修飾ドメイン名は、第２のアクセスデバイスによってサービスされるトラッキングエリアの識別を含む。コンバージドネットワークデバイスは、ＤＮＳサーバに第２の完全修飾ドメイン名を送信する。第２の完全修飾ドメイン名は、５Ｇネットワーク中の１つ又は複数の候補モビリティ管理ネットワーク要素のアドレス情報を決定するために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１５】
任意選択で、本出願のこの実施形態では、第２の完全修飾ドメイン名のフォーマットは、５Ｇネットワーク中のトラッキングエリアの識別に対応する完全修飾ドメイン名フォーマットであるか、又は第２の完全修飾ドメイン名のフォーマットは、４Ｇネットワーク中のトラッキングエリアの識別に対応する完全修飾ドメイン名フォーマットである。
【００１６】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、第２のアクセスデバイスによってサービスされるトラッキングエリアの識別に基づいて第３の完全修飾ドメイン名を構築することである。第３の完全修飾ドメイン名は、第２のアクセスデバイスによってサービスされるトラッキングエリアの識別中にモバイルカントリーコード（ＭＣＣ）と、モバイルネットワークコード（ＭＮＣ）と、トラッキングエリアコードＴＡＣの下位１６ビットとを含む。第３の完全修飾ドメイン名のフォーマットは、４Ｇネットワーク中のトラッキングエリアの識別に対応する完全修飾ドメイン名フォーマットである。コンバージドネットワークデバイスは、ＤＮＳサーバに第３の完全修飾ドメイン名を送信する。第３の完全修飾ドメイン名は、５Ｇネットワーク中の１つ又は複数の候補モビリティ管理ネットワーク要素のアドレス情報をクエリするために使用される。コンバージドネットワークデバイスは、ＤＮＳサーバから５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００１７】
可能な設計では、第２のアクセスデバイスによってサービスされるトラッキングエリアの識別中のＴＡＣの下位１６ビットは、第１のアクセスデバイスによってサービスされるトラッキングエリアの識別中のＴＡＣと同じである。このようにして、第２のネットワーク中の候補モビリティ管理ネットワーク要素のアドレス情報が決定されるとき、第２のネットワーク中の候補モビリティ管理ネットワーク要素のアドレス情報は、第２のアクセスデバイスによってサービスされるトラッキングエリアの識別中のＴＡＣの下位１６ビットに基づいて一意に決定され得る。候補モビリティ管理ネットワーク要素のアドレス情報は、実際に、候補コンバージドネットワークデバイスのアドレス情報である。これは、本出願のこの実施形態では特に限定されない。
【００１８】
可能な設計では、コンバージドネットワークデバイスが、ターゲットモビリティ管理ネットワーク要素のアドレス情報に基づいてターゲットモビリティ管理ネットワーク要素に移転することは、特に、コンバージドネットワークデバイスが、ターゲットモビリティ管理ネットワーク要素にフォワード移転要求メッセージを送信することである。フォワード移転要求メッセージは、端末の４Ｇコンテキストを搬送し、端末のためのリソースを準備するようにターゲットモビリティ管理ネットワーク要素に要求するために使用される。言い換えれば、コンバージドネットワークデバイスは、５Ｇネットワーク中のターゲットモビリティ管理ネットワーク要素に移転するために４Ｇネットワーク中のモビリティ管理ネットワーク要素として働き得る。
【００１９】
可能な設計では、コンバージドネットワークデバイスが、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することは、特に、コンバージドネットワークデバイスが、ネットワークリポジトリ機能ネットワーク要素に第２のアクセスデバイスの識別子又は第２のアクセスデバイスによってサービスされるトラッキングエリアの識別を送信することである。第２のアクセスデバイスの識別子又は第２のアクセスデバイスによってサービスされるトラッキングエリアの識別は、５Ｇネットワーク中の１つ又は複数の候補モビリティ管理ネットワーク要素のアドレス情報をクエリするために使用される。コンバージドネットワークデバイスは、ネットワークリポジトリ機能ネットワーク要素から５Ｇネットワーク中の候補モビリティ管理ネットワーク要素のアドレス情報を受信する。コンバージドネットワークデバイスは、候補モビリティ管理ネットワーク要素のアドレス情報から５Ｇネットワーク中のターゲットモビリティ管理ネットワーク要素のアドレス情報を選択する。この解決策に基づいて、コンバージドネットワークデバイスは、第２のネットワーク中のターゲットモビリティ管理ネットワーク要素のアドレス情報を取得することができる。
【００２０】
可能な設計では、コンバージドネットワークデバイスが、ターゲットモビリティ管理ネットワーク要素のアドレス情報に基づいてターゲットモビリティ管理ネットワーク要素に移転することは、特に、コンバージドネットワークデバイスが、ターゲットモビリティ管理ネットワーク要素にコンテキスト作成要求メッセージを送信することである。コンテキスト作成要求メッセージは、端末の４Ｇコンテキストから変換された５Ｇコンテキストを搬送し、端末のためのリソースを準備するようにターゲットモビリティ管理ネットワーク要素に要求するために使用される。言い換えれば、コンバージドネットワークデバイスは、５Ｇネットワーク中のターゲットモビリティ管理ネットワーク要素に移転するために５Ｇネットワーク中のモビリティ管理ネットワーク要素として働き得る。
【００２１】
可能な設計では、本出願のこの実施形態において提供されるハンドオーバの方法は、以下をさらに含む。コンバージドネットワークデバイスは、ターゲットモビリティ管理ネットワーク要素からＮ２通知メッセージを受信する。Ｎ２通知メッセージは、端末の関連リソースを解放するようにコンバージドネットワークデバイスに指示するために使用される。コンバージドネットワークデバイスは、Ｎ２通知メッセージに基づいて端末の関連リソースを解放する。この解決策に基づいて、コンバージドネットワークデバイスは、端末の関連リソースを解放し、従って、コンバージドネットワークデバイスのストレージスペースが節約される。
【００２２】
第３の態様によれば、コンバージドネットワークデバイスが提供される。コンバージドネットワークデバイスは、第１の態様又は第２の態様における方法を実施するための機能を有する。機能は、ハードウェアによって実施され得るか、又は対応するソフトウェアを実行するハードウェアによって実施され得る。ハードウェア又はソフトウェアは、上記の機能に対応する１つ又は複数のモジュールを含む。
【００２３】
第４の態様によれば、プロセッサとメモリとを含むコンバージドネットワークデバイスが提供される。メモリは、コンピュータ実行命令を記憶するように構成される。コンバージドネットワークデバイスが動作するとき、プロセッサは、第１の態様又は第２の態様におけるハンドオーバの方法をコンバージドネットワークデバイスが実行することを可能にするためにメモリ中に記憶されたコンピュータ実行命令を実行する。
【００２４】
第５の態様によれば、コンバージドネットワークデバイスが提供される。コンバージドネットワークデバイスは、プロセッサを含む。プロセッサは、メモリに結合し、メモリ中の命令を読み取った後に命令に基づいて第１の態様又は第２の態様におけるハンドオーバの方法を実行するように構成される。
【００２５】
第６の態様によれば、コンピュータ可読記憶媒体が提供される。コンピュータ可読記憶媒体は、命令を記憶する。命令がコンピュータ上で実行されるとき、コンピュータは、第１の態様又は第２の態様におけるハンドオーバの方法を実行することを可能にされる。
【００２６】
第７の態様によれば、命令を含むコンピュータプログラム製品が提供される。コンピュータプログラム製品がコンピュータ上で実行されるとき、コンピュータは、第１の態様又は第２の態様におけるハンドオーバの方法を実行することを可能にされる。
【００２７】
第８の態様によれば、装置（例えば、装置はチップシステムであり得る）が提供される。装置は、コンバージドネットワークデバイスが、第１の態様又は第２の態様における関係機能、例えば、第２のアクセスデバイスの識別子又は第２のアクセスデバイスによってサービスされるトラッキングエリアの識別に基づいて、第２のアクセスデバイスがコンバージドネットワークデバイスによって管理されると決定すること、をサポートするように構成されたプロセッサを含む。可能な設計では、装置はメモリをさらに含む。メモリは、コンバージドネットワークデバイスのために必要であるプログラム命令とデータとを記憶するように構成される。装置がチップシステムであるとき、装置は、チップを含み得るか、又はチップと別の個別デバイスとを含み得る。
【００２８】
第３の態様から第８の態様における任意の設計方式によってもたらされる技術的効果については、第１の態様又は第２の態様における異なる設計方式によってもたらされる技術的効果を参照されたい。本明細書では、詳細を再び説明しない。
【００２９】
第９の態様によれば、ハンドオーバのシステムが提供される。ハンドオーバのシステムは、コンバージドネットワークデバイスと、第１のネットワーク中の第１のアクセスデバイスと、第２のネットワーク中の第２のアクセスデバイスとを含む。第１のネットワークと第２のネットワークとは、異なるタイプのネットワークである。第１のアクセスデバイスは、コンバージドネットワークデバイスにハンドオーバ要件を送信するように構成される。ハンドオーバ要件は、第２のアクセスデバイスの識別子又は第２のアクセスデバイスによってサービスされるトラッキングエリアの識別を搬送する。コンバージドネットワークデバイスは、第１のアクセスデバイスからハンドオーバ要件を受信することと、第２のアクセスデバイスの識別子又は第２のアクセスデバイスによってサービスされるトラッキングエリアの識別に基づいて、第２のアクセスデバイスがコンバージドネットワークデバイスによって管理されると決定することと、第２のアクセスデバイスにハンドオーバ要求を送信することとを行うように構成される。ハンドオーバ要求は、第２のアクセスデバイスに端末のための関連リソースを準備するように要求するために使用される。第２のアクセスデバイスは、コンバージドネットワークデバイスからハンドオーバ要求を受信することと、ハンドオーバ要求に基づいて端末のための関連リソースを準備することとを行うように構成される。コンバージドネットワークデバイスは、第１のアクセスデバイスにハンドオーバコマンドを送信するようにさらに構成される。ハンドオーバコマンドは、第２のアクセスデバイスに端末をハンドオーバするように命令するために使用される。第１のアクセスデバイスは、コンバージドネットワークデバイスからハンドオーバコマンドを受信することと、端末にハンドオーバコマンドを送信することとを行うようにさらに構成される。第２のアクセスデバイスは、コンバージドネットワークデバイスにハンドオーバ通知を送信するようにさらに構成される。ハンドオーバ通知は、端末が第２のアクセスデバイスにハンドオーバされることを示すために使用される。コンバージドネットワークデバイスは、第２のアクセスデバイスからハンドオーバ通知を受信するようにさらに構成される。
【００３０】
第９の態様の技術的効果については、第１の態様の技術的効果を参照されたい。本明細書では、詳細を再び説明しない。
【００３１】
第１０の態様によれば、ハンドオーバのシステムが提供される。ハンドオーバのシステムは、コンバージドネットワークデバイスと、第１のネットワーク中の第１のアクセスデバイスと、第２のネットワーク中の第２のアクセスデバイスと、第２のネットワーク中のターゲットモビリティ管理ネットワーク要素とを含む。第１のネットワークは第４世代（４Ｇ）ネットワークであり、第２のネットワークは第５世代（５Ｇ）ネットワークである。第１のアクセスデバイスは、コンバージドネットワークデバイスにハンドオーバ要件を送信するように構成される。ハンドオーバ要件は、第２のアクセスデバイスの識別子又は第２のアクセスデバイスによってサービスされるトラッキングエリアの識別を搬送する。コンバージドネットワークデバイスは、第１のアクセスデバイスからハンドオーバ要件を受信することと、第２のアクセスデバイスの識別子又は第２のアクセスデバイスによってサービスされるトラッキングエリアの識別に基づいて、第２のアクセスデバイスがコンバージドネットワークデバイスによって管理されないと決定することと、第２のアクセスデバイスの識別子又は第２のアクセスデバイスによってサービスされるトラッキングエリアの識別に基づいてターゲットモビリティ管理ネットワーク要素のアドレス情報を取得することと、ターゲットモビリティ管理ネットワーク要素のアドレス情報に基づいてターゲットモビリティ管理ネットワーク要素に移転することとを行うように構成される。ターゲットモビリティ管理ネットワーク要素は、第２のアクセスデバイスにハンドオーバ要求を送信するように構成される。ハンドオーバ要求は、第２のアクセスデバイスに端末のための関連リソースを準備するように要求するために使用される。第２のアクセスデバイスは、コンバージドネットワークデバイスからハンドオーバ要求を受信することと、端末のための関連リソースを準備することとを行うように構成される。コンバージドネットワークデバイスは、第１のアクセスデバイスにハンドオーバコマンドを送信するようにさらに構成される。ハンドオーバコマンドは、第２のアクセスデバイスに端末をハンドオーバするように第１のアクセスデバイスに命令するために使用される。第１のアクセスデバイスは、コンバージドネットワークデバイスからハンドオーバコマンドを受信することと、端末にハンドオーバコマンドを送信することとを行うようにさらに構成される。第２のアクセスデバイスは、ターゲットモビリティ管理ネットワーク要素にハンドオーバ通知を送信するようにさらに構成される。ハンドオーバ通知は、端末が第２のアクセスデバイスにハンドオーバされることを示すために使用される。ターゲットモビリティ管理ネットワーク要素は、第２のアクセスデバイスからハンドオーバ通知を受信するようにさらに構成される。
【００３２】
第１０の態様の技術的効果については、第２の態様の技術的効果を参照されたい。本明細書では、詳細を再び説明しない。
【００３３】
本出願のこれらの態様又は他の態様は、以下の実施形態の説明でより明瞭で、より理解可能になる。
【図面の簡単な説明】
【００３４】
【図１】本出願の一実施形態による、ハンドオーバのシステムの概略構造図である。
【図２】本出願の一実施形態による、４Ｇネットワーク及び５Ｇネットワーク中にハンドオーバのシステムを適用することの概略図である。
【図３】本出願の一実施形態による、通信デバイスのハードウェアの概略構造図である。
【図４】既存の４Ｇネットワーク中でのＭＭＥとＥ−ＵＴＲＡＮデバイスとのネットワーク展開の概略図である。
【図５】既存の４Ｇネットワーク中でのＥ−ＵＴＲＡＮデバイスの識別子のフォーマットと４Ｇ−ＴＡＩのフォーマットとの概略図である。
【図６】既存の５Ｇネットワーク中でのＡＭＦネットワーク要素とＮＧ−ＡＮデバイスとのネットワーク展開の概略図である。
【図７】既存の５Ｇネットワーク中でのＮＧ−ＡＮデバイスの識別子のフォーマットと５Ｇ−ＴＡＩのフォーマットとの概略図である。
【図８Ａ】本出願の一実施形態による、ハンドオーバの方法の概略フローチャート１である。
【図８Ｂ】本出願の一実施形態による、ハンドオーバの方法の概略フローチャート１である。
【図９】本出願の一実施形態による、４Ｇ−ＴＡＩと５Ｇ−ＴＡＩとの間のマッピング関係の概略図である。
【図１０Ａ】本出願の一実施形態による、ハンドオーバの方法の概略フローチャート２である。
【図１０Ｂ】本出願の一実施形態による、ハンドオーバの方法の概略フローチャート２である。
【図１１Ａ】本出願の一実施形態による、ハンドオーバの方法の概略フローチャート３である。
【図１１Ｂ】本出願の一実施形態による、ハンドオーバの方法の概略フローチャート３である。
【図１２】本出願の一実施形態による、コンバージドネットワークデバイスの概略構造図である。
【発明を実施するための形態】
【００３５】
以下に、本出願の実施形態における添付の図面を参照しながら本出願の実施形態における技術的解決策について説明する。本出願の説明では、別段に規定されていない限り、「／」は、関連する対象物間での「又は」関係を表す。例えば、Ａ／Ｂは、Ａ又はＢを表し得る。本出願では、「及び／又は」は、関連する対象物について説明するための関連付け関係を表すにすぎず、３つの関係が存在し得ることを表す。例えば、Ａ及び／又はＢは、以下の３つの場合を表し得る。Ａのみが存在し、ＡとＢとの両方が存在し、Ｂのみが存在し、ここで、Ａ又はＢは単数又は複数であり得る。さらに、本出願の説明では、別段に規定されていない限り、「複数の」は、２つ又は３つ以上を意味する。「以下のうちの少なくとも１つ」又はそれの同様の表現は、単一のアイテム又は複数のアイテムの任意の組合せを含むこれらのアイテムの任意の組合せを意味する。例えば、ａ、ｂ、又はｃのうちの少なくとも１つは、ａ、ｂ、ｃ、ａ−ｂ、ａ−ｃ、ｂ−ｃ、又はａ−ｂ−ｃを表してもよく、ここで、ａ、ｂ、及びｃは、単数又は複数であり得る。さらに、本出願の実施形態における技術的解決策を明確に記述するために、「第１の」及び「第２」などの用語は、本出願の実施形態では、同じアイテム又は基本的に同じ機能又は目的を有する同様のアイテムの間で区別するために使用される。当業者は、「第１の」及び「第２」などの用語が、量又は実行シーケンスを限定せず、「第１の」及び「第２」などの用語が、明確に異なるものであることをも意味しないことを理解し得る。
【００３６】
さらに、本出願の実施形態において説明されるネットワークアーキテクチャ及びサービスシナリオは、本出願の実施形態における技術的解決策をより明確に説明するよう意図されたものであり、本出願の実施形態で提供される技術的解決策に限定を構成しない。当業者は、以下について学習し得る。ネットワークアーキテクチャの発展及び新しいサービスシナリオの出現とともに、本出願の実施形態で提供される技術的解決策はまた、同様の技術的問題に適用可能である。
【００３７】
図１は、本出願の一実施形態による、ハンドオーバのシステム１０を示す。ハンドオーバのシステム１０は、コンバージドネットワークデバイス１０１と、第１のネットワーク中の第１のアクセスデバイス１０２と、第２のネットワーク中の第２のアクセスデバイス１０３とを含む。コンバージドネットワークデバイス１０１は、第１のネットワーク中の第１のモビリティ管理デバイス１０１１の機能と第２のネットワーク中の第２のモビリティ管理デバイス１０１２の機能とを統合する。コンバージドネットワークデバイス１０１は、第１のネットワーク中の第１のモビリティ管理デバイス１０１１として動作し得るか、又は第２のネットワーク中の第２のモビリティ管理デバイス１０１２として動作し得る。第１のネットワークと第２のネットワークとは、異なるタイプのネットワークである。これは、統一された方式で本明細書では説明されており、以下で再び説明されない。
【００３８】
可能な実装において
【００３９】
第１のアクセスデバイス１０２は、コンバージドネットワークデバイス１０１にハンドオーバ要件を送信するように構成される。ハンドオーバ要件は、第２のアクセスデバイス１０３の識別子又は第２のアクセスデバイス１０３によってサービスされるトラッキングエリアの識別を搬送する。
【００４０】
コンバージドネットワークデバイス１０１は、第１のアクセスデバイス１０２からハンドオーバ要件を受信することと、第２のアクセスデバイス１０３の識別子又は第２のアクセスデバイス１０３によってサービスされるトラッキングエリアの識別に基づいて、第２のアクセスデバイス１０３がコンバージドネットワークデバイス１０１によって管理されると決定することと、第２のアクセスデバイス１０３にハンドオーバ要求をさらに送信することとを行うように構成される。ハンドオーバ要求は、第２のアクセスデバイス１０３に端末のための関連リソースを準備するように要求するために使用される。
【００４１】
第２のアクセスデバイス１０３は、コンバージドネットワークデバイス１０１からハンドオーバ要求を受信することと、ハンドオーバ要求に基づいて端末のための関連リソースを準備することとを行うように構成される。
【００４２】
コンバージドネットワークデバイス１０１は、第１のアクセスデバイス１０２にハンドオーバコマンドを送信するようにさらに構成される。ハンドオーバコマンドは、第２のアクセスデバイス１０３に端末をハンドオーバするように命令するために使用される。
【００４３】
第１のアクセスデバイス１０２は、コンバージドネットワークデバイス１０１からハンドオーバコマンドを受信することと、端末にハンドオーバコマンドを送信することとを行うようにさらに構成される。
【００４４】
第２のアクセスデバイス１０３は、コンバージドネットワークデバイス１０１にハンドオーバ通知を送信するようにさらに構成される。ハンドオーバ通知は、端末が第２のアクセスデバイス１０３にハンドオーバされることを示すために使用される。
【００４５】
コンバージドネットワークデバイス１０１は、第２のアクセスデバイス１０３からハンドオーバ通知を受信するようにさらに構成される。
【００４６】
任意選択で、本出願のこの実施形態では、第１のネットワークは、４Ｇネットワークであり得るし、第２のネットワークは、５Ｇネットワークであり得る。代替として、本出願のこの実施形態では、第１のネットワークは、５Ｇネットワークであり得るし、第２のネットワークは、４Ｇネットワークであり得る。代替として、本出願のこの実施形態では、第１のネットワークと第２のネットワークとは、他のネットワークであり得る。これは、本出願のこの実施形態では特に限定されない。
【００４７】
本出願のこの実施形態において提供されるハンドオーバのシステムに基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されると決定し、第２のアクセスデバイスに、端末のための関連リソースを準備するように第２のアクセスデバイスに要求するためのハンドオーバ要求を直接送信し、第１のアクセスデバイスに、第２のアクセスデバイスに端末をハンドオーバするように第１のアクセスデバイスに命令するためのハンドオーバコマンドを送信してもよく、従って、第１のネットワークから第２のネットワークへの端末のハンドオーバが実施され得る。これは、第１のネットワークと第２のネットワークとが異なるタイプのネットワークであるとき、ソースモビリティ管理ネットワーク要素は、ターゲットモビリティ管理ネットワーク要素のアドレス情報を最初に問い合わせ、次いで、第１のネットワークから第２のネットワークへの端末のハンドオーバを実施するためにターゲットモビリティ管理ネットワーク要素に移転する必要がある従来技術とは異なる。このようにして、ネットワーク要素間でのメッセージ対話が低減され、端末のハンドオーバ手順が簡略化される。さらに、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバのシステムにおけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、それによって、ハードウェアリソースを共有して、リソースの利用効率と投資利益率とを改善する。
【００４８】
別の可能な実装では、第１のネットワークが４Ｇネットワークであり、第２のネットワークが５Ｇネットワークであるとき、図１に示されたハンドオーバのシステム１０は、第２のネットワーク中にターゲットモビリティ管理ネットワーク要素１０４をさらに含み得る。
【００４９】
第１のアクセスデバイス１０２は、コンバージドネットワークデバイス１０１にハンドオーバ要件を送信するように構成される。ハンドオーバ要件は、第２のアクセスデバイス１０３の識別子又は第２のアクセスデバイス１０３によってサービスされるトラッキングエリアの識別を搬送する。
【００５０】
コンバージドネットワークデバイス１０１は、第１のアクセスデバイス１０２からハンドオーバ要件を受信することと、第２のアクセスデバイス１０３の識別子又は第２のアクセスデバイス１０３によってサービスされるトラッキングエリアの識別に基づいて、第２のアクセスデバイス１０３がコンバージドネットワークデバイス１０１によって管理されないと決定することと、第２のアクセスデバイス１０３の識別子又は第２のアクセスデバイス１０３によってサービスされるトラッキングエリアの識別に基づいて第２のネットワーク中のターゲットモビリティ管理ネットワーク要素１０４のアドレス情報を取得することと、ターゲットモビリティ管理ネットワーク要素１０４のアドレス情報に基づいてターゲットモビリティ管理ネットワーク要素１０４に移転することとを行うように構成される。
【００５１】
ターゲットモビリティ管理ネットワーク要素１０４は、第２のアクセスデバイス１０３にハンドオーバ要求を送信するように構成される。ハンドオーバ要求は、第２のアクセスデバイス１０３に端末のための関連リソースを準備するように要求するために使用される。
【００５２】
第２のアクセスデバイス１０３は、コンバージドネットワークデバイス１０１からハンドオーバ要求を受信することと、ハンドオーバ要求に基づいて端末のための関連リソースを準備することとを行うように構成される。
【００５３】
コンバージドネットワークデバイス１０１は、第１のアクセスデバイス１０２にハンドオーバコマンドを送信するようにさらに構成される。ハンドオーバコマンドは、第２のアクセスデバイス１０３に端末をハンドオーバするように命令するために使用される。
【００５４】
第１のアクセスデバイス１０２は、コンバージドネットワークデバイス１０１からハンドオーバコマンドを受信することと、端末にハンドオーバコマンドを送信することとを行うようにさらに構成される。
【００５５】
第２のアクセスデバイス１０３は、ターゲットモビリティ管理ネットワーク要素１０４にハンドオーバ通知を送信するようにさらに構成される。ハンドオーバ通知は、端末が第２のアクセスデバイス１０３にハンドオーバされることを示すために使用される。
【００５６】
ターゲットモビリティ管理ネットワーク要素１０４は、第２のアクセスデバイス１０３からハンドオーバ通知を受信するようにさらに構成される。
【００５７】
本出願のこの実施形態において提供されるハンドオーバのシステムに基づいて、一態様では、コンバージドネットワークデバイスに第１のアクセスデバイスによって送られるハンドオーバ要件が、第２のアクセスデバイスの識別子又は第２のアクセスデバイスによってサービスされるトラッキングエリアの識別を搬送するので、コンバージドネットワークデバイスは、第２のアクセスデバイスの識別子又は第２のアクセスデバイスによってサービスされるトラッキングエリアの識別に基づいて、第２のアクセスデバイスがコンバージドネットワークデバイスによって管理されないと決定し、次いで、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得し、ターゲットモビリティ管理ネットワーク要素のアドレス情報に基づいてターゲットモビリティ管理ネットワーク要素に移転し得る。従って、第１のネットワークが４Ｇネットワークであり、第２のネットワークが５Ｇネットワークであるとき、４Ｇネットワークから５Ｇネットワークへの端末のハンドオーバが実施され得る。別の態様では、ハンドオーバのシステムにおけるコンバージドネットワークデバイスは、第１のネットワーク中の第１のモビリティ管理デバイスの機能と第２のネットワーク中の第２のモビリティ管理デバイスの機能とを統合する。従って、ネットワーク中のデバイスの量が低減され、ネットワークの運用及び保守の作業負荷が低減される。さらに、ネットワークアドレスリソースが低減され、ネットワークのプランニング及び展開の複雑性が低減される。さらに、ハードウェアリソースの占有比が、第１のネットワークのサービストラフィックと第２のネットワークのサービストラフィックとに基づいてフレキシブルに調整されてもよく、それによって、ハードウェアリソースを共有して、リソースの利用効率と投資利益率とを改善する。
【００５８】
任意選択で、本出願のこの実施形態では、コンバージドネットワークデバイス１０１は、第１のアクセスデバイス１０２又は第２のアクセスデバイス１０３と直接通信し得るか、又は別のデバイスによって実行される転送(forwarding)を通して第１のアクセスデバイス１０２又は第２のアクセスデバイス１０３と通信し得る。これは、本出願のこの実施形態では特に限定されない。
【００５９】
任意選択で、本出願のこの実施形態では、ターゲットモビリティ管理ネットワーク要素１０４は、第２のアクセスデバイス１０３又はコンバージドネットワークデバイス１０１と直接通信し得るか、又は別のデバイスによって実行される転送を通して第２のアクセスデバイス１０３又はコンバージドネットワークデバイス１０１と通信し得る。これは、本出願のこの実施形態では特に限定されない。
【００６０】
例えば、第１のネットワークは、４Ｇネットワークであり、第２のネットワークは、５Ｇネットワークであるか、又は第２のネットワークは、４Ｇネットワークであり、第１のネットワークは、５Ｇネットワークである。図２に示されるように、コンバージドネットワークデバイスは、４Ｇ中のＭＭＥの機能と５Ｇネットワーク中のＡＭＦネットワーク要素の機能とを統合する。コンバージドネットワークデバイスがＭＭＥとして働くとき、対応するアクセスデバイスは、４Ｇネットワーク中の発展型ユニバーサル地上波無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）デバイスである。コンバージドネットワークデバイスがＡＭＦネットワーク要素をサービスするとき、対応するアクセスデバイスは、５Ｇネットワーク中で次世代無線アクセスネットワーク（Ｎｅｘｔ  Ｇｅｎｅｒａｔｉｏｎ−Ａｃｃｅｓｓ  Ｎｅｔｗｏｒｋ、ＮＧ−ＡＮ）デバイスである。さらに、図２に示されるように、ハンドオーバのシステムは、ＭＭＥ及びＡＭＦネットワーク要素のうちの１つ又は複数をさらに含み得る。これは、本出願のこの実施形態では特に限定されない。
【００６１】
コンバージドネットワークデバイスは、「統一ピアネットワーク要素インターフェースのローカルアドレス」で構成される。コンバージドネットワークデバイスが、ＡＭＦネットワーク要素として働き、ＡＭＦネットワーク要素と通信するとき、ローカルアドレスは、Ｎ１４インターフェースアドレスとして働く。コンバージドネットワークデバイスが、ＡＭＦネットワーク要素として働き、ＭＭＥネットワーク要素と通信するとき、ローカルアドレスは、Ｎ２６インターフェースアドレスとして働く。コンバージドネットワークデバイスが、ＭＭＥとして働き、ＡＭＦネットワーク要素と通信するとき、ローカルアドレスは、Ｎ２６インターフェースアドレスとして使用される。コンバージドネットワークデバイスが、ＭＭＥとして働き、ＭＭＥと通信するとき、ローカルアドレスは、Ｓ１０インターフェースアドレスとして使用される。
【００６２】
コンバージドネットワークデバイスは、「統一ワイヤレスデバイスのローカルアドレス」で構成される。コンバージドネットワークデバイスが、ＡＭＦネットワーク要素として働き、ＮＧ−ＡＮデバイスと通信するとき、ローカルアドレスは、Ｎ２インターフェースアドレスとして使用される。コンバージドネットワークデバイスが、ＭＭＥとして働き、Ｅ−ＵＴＲＡＮデバイスと通信するとき、ローカルアドレスは、Ｓ１−ＭＭＥインターフェースアドレスとして働く。
【００６３】
さらに、Ｅ−ＵＴＲＡＮデバイスは、Ｓ１−ＭＭＥインターフェースを使用することによってＭＭＥとさらに通信し得るし、ＮＧ−ＡＮデバイスは、Ｎ２インターフェースを使用することによってＡＭＦネットワーク要素とさらに通信し得る。詳細については、既存の４Ｇネットワークと既存の５Ｇネットワークとの説明を参照されたい。本明細書では、詳細を説明しない。
【００６４】
ハンドオーバのシステムが１つのコンバージドネットワークデバイスを含む一例を単に使用することによって図２が説明されていることに留意されたい。もちろん、ハンドオーバのシステムは、１つ又は複数のコンバージドネットワークデバイスを含み得る。これは、本出願のこの実施形態では特に限定されない。
【００６５】
コンバージドネットワークデバイスがＭＭＥとして働き、Ｅ−ＵＴＲＡＮデバイスに接続される一例を単に使用することによって図２が説明されていることに留意されたい。もちろん、コンバージドネットワークデバイスは、ＭＭＥとして働き、１つ又は複数のＥ−ＵＴＲＡＮデバイスに接続され得る。これは、本出願のこの実施形態では特に限定されない。
【００６６】
コンバージドネットワークデバイスがＭＭＥとして働き、ＡＭＦネットワーク要素又はＭＭＥに接続される一例を単に使用することによって図２が説明されていることに留意されたい。もちろん、コンバージドネットワークデバイスは、ＭＭＥとして働き、１つ又は複数のＭＭＥに接続され得るか、又はコンバージドネットワークデバイスは、ＭＭＥとして働き、１つ又は複数のＡＭＦネットワーク要素に接続され得る。これは、本出願のこの実施形態では特に限定されない。
【００６７】
コンバージドネットワークデバイスがＡＭＦネットワーク要素として働き、ＮＧ−ＡＮデバイスに接続される一例を単に使用することによって図２が説明されていることに留意されたい。もちろん、コンバージドネットワークデバイスは、ＡＭＦネットワーク要素として働き、１つ又は複数のＮＧ−ＡＮデバイスに接続され得る。これは、本出願のこの実施形態では特に限定されない。
【００６８】
コンバージドネットワークデバイスがＡＭＦネットワーク要素として働き、ＡＭＦネットワーク要素又はＭＭＥに接続される一例を単に使用することによって図２が説明されていることに留意されたい。もちろん、コンバージドネットワークデバイスは、ＡＭＦネットワーク要素として働き、１つ又は複数のＭＭＥに接続され得るか、又はコンバージドネットワークデバイスは、ＡＭＦネットワーク要素として働き、１つ又は複数のＡＭＦネットワーク要素に接続され得る。これは、本出願のこの実施形態では特に限定されない。
【００６９】
Ｅ−ＵＴＲＡＮデバイスがコンバージドネットワークデバイスに接続される一例を単に使用することによって図２が説明されていることに留意されたい。もちろん、Ｅ−ＵＴＲＡＮデバイスは、代替として、別のコンバージドネットワークデバイス又はＭＭＥに接続され得る。これは、本出願のこの実施形態では特に限定されない。
【００７０】
ＮＧ−ＡＮデバイスがコンバージドネットワークデバイスに接続される一例を単に使用することによって図２が説明されていることに留意されたい。もちろん、ＮＧ−ＡＮデバイスは、代替として、別のコンバージドネットワークデバイス又はＡＭＦネットワーク要素に接続され得る。これは、本出願のこの実施形態では特に限定されない。
【００７１】
任意選択で、本出願のこの実施形態における端末（Ｔｅｒｍｉｎａｌ）は、ワイヤレス通信機能を有する様々なハンドヘルドデバイス、車載デバイス、ウェアラブルデバイス又はコンピューティングデバイス又はワイヤレスモデムに接続された別の処理デバイスを含み得る。端末は、加入者ユニット（Ｓｕｂｓｃｒｉｂｅｒ  Ｕｎｉｔ）、セルラー電話（Ｃｅｌｌｕｌａｒ  Ｐｈｏｎｅ）、スマートフォン（Ｓｍａｒｔｐｈｏｎｅ）、ワイヤレスデータカード、携帯情報端末（Ｐｅｒｓｏｎａｌ  Ｄｉｇｉｔａｌ  Ａｓｓｉｓｔａｎｔ、ＰＤＡ）コンピュータ、タブレットコンピュータ、ワイヤレスモデム（Ｍｏｄｅｍ）、ハンドヘルド（Ｈａｎｄｈｅｌｄ）デバイス、ラップトップコンピュータ（Ｌａｐｔｏｐ  Ｃｏｍｐｕｔｅｒ）、コードレス電話（Ｃｏｒｄｌｅｓｓ  Ｐｈｏｎｅ）、ワイヤレスローカルループ（Ｗｉｒｅｌｅｓｓ  Ｌｏｃａｌ  Ｌｏｏｐ、ＷＬＬ）局、マシン型通信（Ｍａｃｈｉｎｅ  Ｔｙｐｅ  Ｃｏｍｍｕｎｉｃａｔｉｏｎ、ＭＴＣ）端末、ユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末デバイス（Ｔｅｒｍｉｎａｌ  Ｄｅｖｉｃｅ）、リレーユーザ機器などをさらに含み得る。リレーユーザ機器は、例えば、５Ｇ住宅用ゲートウェイ（Ｒｅｓｉｄｅｎｔｉａｌ  Ｇａｔｅｗａｙ、ＲＧ）であり得る。説明を容易にするために、上記のデバイスは、本出願では端末と総称される。
【００７２】
任意選択で、本出願のこの実施形態におけるアクセスデバイス（例えば、第１のアクセスデバイス又は第２のアクセスデバイス）は、コアネットワークにアクセスするデバイスである。例えば、アクセスデバイスは、基地局、ブロードバンドネットワークゲートウェイ（Ｂｒｏａｄｂａｎｄ  Ｎｅｔｗｏｒｋ  Ｇａｔｅｗａｙ、ＢＮＧ）、アグリゲーションスイッチ又は非第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）アクセスデバイスであり得る。基地局は、マクロ基地局、（スモールセルとも呼ばれる）マイクロ基地局、中継局、アクセスポイントなどの様々な形態の基地局を含み得る。
【００７３】
任意選択で、本出願のこの実施形態における図１中のコンバージドネットワークデバイスは、１つのデバイスを使用することによって実施され得るか、又は複数のデバイスを一緒に使用することによって実施され得るか、又は１つのデバイス中の機能モジュールであり得る。これは、本出願のこの実施形態では特に限定されない。上記の機能は、ハードウェアデバイス中のネットワーク要素、専用のハードウェア上で動作するソフトウェア機能、又はプラットフォーム（例えば、クラウドプラットフォーム）上でインスタンス化される仮想化された機能であり得ることが理解され得る。
【００７４】
例えば、本出願のこの実施形態における図１中のコンバージドネットワークデバイスは、図３中の通信デバイスを使用することによって実施され得る。図３は、本出願の一実施形態による、通信デバイスのハードウェアの概略構造図である。通信デバイス３００は、プロセッサ３０１と、通信ライン３０２と、メモリ３０３と、１つ又は複数の通信インターフェースとを含む（図３は、一例として１つの通信インターフェース３０４を使用することによって記載されている）。
【００７５】
プロセッサ３０１は、汎用中央処理ユニット（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、又は本出願における解決策のプログラム実行を制御するように構成された１つ又は複数の統合回路であり得る。
【００７６】
通信ライン３０２は、上記の構成要素間で情報を送信するために使用される経路を含み得る。
【００７７】
通信インターフェース３０４は、トランシーバなどの任意の装置であり得るし、別のデバイス又はイーサネット、無線アクセスネットワーク（Ｒａｄｉｏ  Ａｃｃｅｓｓ  Ｎｅｔｗｏｒｋ、ＲＡＮ）、又はワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信するように構成される。
【００７８】
メモリ３０３は、読取り専用メモリ（Ｒｅａｄ−Ｏｎｌｙ  Ｍｅｍｏｒｙ、ＲＯＭ）、又は静的情報と命令とを記憶することができる別のタイプの静的ストレージデバイス、又はランダムアクセスメモリ（Ｒａｎｄｏｍ  Ａｃｃｅｓｓ  Ｍｅｍｏｒｙ、ＲＡＭ）、又は情報と命令とを記憶することができる別のタイプの動的ストレージデバイス、又は電気消去可能プログラマブル読取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、（コンパクトディスク、レーザディスク、光ディスク、デジタル多用途ディスク、ブルーレイ光ディスクなどを含む）別のコンパクトディスクストレージ又は光ディスクストレージ、磁気ディスクストレージ媒体又は別の磁気ストレージデバイス、又は命令又はデータ構造の形態で予想されるプログラムコードを搬送又は記憶することができ、コンピュータによってアクセスされ得る任意の他の媒体であり得る。ただし、これは、それに限定されない。メモリは、独立して存在し得るし、通信ライン３０２を使用することによってプロセッサに接続され得る。代替として、メモリは、プロセッサと統合され得る。
【００７９】
メモリ３０３は、本出願の解決策を実行するためのコンピュータ実行命令を記憶するように構成される。プロセッサ３０１は、実行を制御する。プロセッサ３０１は、本出願の以下の実施形態において与えられるハンドオーバの方法を実施するためにメモリ３０３中に記憶されたコンピュータ実行命令を実行するように構成される。
【００８０】
任意選択で、本出願のこの実施形態におけるコンピュータ実行命令は、アプリケーションプログラムコードと呼ばれることもある。これは、本出願のこの実施形態では特に限定されない。
【００８１】
特定の実施では、一実施形態では、プロセッサ３０１は、１つ又は複数のＣＰＵ、例えば、図３中のＣＰＵ０とＣＰＵ１とを含み得る。
【００８２】
特定の実施では、一実施形態では、通信デバイス３００は、複数のプロセッサ、例えば、図３中のプロセッサ３０１とプロセッサ３０８とを含み得る。プロセッサの各々は、シングルコアプロセッサ（シングルＣＰＵ）であり得るか、又はマルチコアプロセッサ（マルチＣＰＵ）であり得る。本明細書におけるプロセッサは、（コンピュータプログラム命令などの）データを処理するための１つ又は複数のデバイス、回路、及び／又は処理コアであり得る。
【００８３】
特定の実施では、一実施形態では、通信デバイス３００は、出力デバイス３０５と入力デバイス３０６とをさらに含み得る。出力デバイス３０５は、プロセッサ３０１と通信し、複数の方式で情報を表示し得る。例えば、出力デバイス３０５は、液晶ディスプレイ（Ｌｉｑｕｉｄ  Ｃｒｙｓｔａｌ  Ｄｉｓｐｌａｙ、ＬＣＤ）、発光ダイオード（Ｌｉｇｈｔ  Ｅｍｉｔｔｉｎｇ  Ｄｉｏｄｅ、ＬＥＤ）表示デバイス、陰極線管（Ｃａｔｈｏｄｅ  Ｒａｙ  Ｔｕｂｅ、ＣＲＴ）表示デバイス、又はプロジェクタ（Ｐｒｏｊｅｃｔｏｒ）であり得る。入力デバイス３０６は、プロセッサ３０１と通信し、複数の方式でユーザから入力を受信し得る。例えば、入力デバイス３０６は、マウス、キーボード、タッチスクリーンデバイス、又は検知デバイスであり得る。
【００８４】
上記の通信デバイス３００は、汎用デバイス又は専用デバイスであり得る。特定の実施では、通信デバイス３００は、デスクトップコンピュータ、ポータブルコンピュータ、ネットワークサーバ、パームトップコンピュータ（Ｐｅｒｓｏｎａｌ  Ｄｉｇｉｔａｌ  Ａｓｓｉｓｔａｎｔ、ＰＤＡ）、モバイルフォン、タブレットコンピュータ、ワイヤレス端末デバイス、埋込みデバイス、又は図３中のデバイスと同様の構造をもつデバイスであり得る。通信デバイス３００のタイプは、本出願のこの実施形態では限定されない。
【００８５】
以下は、図１から図３を参照しながら本出願の実施形態で提供されるハンドオーバの方法について詳細に説明する。
【００８６】
本出願の以下の実施形態におけるネットワーク要素間のメッセージの名前、メッセージ中の各パラメータの名前などは、一例にすぎず、代替として、特定の実施では別の名前であり得ることに留意されたい。これは、本出願のこの実施形態では特に限定されない。
【００８７】
以下の実施形態における解決策について理解しやすいように、関連説明が、最初に以下で与えられる。
【００８８】
最初に、４Ｇネットワーク中のＥ−ＵＴＲＡＮデバイスの識別子及び４Ｇネットワーク中のＥ−ＵＴＲＡＮデバイスによってサービスされるトラッキングエリアの識別（Ｔｒａｃｋｉｎｇ  Ａｒｅａ  Ｉｄｅｎｔｉｔｙ、ＴＡＩ）（以下、４Ｇ−ＴＡＩと呼ぶ）について説明する。
【００８９】
４Ｇネットワーク中で、各ＭＭＥは、複数のＥ−ＵＴＲＡＮデバイスに接続される。これらのＥ−ＵＴＲＡＮデバイスは、４Ｇワイヤレスネットワークのトラッキングエリア（Ｔｒａｃｋｉｎｇ  Ａｒｅａ、ＴＡ）のグループ、即ち、カバレージエリアをカバーする。例えば、図４に示されるように、ＭＭＥ１１は、Ｅ−ＵＴＲＡＮ１１デバイス及びＥ−ＵＴＲＡＮ１２デバイスに別々に接続され得るし、ＭＭＥ１２は、Ｅ−ＵＴＲＡＮ１１デバイス及びＥ−ＵＴＲＡＮ１２デバイスに別々に接続され得る。Ｅ−ＵＴＲＡＮ１１デバイス、Ｅ−ＵＴＲＡＮ１２デバイスなどは、ロケーションエリア１をカバーし得る。ロケーションエリア１は、ＴＡ１１、ＴＡ１２、．．．、及びＴＡ１ｎを含む。ＭＭＥ２１は、Ｅ−ＵＴＲＡＮ２１デバイス及びＥ−ＵＴＲＡＮ２２デバイスに別々に接続され得るし、ＭＭＥ２２は、Ｅ−ＵＴＲＡＮ２１デバイス及びＥ−ＵＴＲＡＮ２２デバイスに別々に接続され得る。Ｅ−ＵＴＲＡＮ２１デバイス、Ｅ−ＵＴＲＡＮ２２デバイスなどは、ロケーションエリア２をカバーし得る。ロケーションエリア２は、ＴＡ２１、ＴＡ２２、．．．、及びＴＡ２ｍを含む。
【００９０】
４Ｇ−ＴＡのグローバルユニーク識別は、４Ｇ−ＴＡＩと呼ばれる。４Ｇ−ＴＡＩの組成構造は、図５に示されており、モバイルカントリーコード（Ｍｏｂｉｌｅ  Ｃｏｕｎｔｒｙ  Ｃｏｄｅ、ＭＣＣ）と、モバイルネットワークコード（Ｍｏｂｉｌｅ  Ｎｅｔｗｏｒｋ  Ｃｏｄｅ、ＭＮＣ）と、１６ビットのトラッキングエリアコード（Ｔｒａｃｋｉｎｇ  Ａｒｅａ  Ｃｏｄｅ、ＴＡＣ）とを含む。ＭＣＣは、オペレータが属する国を識別する。ＭＮＣは、オペレータのネットワーク識別子である。ＴＡＣは、ＭＣＣ＋ＭＮＣの場合にロケーションエリアを一意に識別する。
【００９１】
Ｅ−ＵＴＲＡＮデバイスの識別子は、グローバル（Ｇｌｏｂａｌ）発展型ノードＢ（ＥｎｏｄｅＢ、ｅＮＢ）識別子（Ｉｄｅｎｔｉｆｉｅｒ、ＩＤ）として示され得る。グローバル発展型ノードＢ識別子の組成構造は、図５に示されており、ＭＣＣと、ＭＮＣと、１８ビット、２０ビット、２１ビット、又は２８ビットのｅＮＢ  ＩＤとを含む。ＭＣＣは、オペレータが属する国を識別する。ＭＮＣは、オペレータのネットワーク識別子である。ｅＮＢ  ＩＤは、ＭＣＣ＋ＭＮＣの場合にＥ−ＵＴＲＡＮデバイスを一意に識別する。
【００９２】
第２に、５Ｇネットワーク中のＮＧ−ＡＮデバイスの識別子及び５Ｇネットワーク中のＮＧ−ＡＮデバイスによってサービスされるＴＡＩ（以下、５Ｇ−ＴＡＩと呼ぶ）について説明する。
【００９３】
５Ｇネットワーク中で、各ＡＭＦネットワーク要素は、複数のＮＧ−ＡＮデバイスに接続される。これらのＮＧ−ＡＮデバイスは、５ＧワイヤレスネットワークのＴＡのグループ、即ち、カバレージエリアをカバーする。例えば、図６に示されるように、ＡＭＦ１１ネットワーク要素は、ＮＧ−ＡＮ１１デバイス及びＮＧ−ＡＮ１２デバイスに別々に接続され得るし、ＡＮＦ１２ネットワーク要素は、ＮＧ−ＡＮ１１デバイス及びＮＧ−ＡＮ１２デバイスに別々に接続され得る。ＮＧ−ＡＮ１１デバイス、ＮＧ−ＡＮ１２デバイスなどは、ロケーションエリア１をカバーし得る。ロケーションエリア１は、ＴＡ１１、ＴＡ１２、．．．、及びＴＡ１ｎを含む。ＡＭＦ２１ネットワーク要素は、ＮＧ−ＡＮ２１デバイス及びＮＧ−ＡＮ２２デバイスに別々に接続され得るし、ＡＮＦ２２ネットワーク要素は、ＮＧ−ＡＮ２１デバイス及びＮＧ−ＡＮ２２デバイスに別々に接続され得る。ＮＧ−ＡＮ２１デバイス、ＮＧ−ＡＮ２２デバイスなどは、ロケーションエリア２をカバーし得る。ロケーションエリア２は、ＴＡ２１、ＴＡ２２、．．．、及びＴＡ２ｍを含む。
【００９４】
５Ｇ−ＴＡのグローバルユニーク識別は、５Ｇ−ＴＡＩと呼ばれる。５Ｇ−ＴＡＩの組成構造は、図７に示されており、ＭＣＣと、ＭＮＣと、２４ビットのＴＡＣとを含む。ＭＣＣは、オペレータが属する国を識別する。ＭＮＣは、オペレータのネットワーク識別子である。ＴＡＣは、ＭＣＣ＋ＭＮＣの場合にロケーションエリアを一意に識別する。
【００９５】
ＮＧ−ＡＮデバイスの識別子は、グローバル（Ｇｌｏｂａｌ）ＡＮデバイスＩＤとして示され得る。グローバルＡＮデバイスＩＤの組成構造は、図７に示されており、ＭＣＣと、ＭＮＣと、１８ビットから３２ビットのＡＮデバイスＩＤとを含む。ＭＣＣは、オペレータが属する国を識別する。ＭＮＣは、オペレータのネットワーク識別子である。ＡＮデバイスＩＤは、ＮＧ−ＡＮデバイスを一意に識別する。
【００９６】
４Ｇネットワークが５Ｇネットワークと比較されるとき、４Ｇ−ＴＡＣは、５Ｇ−ＴＡＣよりも少ない８ビット、即ち、１バイトであり、４Ｇネットワーク中のグローバルｅＮＢ  ＩＤの長さ範囲は、５Ｇネットワーク中のグローバルＡＮデバイスＩＤの長さ範囲とは異なることが上記の説明から学習され得る。
【００９７】
以下は、上記の説明を参照しながら本出願の実施形態で提供されるハンドオーバの方法について詳細に説明する。
【００９８】
任意選択で、例えば、図１に示されたハンドオーバのシステムにおいて、第１のネットワークは、４Ｇネットワークであり、第２のネットワークは、５Ｇネットワークであり、即ち、ＮＧ−ＡＮデバイスは、ターゲットデバイスであり、Ｅ−ＵＴＲＡＮデバイスは、ソースデバイスである。図８Ａ及び図８Ｂは、本出願の一実施形態による、ハンドオーバの方法を示す。ハンドオーバの方法は、以下のステップを含む。
【００９９】
Ｓ８０１．任意選択で、Ｅ−ＵＴＲＡＮデバイスは、コンバージドネットワークデバイスにＳ１セットアップ要求（Ｓ１  Ｓｅｔｕｐ  Ｒｅｑｕｅｓｔ）メッセージを送信し、従って、コンバージドネットワークデバイスは、Ｅ−ＵＴＲＡＮデバイスからＳ１セットアップ要求メッセージを受信する。
【０１００】
Ｓ１セットアップ要求メッセージは、Ｅ−ＵＴＲＡＮデバイスの識別子とＥ−ＵＴＲＡＮデバイスによってサービスされるトラッキングエリアの識別とを搬送し、コンバージドネットワークデバイスに登録することを要求するために使用される。Ｅ−ＵＴＲＡＮデバイスの識別子とＥ−ＵＴＲＡＮデバイスによってサービスされるトラッキングエリアの識別との関連説明については、図５に示された実施形態を参照されたい。本明細書では、詳細を再び説明しない。
【０１０１】
Ｓ８０２．コンバージドネットワークデバイスは、Ｅ−ＵＴＲＡＮデバイスにＳ１セットアップ応答（Ｓ１  Ｓｅｔｕｐ  Ｒｅｓｐｏｎｓｅ）メッセージを送信し、従って、Ｅ−ＵＴＲＡＮデバイスは、コンバージドネットワークデバイスからＳ１セットアップ応答メッセージを受信する。
【０１０２】
Ｓ８０３．任意選択で、ＮＧ−ＡＮデバイスは、コンバージドネットワークデバイスにＮＧセットアップ要求（ＮＧ  Ｓｅｔｕｐ  Ｒｅｑｕｅｓｔ）メッセージを送信し、従って、コンバージドネットワークデバイスは、ＮＧ−ＡＮデバイスからＮＧセットアップ要求メッセージを受信する。
【０１０３】
ＮＧセットアップ要求メッセージは、ＮＧ−ＡＮデバイスの識別子とＮＧ−ＡＮデバイスによってサービスされるトラッキングエリアの識別とを搬送し、コンバージドネットワークデバイスに登録することを要求するために使用される。ＮＧ−ＡＮデバイスの識別子とＮＧ−ＡＮデバイスによってサービスされるトラッキングエリアの識別との関連説明については、図７に示された実施形態を参照されたい。本明細書では、詳細を再び説明しない。
【０１０４】
Ｓ８０４．コンバージドネットワークデバイスは、ＮＧ−ＡＮデバイスにＮＧセットアップ応答（ＮＧ  Ｓｅｔｕｐ  Ｒｅｓｐｏｎｓｅ）メッセージを送信し、従って、ＮＧ−ＡＮデバイスは、コンバージドネットワークデバイスからＮＧセットアップ応答メッセージを受信する。
【０１０５】
本出願のこの実施形態におけるステップＳ８０１及びステップＳ８０３が必要なシーケンスで実行されないことに留意されたい。ステップＳ８０１は、ステップＳ８０３の前に実行され得る、又はステップＳ８０３は、ステップＳ８０１の前に実行されてもよく、又はステップＳ８０１とステップＳ８０３とは、同時に実行されてもよい。これは、本出願のこの実施形態では特に限定されない。
【０１０６】
Ｓ８０５．Ｅ−ＵＴＲＡＮデバイスは、コンバージドネットワークデバイスにハンドオーバ要件（Ｈａｎｄｏｖｅｒ  Ｒｅｑｕｉｒｅｄ）を送信し、従って、コンバージドネットワークデバイスは、Ｅ−ＵＴＲＡＮデバイスからハンドオーバ要件を受信する。
【０１０７】
ハンドオーバ要件は、図８Ａ及び図８Ｂ中のＮＧ−ＡＮデバイスの識別子又はＮＧ−ＡＮデバイスによってサービスされるトラッキングエリアの識別を搬送する。
【０１０８】
Ｓ８０６．コンバージドネットワークデバイスは、ＮＧ−ＡＮデバイスの識別子又はＮＧ−ＡＮデバイスによってサービスされるトラッキングエリアの識別に基づいて、ＮＧ−ＡＮデバイスがコンバージドネットワークデバイスによって管理されるのかどうかを決定する。
【０１０９】
本出願のこの実施形態では、ＮＧ−ＡＮデバイスがコンバージドネットワークデバイスによって管理されるのかどうかは、接続がＮＧ−ＡＮデバイスとコンバージドネットワークデバイスとの間にセットアップされるのかどうかとして理解され得る。これは、統一された方式で本明細書では説明されており、以下で再び説明されない。
【０１１０】
任意選択で、コンバージドネットワークデバイスは、ＮＧ−ＡＮデバイスのものであり、ハンドオーバ要件中で搬送される識別子をコンバージドネットワークデバイスに接続された各ＮＧ−ＡＮデバイスのものであり、ＮＧ−ＡＮデバイスによってＮＧ−ＡＮデバイス登録プロシージャ中に報告される識別子にマッチングさせ得る。マッチングが成功する場合、例えば、コンバージドネットワークデバイスに接続された各ＮＧ−ＡＮデバイスのものであり、ＮＧ−ＡＮデバイスによってＮＧ−ＡＮデバイス登録プロシージャ中で報告される識別子が、ＮＧ−ＡＮデバイスのものであり、ハンドオーバ要件中で搬送される識別子を含む場合、図８Ａ及び図８Ｂ中のＮＧ−ＡＮデバイスがコンバージドネットワークデバイスによって管理されると決定され得る。
【０１１１】
代替として、任意選択で、コンバージドネットワークデバイスは、ＮＧ−ＡＮデバイスによってサービスされるトラッキングエリアのものであり、ハンドオーバ要件中で搬送される識別をコンバージドネットワークデバイスに接続された各ＮＧ−ＡＮデバイスによってサービスされるトラッキングエリアのものであり、ＮＧ−ＡＮデバイスによってＮＧ−ＡＮデバイス登録プロシージャ中に報告される識別にマッチングさせ得る。マッチングが成功する場合、例えば、コンバージドネットワークデバイスに接続された各ＮＧ−ＡＮデバイスによってサービスされるトラッキングエリアのものであり、ＮＧ−ＡＮデバイスによってＮＧ−ＡＮデバイス登録プロシージャ中で報告される識別が、ＮＧ−ＡＮデバイスによってサービスされるトラッキングエリアのものであり、ハンドオーバ要件中で搬送される識別を含む場合、図８Ａ及び図８Ｂ中のＮＧ−ＡＮデバイスがコンバージドネットワークデバイスによって管理されると決定され得る。
【０１１２】
そうでない場合、コンバージドネットワークデバイスは、図８Ａ及び図８Ｂ中のＮＧ−ＡＮデバイスがコンバージドネットワークデバイスによって管理されないと決定し得る。
【０１１３】
ＮＧ−ＡＮデバイスがコンバージドネットワークデバイスによって管理されるとコンバージドネットワークデバイスが決定するとき、本出願のこの実施形態において提供されるハンドオーバの方法は、以下のステップＳ８０７ａからＳ８１３ａをさらに含む。
【０１１４】
Ｓ８０７ａ．コンバージドネットワークデバイスは、ＮＧ−ＡＮデバイスにハンドオーバ要求（Ｈａｎｄｏｖｅｒ  Ｒｅｑｕｅｓｔ）を送信し、従って、ＮＧ−ＡＮデバイスは、コンバージドネットワークデバイスからハンドオーバ要求を受信する。ハンドオーバ要求は、ＮＧ−ＡＮデバイスに端末のための関連リソースを準備するように要求するために使用される。
【０１１５】
Ｓ８０８ａ．ＮＧ−ＡＮデバイスは、コンバージドネットワークデバイスにハンドオーバ要求肯定応答（Ｈａｎｄｏｖｅｒ  Ｒｅｑｕｅｓｔ  Ａｃｋｎｏｗｌｅｄｇｅ）を送信し、従って、コンバージドネットワークデバイスは、ＮＧ−ＡＮデバイスからハンドオーバ要求肯定応答を受信する。
【０１１６】
Ｓ８０９ａ．コンバージドネットワークデバイスは、Ｅ−ＵＴＲＡＮデバイスにハンドオーバコマンド（Ｈａｎｄｏｖｅｒ  Ｃｏｍｍａｎｄ）を送信し、従って、Ｅ−ＵＴＲＡＮデバイスは、コンバージドネットワークデバイスからハンドオーバコマンドを受信する。ハンドオーバコマンドは、ＮＧ−ＡＮデバイスに端末をハンドオーバするように命令するために使用される。
【０１１７】
Ｓ８１０ａ．Ｅ−ＵＴＲＡＮデバイスは、端末にハンドオーバコマンドを送信し、従って、端末は、Ｅ−ＵＴＲＡＮデバイスからハンドオーバコマンドを受信する。
【０１１８】
Ｓ８１１ａ．端末がＮＧ−ＡＮデバイスにハンドオーバされた後、端末は、ＮＧ−ＡＮデバイスにハンドオーバ肯定応答（Ｈａｎｄｏｖｅｒ  Ｃｏｎｆｉｒｍ）メッセージを送信し、従って、ＮＧ−ＡＮデバイスは、端末からハンドオーバ肯定応答メッセージを受信する。
【０１１９】
ハンドオーバ肯定応答メッセージは、端末がＮＧ−ＡＮデバイスにハンドオーバされることを示すために使用される。
【０１２０】
Ｓ８１２ａ．ＮＧ−ＡＮデバイスは、コンバージドネットワークデバイスにハンドオーバ通知（Ｈａｎｄｏｖｅｒ  Ｎｏｔｉｆｙ）を送信し、従って、コンバージドネットワークデバイスは、ＮＧ−ＡＮデバイスからハンドオーバ通知を受信する。ハンドオーバ通知は、端末がＮＧ−ＡＮデバイスにハンドオーバされることを示すために使用される。
【０１２１】
Ｓ８１３ａ．任意選択で、コンバージドネットワークデバイスは、Ｅ−ＵＴＲＡＮデバイスに解放コマンド（Ｒｅｌｅａｓｅ  Ｃｏｍｍａｎｄ）を送信し、従って、Ｅ−ＵＴＲＡＮデバイスは、コンバージドネットワークデバイスから解放コマンドを受信する。解放コマンドは、端末の関連リソースを解放するように命令するために使用される。
【０１２２】
さらに、Ｅ−ＵＴＲＡＮデバイスは、解放コマンドに基づいて端末の関連リソースを解放し得る。これは、本出願のこの実施形態では特に限定されない。
【０１２３】
代替として、ＮＧ−ＡＮデバイスがコンバージドネットワークデバイスによって管理されないとコンバージドネットワークデバイスが決定するとき、本出願のこの実施形態において提供されるハンドオーバの方法は、以下のステップＳ８０７ｂからＳ８２１ｂをさらに含む。
【０１２４】
Ｓ８０７ｂ．コンバージドネットワークデバイスは、完全修飾ドメイン名（Ｆｕｌｌｙ  Ｑｕａｌｉｆｉｅｄ  Ｄｏｍａｉｎ  Ｎａｍｅ、ＦＱＤＮ）を構築する。ＦＱＤＮは、５Ｇネットワーク中の候補ＡＭＦネットワーク要素のアドレス情報にクエリするために使用される。
【０１２５】
例えば、コンバージドネットワークデバイスは、以下の方式でＦＱＤＮを構築し得る。
【０１２６】
方式１：コンバージドネットワークデバイスは、ＮＧ−ＡＮデバイスの識別子に基づいてＦＱＤＮ１を構築し得る。ＦＱＤＮ１は、ＮＧ−ＡＮデバイスの識別子を含む。ＦＱＤＮ１のフォーマットは、５Ｇネットワーク中のＮＧ−ＡＮデバイスの識別子に対応するＦＱＤＮフォーマットであってもよく、これは、以下のように示される。
ｒａｎｎｏｄｅ＜ＡＮ  ｄｅｖｉｃｅ  ＩＤ＞．ｒａｎｎｏｄｅ．５ｇ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ａｍｆ：ｘ−ｎ２６」。
【０１２７】
方式２：コンバージドネットワークデバイスは、ＮＧ−ＡＮデバイスによってサービスされるトラッキングエリアの識別に基づいてＦＱＤＮ２を構築し得る。ＦＱＤＮ２は、ＮＧ−ＡＮデバイスによってサービスされるトラッキングエリアの識別を含む。ＦＱＤＮ２のフォーマットは、５Ｇネットワーク中のＮＧ−ＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｍｂ＜ＴＡＣ−ｍｉｄｄｌｅ−ｂｙｔｅ＞．ｔａｃ−ｈｂ＜ＴＡＣ−ｈｉｇｈ−ｂｙｔｅ＞．ｔａｃ．５ｇ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ａｍｆ：ｘ−ｎ２６」。
【０１２８】
方式３：コンバージドネットワークデバイスは、ＮＧ−ＡＮデバイスの識別子に基づいてＦＱＤＮ３を構築し得る。ＦＱＤＮ３は、ＮＧ−ＡＮデバイスの識別子を含む。ＦＱＤＮ３のフォーマットは、４Ｇネットワーク中のＥ−ＵＴＲＡＮデバイスの識別子に対応するＦＱＤＮフォーマットであってもよく、これは、以下のように示される。
ｅｎｂ＜ｅＮｏｄｅＢ−ＩＤ＞．ｅｎｂ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１２９】
ここで、「ｅＮｏｄｅＢ−ＩＤ」は、グローバルＡＮデバイスＩＤ中のＡＮデバイスＩＤで充填される。
【０１３０】
方式４：コンバージドネットワークデバイスは、ＮＧ−ＡＮデバイスによってサービスされるトラッキングエリアの識別に基づいてＦＱＤＮ４を構築し得る。ＦＱＤＮ４は、ＮＧ−ＡＮデバイスによってサービスされるトラッキングエリアの識別を含む。ＦＱＤＮ４のフォーマットは、４Ｇネットワーク中のＥ−ＵＴＲＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１３１】
ここで、「ＴＡＣ−ｌｏｗ−ｂｙｔｅ」は、５Ｇ−ＴＡＩ中のＴＡＣフィールドの下位の１バイトで充填され、「ＴＡＣ−ｈｉｇｈ−ｂｙｔｅ」は、５Ｇ−ＴＡＩ中のＴＡＣフィールドの上位の２バイトで充填される。
【０１３２】
方式５：コンバージドネットワークデバイスは、ＮＧ−ＡＮデバイスによってサービスされるトラッキングエリアの識別に基づいてＦＱＤＮ５を構築し得る。ＦＱＤＮ５は、ＮＧ−ＡＮデバイスによってサービスされるトラッキングエリアの識別中にＭＣＣと、ＭＮＣと、ＴＡＣの下位１６ビット（即ち、下位の２バイト）とを含む。ＦＱＤＮ５のフォーマットは、４Ｇネットワーク中のＥ−ＵＴＲＡＮデバイスによってサービスされるトラッキングエリアの識別に対応するＦＱＤＮフォーマットであってもよく、これは、以下のように示される。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１３３】
ここで、「ＴＡＣ−ｌｏｗ−ｂｙｔｅ」は、５Ｇ−ＴＡＩ中のＴＡＣフィールドの最下位バイトで充填され、「ＴＡＣ−ｈｉｇｈ−ｂｙｔｅ」は、５Ｇ−ＴＡＩ中のＴＡＣフィールドの中位バイトで充填される。５Ｇ−ＴＡＩ中のＴＡＣフィールドの最上位バイトは、直接破棄される。
【０１３４】
可能な実装では、本出願のこの実施形態では、４Ｇ−ＴＡＩと５Ｇ−ＴＡＩとは、統一方式で構成され得る。このようにして、ＭＮＣ＋ＭＣＣのグループの場合では、任意の４Ｇ−ＴＡＩ中のＴＡＣフィールドの下位１６ビットは、任意の５Ｇ−ＴＡＩ中のＴＡＣフィールドの下位１６ビットと同じでないことがあり、異なる５Ｇ−ＴＡＩの各々中のＴＡＣフィールドの上位の８ビットは、無効ビット又はすべて同じ値に設定され得る。このようにして、５Ｇネットワーク中の候補ＡＭＦネットワーク要素のアドレス情報が決定されるとき、候補ＡＭＦネットワーク要素のグループのアドレス情報は、５Ｇ−ＴＡＩ中のＭＮＣ＋ＭＣＣ＋ＴＡＣフィールドの下位１６ビットに基づいて一意に問い合わされ得る。これは、本出願のこの実施形態では特に限定されない。
【０１３５】
代替として、可能な実装では、本出願のこの実施形態では、４Ｇネットワークと５Ｇネットワークとの間の重複ワイヤレスカバレージエリアがネットワーク展開中にコンバージドネットワークデバイスによってサービスされる場合、４Ｇ−ＴＡＩと５Ｇ−ＴＡＩとは統一方式で構成され得る。このようにして、図９に示されるように、ＭＮＣ＋ＭＣＣのグループの場合では、コンバージドネットワークデバイスに対応する４Ｇ−ＴＡＩ中のＴＡＣフィールドの下位１６ビットは、同じコンバージドネットワークデバイスに対応する５Ｇ−ＴＡＩ中のＴＡＣフィールドの下位１６ビットと同じであり、異なる５Ｇ−ＴＡＩの各々中のＴＡＣフィールドの上位の８ビットは、無効ビット又はすべて同じ値に設定され得る。このようにして、５Ｇネットワーク中の候補ＡＭＦネットワーク要素のアドレス情報が決定されるとき、５Ｇネットワーク中の候補ＡＭＦネットワーク要素のアドレス情報は、５Ｇ−ＴＡＩ中のＭＮＣ＋ＭＣＣ＋ＴＡＣフィールドの下位１６ビットに基づいて一意に決定され得る。候補ＡＭＦネットワーク要素のアドレス情報も、実際に、候補コンバージドネットワークデバイスのアドレス情報である。これは、本出願のこの実施形態では特に限定されない。
【０１３６】
Ｓ８０８ｂ．コンバージドネットワークデバイスは、ドメイン名システム（Ｄｏｍａｉｎ  Ｎａｍｅ  Ｓｙｓｔｅｍ、ＤＮＳ）サーバにＤＮＳクエリ要求（ＤＮＳ  Ｑｕｅｒｙ  Ｒｅｑｕｅｓｔ）メッセージを送信し、従って、ＤＮＳサーバは、コンバージドネットワークデバイスからＤＮＳクエリ要求メッセージを受信する。ＤＮＳクエリ要求メッセージは、上記のＦＱＤＮを搬送し、候補ＡＭＦネットワーク要素のアドレス情報をクエリすることを要求するために使用される。
【０１３７】
任意選択で、ステップＳ８０７ｂの方式１又は方式３では、ＤＮＳサーバは、異なるＮＧ−ＡＮデバイスの各々の識別子と対応する候補ＡＭＦネットワーク要素のアドレス情報との間の第１の対応を記憶し得る。さらに、ＤＮＳサーバがＮＧ−ＡＮデバイスの識別子を取得した後、ＤＮＳサーバは、ＮＧ−ＡＮデバイスの識別子と記憶された第１の対応とに基づいて対応する候補ＡＭＦネットワーク要素のアドレス情報を決定し得る。
【０１３８】
代替として、任意選択で、ステップＳ８０７ｂの方式２又は方式４では、ＤＮＳサーバは、異なるＮＧ−ＡＮデバイスの各々によってサービスされるトラッキングエリアの識別と対応する候補ＡＭＦネットワーク要素のアドレス情報との間の第２の対応を記憶し得る。さらに、ＤＮＳサーバがＮＧ−ＡＮデバイスによってサービスされるトラッキングエリアの識別を取得した後、ＤＮＳサーバは、ＮＧ−ＡＮデバイスによってサービスされるトラッキングエリアの識別と記憶された第２の対応とに基づいて対応する候補ＡＭＦネットワーク要素のアドレス情報を決定し得る。
【０１３９】
代替として、任意選択で、ステップＳ８０７ｂの方式５では、ＤＮＳサーバは、異なるＮＧ−ＡＮデバイスの各々によってサービスされるトラッキングエリアの識別中のフィールドの部分（例えば、ＭＮＣ＋ＭＣＣ＋ＴＡＣの下位１６ビット）と対応する候補ＡＭＦネットワーク要素のアドレス情報との間の第３の対応を記憶し得る。さらに、ＤＮＳサーバがＮＧ−ＡＮデバイスによってサービスされるトラッキングエリアの識別中のフィールドの部分（例えば、ＭＮＣ＋ＭＣＣ＋ＴＡＣの下位１６ビット）を取得した後、ＤＮＳサーバは、ＮＧ−ＡＮデバイスによってサービスされるトラッキングエリアの識別中のフィールドの部分（例えば、ＭＮＣ＋ＭＣＣ＋ＴＡＣの下位１６ビット）と記憶された第３の対応とに基づいて対応する候補ＡＭＦネットワーク要素のアドレス情報を決定し得る。
【０１４０】
任意選択で、本出願のこの実施形態では、ＤＮＳサーバは、上記の方式で候補ＡＭＦネットワーク要素のアドレス情報を決定するだけでなく、同様に、候補ＡＭＦネットワーク要素の識別子、例えば、グローバルユニークＡＭＦ識別子（Ｇｌｏｂａｌｌｙ  Ｕｎｉｑｕｅ  ＡＭＦ  Ｉｄｅｎｔｉｆｉｅｒ、ＧＵＡＭＩ）のグループをも決定し得る。これは、本出願のこの実施形態では特に限定されない。
【０１４１】
Ｓ８０９ｂ．ＤＮＳサーバは、コンバージドネットワークデバイスにＤＮＳクエリ応答（ＤＮＳ  Ｑｕｅｒｙ  Ｒｅｓｐｏｎｓｅ）メッセージを送信し、従って、コンバージドネットワークデバイスは、ＤＮＳサーバからＤＮＳクエリ応答メッセージを受信する。ＤＮＳクエリ応答メッセージは、候補ＡＭＦネットワーク要素のグループのアドレス情報を搬送する。
【０１４２】
任意選択で、ＤＮＳクエリ応答メッセージは、候補ＡＭＦネットワーク要素のグループの識別子を搬送する。これは、本出願のこの実施形態では特に限定されない。
【０１４３】
Ｓ８１０ｂ．コンバージドネットワークデバイスは、候補ＡＭＦネットワーク要素のアドレス情報から５Ｇネットワーク中のターゲットＡＭＦネットワーク要素のアドレス情報を選択する。ターゲットＡＭＦネットワーク要素が図８Ａ及び図８Ｂに示され得ると仮定する。
【０１４４】
Ｓ８１１ｂ．コンバージドネットワークデバイスは、ターゲットＡＭＦネットワーク要素にフォワード移転要求（Ｆｏｒｗａｒｄ  Ｒｅｌｏｃａｔｉｏｎ  Ｒｅｑｕｅｓｔ）メッセージを送信し、従って、ターゲットＡＭＦネットワーク要素は、コンバージドネットワークデバイスからフォワード移転要求メッセージを受信する。フォワード移転要求メッセージは、端末の４Ｇコンテキストを搬送し、端末のための関連リソースを準備するようにターゲットＡＭＦネットワーク要素に要求するために使用される。
【０１４５】
ステップＳ８１２ｂ及びＳ８１３ｂは、ステップＳ８０７ａ及びＳ８０８ａと同様である。例えば、差は、ステップＳ８０７ａ及びＳ８０８ａ中のコンバージドネットワークデバイスは、ステップＳ８１２ｂ及びＳ８１３ｂ中のターゲットＡＭＦネットワーク要素に置き換えられるということである。他の関連説明については、ステップＳ８０７ａ及びＳ８０８ａを参照されたい。本明細書では、詳細を再び説明しない。
【０１４６】
Ｓ８１４ｂ．ターゲットＡＭＦネットワーク要素は、コンバージドネットワークデバイスにフォワード移転応答（Ｆｏｒｗａｒｄ  Ｒｅｌｏｃａｔｉｏｎ  Ｒｅｓｐｏｎｓｅ）メッセージを送信し、従って、コンバージドネットワークデバイスは、ターゲットＡＭＦネットワーク要素からフォワード移転応答メッセージを受信する。
【０１４７】
ステップＳ８１５ｂからＳ８１７ｂは、ステップＳ８０９ａからＳ８１１ａと同じである。関連説明については、ステップＳ８０９ａからＳ８１１ａを参照されたい。本明細書では、詳細を再び説明しない。
【０１４８】
ステップＳ８１８ｂは、ステップＳ８１２ａと同様である。例えば、差は、ステップＳ８１２ａ中のコンバージドネットワークデバイスがステップＳ８１８ｂ中のターゲットＡＭＦネットワーク要素と置き換えられるということである。他の関連説明については、ステップＳ８１２ａを参照されたい。本明細書では、詳細を再び説明しない。
【０１４９】
Ｓ８１９ｂ．ターゲットＡＭＦネットワーク要素は、コンバージドネットワークデバイスにフォワード移転完了通知（Ｆｏｒｗａｒｄ  Ｒｅｌｏｃａｔｉｏｎ  Ｃｏｍｐｌｅｔｅ  Ｎｏｔｉｆｉｃａｔｉｏｎ）を送信し、従って、コンバージドネットワークデバイスは、ターゲットＡＭＦネットワーク要素からフォワード移転完了通知を受信する。フォワード移転完了通知は、コンバージドネットワークデバイスが端末の関連リソースを解放することができることを示すために使用される。
【０１５０】
Ｓ８２０ｂ．コンバージドネットワークデバイスは、ターゲットＡＭＦネットワーク要素にフォワード移転完了肯定応答（Ｆｏｒｗａｒｄ  Ｒｅｌｏｃａｔｉｏｎ  Ｃｏｍｐｌｅｔｅ  Ａｃｋｎｏｗｌｅｄｇｅ）を送信し、従って、ターゲットＡＭＦネットワーク要素は、コンバージドネットワークデバイスからフォワード移転完了肯定応答を受信する。
【０１５１】
ステップＳ８２１ｂは、ステップＳ８１３ａと同じである。他の関連説明については、ステップＳ８１３ａを参照されたい。本明細書では、詳細を再び説明しない。
【０１５２】
本出願のこの実施形態において提供されるハンドオーバの方法に基づいて、端末のハンドオーバ手順が簡略化され得るだけでなく、４Ｇネットワークから５Ｇネットワークへの端末のハンドオーバも実施され得る。関連する技術的効果に関する分析については、ハンドオーバのシステムの部分の関連説明を参照されたい。本明細書では、詳細を再び説明しない。
【０１５３】
ステップＳ８０１からＳ８１３ａ又はＳ８２１ｂのコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０１５４】
任意選択で、例えば、図１に示されたハンドオーバのシステムにおいて、第１のネットワークは、４Ｇネットワークであり、第２のネットワークは、５Ｇネットワークであり、即ち、ＮＧ−ＡＮデバイスは、ターゲットデバイスであり、Ｅ−ＵＴＲＡＮデバイスは、ソースデバイスである。図１０Ａ及び図１０Ｂは、本出願の一実施形態による、ハンドオーバの方法を示す。ハンドオーバの方法は、以下のステップを含む。
【０１５５】
ステップＳ１００１からＳ１００６は、ステップＳ８０１からＳ８０６と同じである。関連説明については、図８Ａ及び図８Ｂに示された実施形態を参照されたい。本明細書では、詳細を再び説明しない。
【０１５６】
ＮＧ−ＡＮデバイスがコンバージドネットワークデバイスによって管理されるとコンバージドネットワークデバイスが決定するとき、本出願のこの実施形態において提供されるハンドオーバの方法は、以下のステップＳ１００７ａからＳ１０１３ａをさらに含む。
【０１５７】
ステップＳ１００７ａからＳ１０１３ａは、ステップＳ８０７ａからＳ８１３ａと同じである。関連説明については、図８Ａ及び図８Ｂに示された実施形態を参照されたい。本明細書では、詳細を再び説明しない。
【０１５８】
代替として、ＮＧ−ＡＮデバイスがコンバージドネットワークデバイスによって管理されないとコンバージドネットワークデバイスが決定するとき、本出願のこの実施形態において提供されるハンドオーバの方法は、以下のステップＳ１００７ｂからＳ１０２０ｂをさらに含む。
【０１５９】
Ｓ１００７ｂ．コンバージドネットワークデバイスは、ネットワークリポジトリ機能（Ｎｅｔｗｏｒｋ  Ｒｅｐｏｓｉｔｏｒｙ  Ｆｕｎｃｔｉｏｎ、ＮＲＦ）ネットワーク要素に発見要求（Ｄｉｓｃｏｖｅｒｙ  Ｒｅｑｕｅｓｔ）メッセージを送信し、従って、ＮＲＦネットワーク要素は、コンバージドネットワークデバイスから発見要求メッセージを受信する。発見要求メッセージは、ＮＧ−ＡＮデバイスの識別子又はＮＧ−ＡＮデバイスによってサービスされるトラッキングエリアの識別を搬送し、候補ＡＭＦネットワーク要素のアドレス情報をクエリすることを要求するために使用される。
【０１６０】
ＮＲＦネットワーク要素は、異なるＮＧ−ＡＮデバイスの各々の識別子と対応する候補ＡＭＦネットワーク要素のアドレス情報との間の第１の対応を記憶し得る。さらに、ＮＲＦネットワーク要素がＮＧ−ＡＮデバイスの識別子を取得した後、ＮＲＦネットワーク要素は、ＮＧ−ＡＮデバイスの識別子と記憶された第１の対応とに基づいて対応する候補ＡＭＦネットワーク要素のアドレス情報を決定し得る。
【０１６１】
代替として、ＮＲＦネットワーク要素は、異なるＮＧ−ＡＮデバイスの各々によってサービスされるトラッキングエリアの識別と対応する候補ＡＭＦネットワーク要素のアドレス情報との間の第２の対応を記憶し得る。さらに、ＮＲＦネットワーク要素がＮＧ−ＡＮデバイスによってサービスされるトラッキングエリアの識別を取得した後、ＮＲＦネットワーク要素は、ＮＧ−ＡＮデバイスによってサービスされるトラッキングエリアの識別と記憶された第２の対応とに基づいて対応する候補ＡＭＦネットワーク要素のアドレス情報を決定し得る。
【０１６２】
任意選択で、本出願のこの実施形態では、ＮＲＦネットワーク要素は、上記の方式で候補ＡＭＦネットワーク要素のアドレス情報を決定するだけでなく、同様に、候補ＡＭＦネットワーク要素の識別子、例えば、ＧＵＡＭＩのグループをも決定し得る。これは、本出願のこの実施形態では特に限定されない。
【０１６３】
Ｓ１００８ｂ．ＮＲＦネットワーク要素は、コンバージドネットワークデバイスに発見応答（Ｄｉｓｃｏｖｅｒｙ  Ｒｅｓｐｏｎｓｅ）メッセージを送信し、従って、コンバージドネットワークデバイスは、ＮＲＦネットワーク要素から発見応答メッセージを受信する。発見応答メッセージは、候補ＡＭＦネットワーク要素のグループのアドレス情報を搬送する。
【０１６４】
任意選択で、発見応答メッセージは、候補ＡＭＦネットワーク要素のグループの識別子を搬送する。これは、本出願のこの実施形態では特に限定されない。
【０１６５】
ステップＳ１００９ｂは、ステップＳ８１０ｂと同じである。関連説明については、図８Ａ及び図８Ｂに示された実施形態を参照されたい。本明細書では、詳細を再び説明しない。
【０１６６】
Ｓ１０１０ｂ．コンバージドネットワークデバイスは、ターゲットＡＭＦネットワーク要素にコンテキスト作成要求（Ｃｒｅａｔｅ  Ｃｏｎｔｅｘｔ  Ｒｅｑｕｅｓｔ）メッセージを送信し、従って、ターゲットＡＭＦネットワーク要素は、コンバージドネットワークデバイスからコンテキスト作成要求メッセージを受信する。コンテキスト作成要求メッセージは、端末の４Ｇコンテキストから変換された５Ｇコンテキストを搬送し、端末のための関連リソースを準備するようにターゲットＡＭＦネットワーク要素に要求するために使用される。
【０１６７】
ステップＳ１０１１ｂ及びＳ１０１２ｂは、ステップＳ８１２ｂ及びＳ８１３ｂと同じである。関連説明については、図８Ａ及び図８Ｂに示された実施形態を参照されたい。本明細書では、詳細を再び説明しない。
【０１６８】
Ｓ１０１３ｂ．ターゲットＡＭＦネットワーク要素は、コンバージドネットワークデバイスにコンテキスト作成応答（Ｃｒｅａｔｅ  Ｃｏｎｔｅｘｔ  Ｒｅｓｐｏｎｓｅ）メッセージを送信し、従って、コンバージドネットワークデバイスは、ターゲットＡＭＦネットワーク要素からコンテキスト作成応答メッセージを受信する。
【０１６９】
ステップＳ１０１４ｂからＳ１０１７ｂは、ステップＳ８１５ｂからＳ８１８ｂと同じである。関連説明については、図８Ａ及び図８Ｂに示された実施形態を参照されたい。本明細書では、詳細を再び説明しない。
【０１７０】
Ｓ１０１８ｂ．ターゲットＡＭＦネットワーク要素は、コンバージドネットワークデバイスにＮ２通知（Ｎ２  Ｎｏｔｉｆｉｃａｔｉｏｎ）メッセージを送信し、従って、コンバージドネットワークデバイスは、ターゲットＡＭＦネットワーク要素からＮ２通知メッセージを受信する。Ｎ２通知メッセージは、コンバージドネットワークデバイスが端末の関連リソースを解放することができることを示すために使用される。
【０１７１】
Ｓ１０１９ｂ．コンバージドネットワークデバイスは、ターゲットＡＭＦネットワーク要素にＮ２通知肯定応答（Ｎ２  Ｎｏｔｉｆｉｃａｔｉｏｎ  Ａｃｋｎｏｗｌｅｄｇｅ）メッセージを送信し、従って、ターゲットＡＭＦネットワーク要素は、コンバージドネットワークデバイスからＮ２通知肯定応答メッセージを受信する。
【０１７２】
ステップＳ１０２０ｂは、ステップＳ８２１ｂと同じである。関連説明については、図８Ａ及び図８Ｂに示された実施形態を参照されたい。本明細書では、詳細を再び説明しない。
【０１７３】
本出願のこの実施形態において提供されるハンドオーバの方法に基づいて、端末のハンドオーバ手順が簡略化され得るだけでなく、４Ｇネットワークから５Ｇネットワークへの端末のハンドオーバも実施され得る。関連する技術的効果に関する分析については、ハンドオーバのシステムの部分の関連説明を参照されたい。本明細書では、詳細を再び説明しない。
【０１７４】
ステップＳ１００１からＳ１０１３ａ又はＳ１０２０ｂのコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０１７５】
任意選択で、図８Ａ及び図８Ｂ又は図１０Ａ及び図１０Ｂに示された実施形態は、コンバージドネットワークデバイスにＥ−ＵＴＲＡＮデバイスによって送られるハンドオーバ要件が図８Ａ及び図８Ｂ中のＮＧ−ＡＮデバイスの識別子又はＮＧ−ＡＮデバイスによってサービスされるトラッキングエリアの識別を搬送する一例を使用することによって説明される。もちろん、コンバージドネットワークデバイスにＥ−ＵＴＲＡＮデバイスによって送られるハンドオーバ要件は、代替として、Ｅ−ＵＴＲＡＮデバイスの識別子又はＥ−ＵＴＲＡＮデバイスによってサービスされるトラッキングエリアの識別を搬送し得る。対応するハンドオーバの方法については、既存の４Ｇハンドオーバ手順を参照されたい。この場合、４Ｇネットワーク中のソース（Ｓｏｕｒｃｅ）ＭＭＥは、本出願のこの実施形態におけるコンバージドネットワークデバイスと置き換えられる必要がある。本明細書では、詳細を説明しない。
【０１７６】
任意選択で、例えば、図１に示されたハンドオーバのシステムにおいて、第１のネットワークは、５Ｇネットワークであり、第２のネットワークは、４Ｇネットワークであり、即ち、ＮＧ−ＡＮデバイスは、ソースデバイスであり、Ｅ−ＵＴＲＡＮデバイスは、ターゲットデバイスである。図１１Ａ及び図１１Ｂは、本出願の一実施形態による、ハンドオーバの方法を示す。ハンドオーバの方法は、以下のステップを含む。
【０１７７】
ステップＳ１１０１からＳ１１０４は、ステップＳ８０１からＳ８０４と同じである。関連説明については、図８Ａ及び図８Ｂに示された実施形態を参照されたい。本明細書では、詳細を再び説明しない。
【０１７８】
Ｓ１１０５．ＮＧ−ＡＮデバイスは、コンバージドネットワークデバイスにハンドオーバ要件を送信し、従って、コンバージドネットワークデバイスは、ＮＧ−ＡＮデバイスからハンドオーバ要件を受信する。
【０１７９】
ハンドオーバ要件は、図１１Ａ及び図１１Ｂ中のＥ−ＵＴＲＡＮデバイスの識別子又はＥ−ＵＴＲＡＮデバイスによってサービスされるトラッキングエリアの識別を搬送する。
【０１８０】
Ｓ１１０６．コンバージドネットワークデバイスは、Ｅ−ＵＴＲＡＮデバイスの識別子又はＥ−ＵＴＲＡＮデバイスによってサービスされるトラッキングエリアの識別に基づいて、Ｅ−ＵＴＲＡＮデバイスがコンバージドネットワークデバイスによって管理されるのかどうかを決定する。
【０１８１】
本出願のこの実施形態では、Ｅ−ＵＴＲＡＮデバイスがコンバージドネットワークデバイスによって管理されるのかどうかは、接続がＥ−ＵＴＲＡＮデバイスとコンバージドネットワークデバイスとの間にセットアップされるのかどうかとして理解され得る。これは、統一された方式で本明細書では説明されており、以下で再び説明されない。
【０１８２】
任意選択で、コンバージドネットワークデバイスは、Ｅ−ＵＴＲＡＮデバイスのものであり、ハンドオーバ要件中で搬送される識別子をコンバージドネットワークデバイスに接続された各Ｅ−ＵＴＲＡＮデバイスのものであり、Ｅ−ＵＴＲＡＮデバイスによってＥ−ＵＴＲＡＮデバイス登録プロシージャ中に報告される識別子にマッチングさせ得る。マッチングが成功する場合、例えば、コンバージドネットワークデバイスに接続された各Ｅ−ＵＴＲＡＮデバイスのものであり、Ｅ−ＵＴＲＡＮデバイスによってＥ−ＵＴＲＡＮデバイス登録プロシージャ中で報告される識別子が、Ｅ−ＵＴＲＡＮデバイスのものであり、ハンドオーバ要件中で搬送される識別子を含む場合、図１１Ａ及び図１１Ｂ中のＥ−ＵＴＲＡＮデバイスがコンバージドネットワークデバイスによって管理されると決定され得る。
【０１８３】
代替として、任意選択で、コンバージドネットワークデバイスは、Ｅ−ＵＴＲＡＮデバイスによってサービスされるトラッキングエリアのものであり、ハンドオーバ要件中で搬送される識別をコンバージドネットワークデバイスに接続された各Ｅ−ＵＴＲＡＮデバイスによってサービスされるトラッキングエリアのものであり、Ｅ−ＵＴＲＡＮデバイスによってＥ−ＵＴＲＡＮデバイス登録プロシージャ中に報告される識別にマッチングさせ得る。マッチングが成功する場合、例えば、コンバージドネットワークデバイスに接続された各Ｅ−ＵＴＲＡＮデバイスによってサービスされるトラッキングエリアのものであり、Ｅ−ＵＴＲＡＮデバイスによってＥ−ＵＴＲＡＮデバイス登録プロシージャ中で報告される識別が、Ｅ−ＵＴＲＡＮデバイスによってサービスされるトラッキングエリアのものであり、ハンドオーバ要件中で搬送される識別を含む場合、図１１Ａ及び図１１Ｂ中のＥ−ＵＴＲＡＮデバイスがコンバージドネットワークデバイスによって管理されると決定され得る。
【０１８４】
そうでない場合、コンバージドネットワークデバイスは、図１１Ａ及び図１１Ｂ中のＥ−ＵＴＲＡＮデバイスがコンバージドネットワークデバイスによって管理されないと決定し得る。
【０１８５】
Ｅ−ＵＴＲＡＮデバイスがコンバージドネットワークデバイスによって管理されるとコンバージドネットワークデバイスが決定するとき、本出願のこの実施形態において提供されるハンドオーバの方法は、以下のステップＳ１１０７ａからＳ１１１３ａをさらに含む。
【０１８６】
ステップＳ１１０７ａ及びＳ１１０８ａは、ステップＳ８０７ａ及びＳ８０８ａと同様である。例えば、差は、ステップＳ８０７ａ及びＳ８０８ａ中のＮＧ−ＡＮデバイスは、ステップＳ１１０７ａ及びＳ１１０８ａ中のＥ−ＵＴＲＡＮデバイスに置き換えられるということである。他の関連説明については、図８Ａ及び図８Ｂに示された実施形態を参照されたい。本明細書では、詳細を再び説明しない。
【０１８７】
ステップＳ１１０９ａ及びＳ１１１０ａは、ステップＳ８０９ａ及びＳ８１０ａと同様である。例えば、差は、ステップＳ８０９ａ及びＳ８１０ａ中のＥ−ＵＴＲＡＮデバイスは、ステップＳ１１０９ａ及びＳ１１１０ａ中のＮＧ−ＡＮデバイスに置き換えられるということである。他の関連説明については、図８Ａ及び図８Ｂに示された実施形態を参照されたい。本明細書では、詳細を再び説明しない。
【０１８８】
ステップＳ１１１１ａ及びＳ１１１２ａは、ステップＳ８１１ａ及びＳ８１２ａと同様である。例えば、差は、ステップＳ８１１ａ及びＳ８１２ａ中のＮＧ−ＡＮデバイスは、ステップＳ１１１１ａ及びＳ１１１２ａ中のＥ−ＵＴＲＡＮデバイスに置き換えられるということである。他の関連説明については、図８Ａ及び図８Ｂに示された実施形態を参照されたい。本明細書では、詳細を再び説明しない。
【０１８９】
Ｓ１１１３ａ．任意選択で、コンバージドネットワークデバイスは、ＮＧ−ＡＮデバイスに解放コマンドを送信し、従って、ＮＧ−ＡＮデバイスは、コンバージドネットワークデバイスから解放コマンドを受信する。解放コマンドは、端末の関連リソースを解放するように命令するために使用される。
【０１９０】
さらに、ＮＧ−ＡＮデバイスは、解放コマンドに基づいて端末の関連リソースを解放し得る。これは、本出願のこの実施形態では特に限定されない。
【０１９１】
代替として、Ｅ−ＵＴＲＡＮデバイスがコンバージドネットワークデバイスによって管理されないとコンバージドネットワークデバイスが決定するとき、本出願のこの実施形態において提供されるハンドオーバの方法は、以下のステップＳ１１０７ｂからＳ１１２１ｂをさらに含む。
【０１９２】
Ｓ１１０７ｂ．コンバージドネットワークデバイスは、完全修飾ドメイン名を構築する。ＦＱＤＮは、４Ｇネットワーク中の候補ＭＭＥネットワーク要素のアドレス情報にクエリするために使用される。
【０１９３】
例えば、コンバージドネットワークデバイスは、以下の方式でＦＱＤＮを構築し得る。
【０１９４】
方式１：コンバージドネットワークデバイスは、Ｅ−ＵＴＲＡＮデバイスの識別子に基づいてＦＱＤＮ６を構築し得る。ＦＱＤＮ６は、Ｅ−ＵＴＲＡＮデバイスの識別子を含む。ＦＱＤＮ６のフォーマットは、以下のように示される。
ｅｎｂ＜ｅＮｏｄｅＢ−ＩＤ＞．ｅｎｂ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１９５】
方式２：コンバージドネットワークデバイスは、Ｅ−ＵＴＲＡＮデバイスによってサービスされるトラッキングエリアの識別に基づいてＦＱＤＮ７を構築し得る。ＦＱＤＮ７は、Ｅ−ＵＴＲＡＮデバイスによってサービスされるトラッキングエリアの識別を含む。ＦＱＤＮ７のフォーマットは、以下の通りである。
ｔａｃ−ｌｂ＜ＴＡＣ−ｌｏｗ−ｂｙｔｅ＞．ｔａｃ−ｈｂ＜ＴＡＣ−ｈｉｇｈ−ｂｙｔｅ＞．ｔａｃ．ｅｐｃ．ｍｎｃ＜ＭＮＣ＞．ｍｃｃ＜ＭＣＣ＞．３ｇｐｐｎｅｔｗｏｒｋ．ｏｒｇ；
クエリパラメータ：「ｘ−３ｇｐｐ−ｍｍｅ：ｘ−ｓ１０」。
【０１９６】
Ｓ１１０８ｂ．コンバージドネットワークデバイスは、ＤＮＳサーバにＤＮＳクエリ要求メッセージを送信し、従って、ＤＮＳサーバは、コンバージドネットワークデバイスからＤＮＳクエリ要求メッセージを受信する。ＤＮＳクエリ要求メッセージは、上記のＦＱＤＮを搬送し、候補ＭＭＥのアドレス情報をクエリすることを要求するために使用される。
【０１９７】
任意選択で、ステップＳ１００７ｂの方式１では、ＤＮＳサーバは、異なるＥ−ＵＴＲＡＮデバイスの各々の識別子と対応する候補ＭＭＥのアドレス情報との間の第４の対応を記憶し得る。さらに、ＤＮＳサーバがＥ−ＵＴＲＡＮデバイスの識別子を取得した後、ＤＮＳサーバは、Ｅ−ＵＴＲＡＮデバイスの識別子と記憶された第４の対応とに基づいて対応する候補ＭＭＥのアドレス情報を決定し得る。
【０１９８】
代替として、任意選択で、ステップＳ１００７ｂの方式２では、ＤＮＳサーバは、異なるＥ−ＵＴＲＡＮデバイスの各々によってサービスされるトラッキングエリアの識別と対応する候補ＭＭＥのアドレス情報との間の第５の対応を記憶し得る。さらに、ＤＮＳサーバがＥ−ＵＴＲＡＮデバイスによってサービスされるトラッキングエリアの識別を取得した後、ＤＮＳサーバは、Ｅ−ＵＴＲＡＮデバイスによってサービスされるトラッキングエリアの識別と記憶された第５の対応とに基づいて対応する候補ＭＭＥのアドレス情報を決定し得る。
【０１９９】
任意選択で、本出願のこの実施形態では、ＤＮＳサーバは、上記の方式で候補ＭＭＥのアドレス情報を決定するだけでなく、同様に、候補ＭＭＥの識別子、例えば、グローバルユニークＭＭＥ識別子（Ｇｌｏｂａｌｌｙ  Ｕｎｉｑｕｅ  ＭＭＥ  Ｉｄｅｎｔｉｆｉｅｒ、ＧＵＭＭＥＩ）のグループをも決定し得る。これは、本出願のこの実施形態では特に限定されない。
【０２００】
Ｓ１１０９ｂ．ＤＮＳサーバは、コンバージドネットワークデバイスにＤＮＳクエリ応答メッセージを送信し、従って、コンバージドネットワークデバイスは、ＤＮＳサーバからＤＮＳクエリ応答メッセージを受信する。ＤＮＳクエリ応答メッセージは、候補ＭＭＥのグループのアドレス情報を搬送する。
【０２０１】
任意選択で、ＤＮＳクエリ応答メッセージは、候補ＭＭＥのグループの識別子を搬送する。これは、本出願のこの実施形態では特に限定されない。
【０２０２】
Ｓ１１１０ｂ．コンバージドネットワークデバイスは、候補ＭＭＥのアドレス情報から４Ｇネットワーク中のターゲットＭＭＥのアドレス情報を選択する。ターゲットＭＭＥが図１１Ａ及び図１１Ｂに示され得ると仮定する。
【０２０３】
ステップＳ１１１１ｂからＳ１１１４ｂは、ステップＳ８１１ｂからＳ８１４ｂと同様である。例えば、差は、ステップＳ８１１ｂからＳ８１４ｂ中のターゲットＡＭＦネットワーク要素はステップＳ１１１１ｂからＳ１１１４ｂ中のターゲットＭＭＥと置き換えられ、ステップＳ８１１ｂからＳ８１４ｂ中のＮＧ−ＡＮデバイスは、ステップＳ１１１１ｂからＳ１１１４ｂ中のＥ−ＵＴＲＡＮデバイスと置き換えられるということである。他の関連説明については、図８Ａ及び図８Ｂに示された実施形態を参照されたい。本明細書では、詳細を再び説明しない。
【０２０４】
ステップＳ１１１５ｂ及びＳ１１１６ｂは、ステップＳ８１５ａ及びＳ８１６ａと同様である。例えば、差は、ステップＳ８１５ａ及びＳ８１６ａ中のＥ−ＵＴＲＡＮデバイスは、ステップＳ１１１５ａ及びＳ１１１６ａ中のＮＧ−ＡＮデバイスに置き換えられるということである。他の関連説明については、図８Ａ及び図８Ｂに示された実施形態を参照されたい。本明細書では、詳細を再び説明しない。
【０２０５】
ステップＳ１１１７ｂ及びＳ１１１８ｂは、ステップＳ８１７ｂ及びＳ８１８ｂと同様である。例えば、差は、ステップＳ８１７ｂ及びＳ８１８ｂ中のターゲットＡＭＦネットワーク要素はステップＳ１１１７ｂ及びＳ１１１８ｂ中のターゲットＭＭＥと置き換えられ、ステップＳ８１７ｂ及びＳ８１８ｂ中のＮＧ−ＡＮデバイスは、ステップＳ１１１７ｂ及びＳ１１１８ｂ中のＥ−ＵＴＲＡＮデバイスと置き換えられる。他の関連説明については、図８Ａ及び図８Ｂに示された実施形態を参照されたい。本明細書では、詳細を再び説明しない。
【０２０６】
ステップＳ１１１９ｂ及びＳ１１２０ｂは、ステップＳ８１９ｂ及びＳ８２０ｂと同様である。例えば、差は、ステップＳ８１９ｂ及びＳ８２０ｂ中のターゲットＡＭＦネットワーク要素は、ステップＳ１１１９ｂ及びＳ１１２０ｂ中のターゲットＭＭＥに置き換えられるということである。他の関連説明については、図８Ａ及び図８Ｂに示された実施形態を参照されたい。本明細書では、詳細を再び説明しない。
【０２０７】
ステップＳ１１２１ｂは、ステップＳ１１１３ａと同じである。他の関連説明については、ステップＳ１１１３ａを参照されたい。本明細書では、詳細を再び説明しない。
【０２０８】
本出願のこの実施形態において提供されるハンドオーバの方法に基づいて、端末のハンドオーバ手順が簡略化され得るだけでなく、５Ｇネットワークから４Ｇネットワークへの端末のハンドオーバも実施され得る。関連する技術的効果に関する分析については、ハンドオーバのシステムの部分の関連説明を参照されたい。本明細書では、詳細を再び説明しない。
【０２０９】
ステップＳ１１０１からＳ１１１３ａ中又はＳ１１０１からＳ１１２１ｂ中のコンバージドネットワークデバイスの行為は、図３に示された通信デバイス３００中のプロセッサ３０１がメモリ３０３中に記憶されたアプリケーションプログラムコードを呼び出す方式で実行され得る。これは、本出願のこの実施形態では限定されない。
【０２１０】
任意選択で、図１１Ａ及び図１１Ｂに示された実施形態は、コンバージドネットワークデバイスにＮＧ−ＡＮデバイスによって送られるハンドオーバ要件が図１１Ａ及び図１１Ｂ中のＥ−ＵＴＲＡＮデバイスの識別子又はＥ−ＵＴＲＡＮデバイスによってサービスされるトラッキングエリアの識別を搬送する一例を使用することによって説明される。もちろん、コンバージドネットワークデバイスにＮＧ−ＡＮデバイスによって送られるハンドオーバ要件は、代替として、ＮＧ−ＡＮデバイスの識別子又はＮＧ−ＡＮデバイスによってサービスされるトラッキングエリアの識別を搬送し得る。対応するハンドオーバの方法については、既存の５Ｇハンドオーバ手順を参照されたい。この場合、５Ｇネットワーク中のソース（Ｓｏｕｒｃｅ）ＡＭＦネットワーク要素は、この実施形態における本出願のコンバージドネットワークデバイスと置き換えられる必要がある。本明細書では、詳細を説明しない。
【０２１１】
上記は、主に、ネットワーク要素間の対話の観点から本出願の実施形態で提供される解決策について説明した。上記の機能を実施するために、コンバージドネットワークデバイスは、機能を実行するための対応するハードウェア構造及び／又はソフトウェアモジュールを含むことが理解され得る。当業者は、本明細書に開示した実施形態において説明された例のユニット及びアルゴリズムステップと組み合わせて、本出願がハードウェア又はハードウェアとコンピュータソフトウェアとの組合せによって実施され得ることを容易に認識すべきである。機能がハードウェアによって実行されるのか又はコンピュータソフトウェアによって駆動されるハードウェアによって実行されるのかは、特定の適用例と技術的解決策の設計制約とに依存する。当業者は、特定の適用例ごとに説明した機能を実施するために異なる方法を使用し得るが、実施が本出願の範囲を越えると見なすべきではない。
【０２１２】
本出願の実施形態では、コンバージドネットワークデバイスは、上記の方法例に基づいて機能モジュールに分割され得る。例えば、各機能モジュールは、それぞれの対応する機能に基づき区分を通して取得され得るか、又は２つ以上の機能は、１つの処理モジュールに統合され得る。統合モジュールは、ハードウェアの形態で実施され得るか、又はソフトウェア機能モジュールの形態で実施され得る。本出願の実施形態では、モジュールへの区分は、一例であり、論理機能区分にすぎず、実際の実施では他の区分があり得ることに留意されたい。
【０２１３】
例えば、各機能モジュールが統合方式での区分を通して取得されるとき、図１２は、コンバージドネットワークデバイス１２０の概略構造図である。コンバージドネットワークデバイス１２０は、トランシーバモジュール１２０１と処理モジュール１２０２とを含む。
【０２１４】
可能な実装では、トランシーバモジュール１２０１は、第１のネットワーク中の第１のアクセスデバイスからハンドオーバ要件を受信するように構成される。ハンドオーバ要件は、第２のネットワーク中の第２のアクセスデバイスの識別子又は第２のアクセスデバイスによってサービスされるトラッキングエリアの識別を搬送する。第１のネットワークと第２のネットワークとは、異なるタイプのネットワークである。処理モジュール１２０２は、第２のアクセスデバイスの識別子又は第２のアクセスデバイスによってサービスされるトラッキングエリアの識別に基づいて、第２のアクセスデバイスがコンバージドネットワークデバイス１２０によって管理されると決定するように構成される。トランシーバモジュール１２０１は、第２のアクセスデバイスにハンドオーバ要求を送信するようにさらに構成される。ハンドオーバ要求は、第２のアクセスデバイスに端末のための関連リソースを準備するように要求するために使用される。トランシーバモジュール１２０１は、第１のアクセスデバイスにハンドオーバコマンドを送信するようにさらに構成される。ハンドオーバコマンドは、第２のアクセスデバイスに端末をハンドオーバするように命令するために使用される。トランシーバモジュール１２０１は、第２のアクセスデバイスからハンドオーバ通知を受信するようにさらに構成される。ハンドオーバ通知は、端末が第２のアクセスデバイスにハンドオーバされることを示すために使用される。
【０２１５】
別の可能な実装では、トランシーバモジュール１２０１は、第１のネットワーク中の第１のアクセスデバイスからハンドオーバ要件を受信するように構成される。ハンドオーバ要件は、第２のネットワーク中の第２のアクセスデバイスの識別子又は第２のアクセスデバイスによってサービスされるトラッキングエリアの識別を搬送する。第１のネットワークは４Ｇネットワークであり、第２のネットワークは５Ｇネットワークである。処理モジュール１２０２は、第２のアクセスデバイスの識別子又は第２のアクセスデバイスによってサービスされるトラッキングエリアの識別に基づいて、第２のアクセスデバイスがコンバージドネットワークデバイス１２０によって管理されないと決定するように構成される。処理モジュール１２０２は、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得することと、ターゲットモビリティ管理ネットワーク要素のアドレス情報に基づいてターゲットモビリティ管理ネットワーク要素に移転することとを行うようにさらに構成される。トランシーバモジュール１２０１は、第１のアクセスデバイスにハンドオーバコマンドを送信するようにさらに構成される。ハンドオーバコマンドは、第２のアクセスデバイスに端末をハンドオーバするように第１のアクセスデバイスに命令するために使用される。
【０２１６】
任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスの識別子に基づいて第１の完全修飾ドメイン名を構築することであって、第１の完全修飾ドメイン名は、第２のアクセスデバイスの識別子を含む、ことと、ＤＮＳサーバに第１の完全修飾ドメイン名を送信することであって、第１の完全修飾ドメイン名は、５Ｇネットワーク中の１つ又は複数の候補モビリティ管理ネットワーク要素のアドレス情報を決定するために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１７】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスによってサービスされるトラッキングエリアの識別に基づいて第２の完全修飾ドメイン名を構築することであって、第２の完全修飾ドメイン名は、第２のアクセスデバイスによってサービスされるトラッキングエリアの識別を含む、ことと、ＤＮＳサーバに第２の完全修飾ドメイン名を送信することであって、第２の完全修飾ドメイン名は、５Ｇネットワーク中の１つ又は複数の候補モビリティ管理ネットワーク要素のアドレス情報を決定するために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１８】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、第２のアクセスデバイスによってサービスされるトラッキングエリアの識別に基づいて第３の完全修飾ドメイン名を構築することであって、第３の完全修飾ドメイン名は、第２のアクセスデバイスによってサービスされるトラッキングエリアの識別中にＭＣＣと、ＭＮＣと、ＴＡＣの下位１６ビットとを含み、第３の完全修飾ドメイン名のフォーマットは、４Ｇネットワーク中のトラッキングエリアの識別に対応する完全修飾ドメイン名フォーマットである、ことと、ＤＮＳサーバに第３の完全修飾ドメイン名を送信することであって、第３の完全修飾ドメイン名は、５Ｇネットワーク中の１つ又は複数の候補モビリティ管理ネットワーク要素のアドレス情報をクエリするために使用される、ことと、ＤＮＳサーバから５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２１９】
上記の場合では、処理モジュール１２０２が、ターゲットモビリティ管理ネットワーク要素のアドレス情報に基づいてターゲットモビリティ管理ネットワーク要素に移転するように構成されることは、詳細には、以下の通りである。処理モジュール１２０２は、ターゲットモビリティ管理ネットワーク要素にフォワード移転要求メッセージを送信するように構成される。フォワード移転要求メッセージは、端末の４Ｇコンテキストを搬送し、端末のためのリソースを準備するようにターゲットモビリティ管理ネットワーク要素に要求するために使用される。
【０２２０】
代替として、任意選択で、処理モジュール１２０２が、第２のアクセスデバイスの識別子又は第２のアクセスデバイスによってサービスされるトラッキングエリアの識別に基づいて第２のネットワーク中のターゲットモビリティ管理ネットワーク要素のアドレス情報を取得するように構成されることは、詳細には、以下の通りである。処理モジュール１２０２は、ネットワークリポジトリ機能ネットワーク要素に第２のアクセスデバイスの識別子又は第２のアクセスデバイスによってサービスされるトラッキングエリアの識別を送信することであって、第２のアクセスデバイスの識別子又は第２のアクセスデバイスによってサービスされるトラッキングエリアの識別は、５Ｇネットワーク中の１つ又は複数の候補モビリティ管理ネットワーク要素のアドレス情報をクエリするために使用される、ことと、ネットワークリポジトリ機能ネットワーク要素から５Ｇネットワーク中の候補モビリティ管理ネットワーク要素のアドレス情報を受信することと、候補モビリティ管理ネットワーク要素のアドレス情報から５Ｇネットワーク中のターゲットモビリティ管理ネットワーク要素のアドレス情報を選択することとを行うように構成される。
【０２２１】
上記の場合では、処理モジュール１２０２が、ターゲットモビリティ管理ネットワーク要素のアドレス情報に基づいてターゲットモビリティ管理ネットワーク要素に移転するように構成されることは、詳細には、以下の通りである。処理モジュール１２０２は、ターゲットモビリティ管理ネットワーク要素にコンテキスト作成要求メッセージを送信するように構成される。コンテキスト作成要求メッセージは、端末の４Ｇコンテキストから変換された５Ｇコンテキストを搬送し、端末のためのリソースを準備するようにターゲットモビリティ管理ネットワーク要素に要求するために使用される。
【０２２２】
上記の場合では、トランシーバモジュール１２０１は、ターゲットモビリティ管理ネットワーク要素からＮ２通知メッセージを受信することであって、Ｎ２通知メッセージは、端末の関連リソースを解放するようにコンバージドネットワークデバイス１２０に指示するために使用される、ことを行うようにさらに構成され、処理モジュール１２０２は、Ｎ２通知メッセージに基づいて端末の関連リソースを解放するようにさらに構成される。
【０２２３】
上記の方法実施形態におけるステップに関連するすべてのコンテンツは、対応する機能モジュールの機能説明で言及され得る。本明細書では、詳細を説明しない。
【０２２４】
この実施形態では、コンバージドネットワークデバイス１２０は、統合方式で区分を通して取得された機能モジュールの形態で提示される。本明細書では、「モジュール」は、１つ又は複数のソフトウェア又はファームウェアプログラム、集積論理回路、及び／又は上記の機能を与えることができる別の構成要素を実行するための特定のＡＳＩＣ、回路、プロセッサ及びメモリであり得る。単純な実施形態では、当業者は、コンバージドネットワークデバイス１２０が図３に示された形態を使用し得ると理解し得る。
【０２２５】
例えば、図３中のプロセッサ３０１は、メモリ３０３中に記憶されたコンピュータ実行命令を呼び出してもよく、従って、コンバージドネットワークデバイス１２０は、上記の方法実施形態でハンドオーバの方法を実行する。
【０２２６】
詳細には、図１２中のトランシーバモジュール１２０１と処理モジュール１２０２との機能／実施処理は、メモリ３０３中に記憶されたコンピュータ実行命令を呼び出すことによって図３中のプロセッサ３０１によって実施され得る。代替として、図１２中の処理モジュール１２０２の機能／実施処理は、メモリ３０３中に記憶されたコンピュータ実行命令を呼び出すことによって図３中のプロセッサ３０１によって実施され得るし、図１２中のトランシーバモジュール１２０１の機能／実施処理は、図３中の通信インターフェース３０４を使用することによって実施され得る。
【０２２７】
この実施形態において提供されるコンバージドネットワークデバイスが上記のハンドオーバの方法を実行し得るので、コンバージドネットワークデバイスによって取得され得る技術的効果については、上記の方法実施形態を参照されたい。本明細書では、詳細を再び説明しない。
【０２２８】
任意選択で、本出願の一実施形態は、装置をさらに与える（例えば、装置はチップシステムであり得る）。装置は、コンバージドネットワークデバイスが、上記のハンドオーバの方法を実施すること、例えば、第２のアクセスデバイスの識別子又は第２のアクセスデバイスによってサービスされるトラッキングエリアの識別に基づいて、第２のアクセスデバイスがコンバージドネットワークデバイスによって管理されると決定する際にサポートするように構成されたプロセッサを含む。可能な設計では、装置はメモリをさらに含む。メモリは、コンバージドネットワークデバイスによって要求されるプログラム命令とデータとを記憶するように構成される。もちろん、メモリは、装置中にないことがある。装置がチップシステムであるとき、装置は、チップを含み得るか、又はチップと別の個別デバイスとを含み得る。これは、本出願のこの実施形態では特に限定されない。
【０２２９】
上記の実施形態の全部又は一部は、ソフトウェア、ハードウェア、ファームウェア、又はそれらの任意の組合せを使用することによって実施され得る。ソフトウェアプログラムが実施形態を実施するために使用されるとき、実施形態の全部又は一部はコンピュータプログラム製品の形態で実施され得る。コンピュータプログラム製品は、１つ又は複数のコンピュータ命令を含む。コンピュータプログラム命令がコンピュータ上にロードされ、実行されるとき、本出願の実施形態によるプロシージャ又は機能がすべて又は部分的に生成される。コンピュータは、汎用コンピュータ、専用コンピュータ、コンピュータネットワーク、又は別のプログラマブル装置であり得る。コンピュータ命令は、コンピュータ可読記憶媒体中に記憶され得るか、又はコンピュータ可読記憶媒体から別のコンピュータ可読記憶媒体に送信され得る。例えば、コンピュータ命令は、ワイヤード（例えば、同軸ケーブル、光ファイバ、又はデジタル加入者回線（Ｄｉｇｉｔａｌ  Ｓｕｂｓｃｒｉｂｅｒ  Ｌｉｎｅ、ＤＳＬ））又はワイヤレス（例えば、赤外線、無線、又はマイクロ波）の方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体又は１つ又は複数の使用可能な媒体を統合するサーバ又はデータセンターなどのデータストレージデバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Ｓｏｌｉｄ  Ｓｔａｔｅ  Ｄｒｉｖｅ、ＳＳＤ））などであり得る。
【０２３０】
本出願について実施形態を参照しながら説明するが、保護を主張する本出願を実施する処理において、当業者は、添付の図面、開示する内容、及び添付の特許請求の範囲を閲覧することによって開示する実施形態の別の変形形態を理解し、実施し得る。特許請求の範囲において、単語「を備える（ｃｏｍｐｒｉｓｉｎｇ）」は、別の構成要素又は別のステップを除外せず、「１つの（ａ）」又は「１つの（ｏｎｅ）」は複数の場合を除外しない。単一のプロセッサ又は別のユニットは、特許請求の範囲において列挙されるいくつかの機能を実施し得る。いくつかの手段が互いに異なる従属請求項に記録されるが、これは、これらの手段が組み合わされてより良い効果を生成することができないことを意味しない。
【０２３１】
本出願について、特定の特徴及びそれの実施形態を参照しながら説明するが、明らかに、様々な変更及び組合せが本出願の趣旨及び範囲から逸脱することなくそれらに行われ得る。相応して、本明細書及び添付の図面は、添付の特許請求の範囲によって定義される本出願の例示的な説明にすぎず、本出願の範囲内の変更形態、変形形態、組合せ又は等価物のいずれか又はすべてを包含するものである。明らかに、当業者は、本出願の趣旨及び範囲から逸脱することなく本出願に様々な修正及び変更を行うことができる。本出願のこれらの修正及び変更が、本出願の特許請求の範囲及びそれらの等価な技術の範囲内に入るという条件で、本出願は、本出願のこれらの修正及び変更を包含するものである。
【国際調査報告】
2021526775.tif 000018
2021526775.tif 000019
2021526775.tif 000020
2021526775.tif 000021